(57)【要約】  本発明は、フィードバック情報を伝送する方法、端末機器、および基地局を提供し、当該方法は、端末機器が、基地局により送信された複数のデータパケットを受信するステップと、当該端末機器が、当該端末機器によって当該複数のデータパケットの中に受信に成功しなかったデータパケットが存在すると確定される場合、当該複数のデータパケットの受信状態をフィードバックするための情報であり、当該受信に成功しなかったデータパケットに対して否定確認を行うためのＮＡＣＫ（否定確認）情報のみを含む第１のフィードバック情報を、当該基地局に送信するステップとを含む。端末機器が受信に成功したデータパケットに対して別途の確認情報を基地局に送信する必要がないので、リソースの浪費を回避し、通信システムのスループットを向上させることができる。
2019527953.tif 000002
【特許請求の範囲】
【請求項１】
フィードバック情報を伝送する方法であって、
端末機器が、基地局により送信された複数のデータパケットを受信するステップと、
前記端末機器が、前記端末機器によって前記複数のデータパケットの中に受信に成功しなかったデータパケットが存在すると確定される場合、前記複数のデータパケットの受信状態をフィードバックするための、前記受信に成功しなかったデータパケットに対して否定確認を行うためのＮＡＣＫ（否定確認）情報のみを含む第１のフィードバック情報を前記基地局に送信するステップと
を含むことを特徴とするフィードバック情報を伝送する方法。
【請求項２】
前記ＮＡＣＫ情報中には、識別子情報が付加されており、前記識別子情報は、前記基地局が、前記識別子情報に基づいて、前記受信に成功しなかったデータパケットを確定するようにし、
前記識別子情報は、前記端末機器が前記受信に成功しなかったデータパケットを受信する際に占有した無線フレームおよびサブフレームのインデックス情報であるか、或いは、前記識別子情報は、前記受信に成功しなかったデータパケットの番号である
ことを特徴とする請求項１に記載の方法。
【請求項３】
前記端末機器が、基地局により送信された複数のデータパケットを受信するステップの前に、前記方法は、
前記端末機器が、前記基地局により送信された第１の情報を受信するステップをさらに含み、
前記第１の情報は、前記基地局が前記端末機器に割り当てた、フィードバック情報を伝送するための第１の時間‐周波数リソースを示し、
前記端末機器が第１のフィードバック情報を前記基地局に送信するステップは、
前記端末機器が前記第１の時間‐周波数リソース上で前記第１のフィードバック情報を前記基地局に送信するステップを含む
ことを特徴とする請求項１または２に記載の方法。
【請求項４】
前記方法は、
前記端末機器が、前記基地局により送信された第２の情報を受信するステップをさらに含み、
前記第２の情報は、前記端末機器が、前記端末機器による前記複数のデータパケットの中の各データパケットの受信に成功した際に、第１の方式または第２の方式を採用して、前記複数のデータパケットの受信状態を前記基地局にフィードバックするように、前記端末機器に指示し、
前記第１の方式は、前記第１の時間‐周波数リソース上で第２のフィードバック情報を前記基地局に送信する方式であり、前記第２のフィードバック情報中には、ＡＣＫ（確認）情報が含まれ、前記ＡＣＫ情報は、前記端末機器による前記複数のデータパケットの中の各データパケットの受信に成功したことを示し、
前記第２の方式は、前記第１の時間‐周波数リソース上でフィードバック情報を前記基地局に送信しない方式である
ことを特徴とする請求項３に記載の方法。
【請求項５】
前記第１の時間‐周波数リソースは、複数の時間‐周波数リソースであり、前記複数の時間‐周波数リソースの中の隣接する二つの時間‐周波数リソース同士の間の時間間隔は、第１の所定値である
ことを特徴とする請求項３または４に記載の方法。
【請求項６】
前記方法は、
前記端末機器が、第３の情報を前記基地局に送信するステップをさらに含み、
前記第３の情報は、前記基地局が、前記第１のフィードバック情報を伝送するための時間‐周波数リソースを前記端末機器に割り当てるように、前記基地局に要求し、
前記端末機器が第１のフィードバック情報を前記基地局に送信するステップは、
前記端末機器が、前記端末機器によって、前記基地局により送信された第４の情報が、前記端末機器が前記第３の情報を前記基地局に送信したタイミングから所定の時間帯内で受信された場合、前記第４の情報で示された第２の時間‐周波数リソース上で、前記第１のフィードバック情報を前記基地局に送信するステップを含む
ことを特徴とする請求項１または２に記載の方法。
【請求項７】
前記方法は、
前記端末機器が、前記端末機器によって、前記第４の情報が、前記端末機器が前記第３の情報を前記基地局に送信したタイミングから所定の時間帯内で受信されなかった場合、第３の時間‐周波数リソース上で、前記第１のフィードバック情報を前記基地局に送信するステップをさらに含み、
前記第３の時間‐周波数リソースは、前記基地局が、前記端末機器が前記基地局により送信された複数のデータパケットを受信する前に、前記端末機器に割り当てた、フィードバック情報を伝送するための時間‐周波数リソースであり、前記第３の時間‐周波数リソースは、複数の時間‐周波数リソースであり、前記複数の時間‐周波数リソースの中の隣接する二つの時間‐周波数リソース同士の間の時間間隔は、第２の所定値である
ことを特徴とする請求項６に記載の方法。
【請求項８】
前記端末機器が、基地局により送信された複数のデータパケットを受信するステップの前に、前記方法は、
前記端末機器が、前記基地局により送信された第５の情報を受信するステップをさらに含み、
前記第５の情報は、前記端末機器が前記複数のデータパケットの受信状態をフィードバックするためのフィードバック方式を、当該端末機器に示し、
前記端末機器が、第１のフィードバック情報を前記基地局に送信するステップは、
前記端末機器が、前記第５の情報によって前記端末機器が目標フィードバック方式を採用するように指示される場合に、前記第１のフィードバック情報を前記基地局に送信するステップを含み、
前記目標フィードバック方式は、端末機器が、前記端末機器によって受信に成功しなかったデータパケットが存在すると確定される場合、前記受信に成功しなかったデータパケットに対して否定確認を行うためのＮＡＣＫ情報のみを含むフィードバック情報を前記基地局に送信する方式である
ことを特徴とする請求項１〜７のいずれか１項に記載の方法。
【請求項９】
前記端末機器が、前記基地局により送信された第５の情報を受信するステップは、
前記端末機器が、前記基地局により送信された、前記第５の情報が付加されたＵＬ  Ｇｒａｎｔ（アップリンクグラント）シグナリングを受信すること、
或いは、
前記端末機器が、前記基地局により送信された、前記第５の情報が付加されたＤＬ  Ｇｒａｎｔ（ダウンリンクグラント）シグナリングを受信すること、
或いは、
前記端末機器が、前記基地局により送信された、前記第５の情報が付加されたＲＲＣ（無線リソース制御）シグナリングを受信すること
を含むことを特徴とする請求項８に記載の方法。
【請求項１０】
フィードバック情報を伝送する方法であって、
端末機器が、基地局により送信されたデータパケットを受信するステップと、
前記端末機器が、前記端末機器によって前記データパケットの受信に成功しなかったと確定される場合、第１の情報を前記基地局に送信するステップとを含み、
前記第１の情報は、前記基地局が、ＮＡＣＫ（否定確認）情報を伝送するための時間‐周波数リソースを前記端末機器に割り当てるように、前記基地局に要求し、前記ＮＡＣＫ情報は、前記データパケットに対して否定確認を行うようにする
ことを特徴とするフィードバック情報を伝送する方法。
【請求項１１】
前記方法は、
前記端末機器が、前記端末機器によって、前記基地局により送信された第２の情報が、前記端末機器が前記第１の情報を前記基地局に送信したタイミングから所定の時間帯内で受信された場合、前記第２の情報で示された第１の時間‐周波数リソース上で、前記ＮＡＣＫ情報を前記基地局に送信するステップをさらに含む
ことを特徴とする請求項１０に記載の方法。
【請求項１２】
前記方法は、
前記端末機器が、前記端末機器によって、前記第２の情報が、前記端末機器が前記第１の情報を前記基地局に送信したタイミングから所定の時間帯内で受信されなかった場合、第２の時間‐周波数リソース上で、前記ＮＡＣＫ情報を前記基地局に送信するステップをさらに含み、
前記第２の時間‐周波数リソースは、前記基地局が、前記端末機器が前記データパケットを受信する前に、前記端末機器に割り当てた、フィードバック情報を伝送するための時間‐周波数リソースであり、前記第２の時間‐周波数リソースは、複数の時間‐周波数リソースであり、前記複数の時間‐周波数リソースの中の隣接する二つの時間‐周波数リソース同士の間の時間間隔は、所定値である
ことを特徴とする請求項１１に記載の方法。
【請求項１３】
フィードバック情報を伝送する方法であって、
端末機器が、複数のデータパケットを基地局に送信するステップと、
前記端末機器が、前記基地局によって前記複数のデータパケットの中に受信に成功しなかったデータパケットが存在すると確定された際に前記基地局により送信された、前記複数のデータパケットの受信状態をフィードバックするための、前記受信に成功しなかったデータパケットに対して否定確認を行うためのＮＡＣＫ（否定確認）情報のみを含むフィードバック情報を受信するステップと、
前記端末機器が、前記ＮＡＣＫ情報に基づいて、前記受信に成功しなかったデータパケットを確定するステップと、
前記端末機器が、前記受信に成功しなかったデータパケットを前記基地局に再送信するステップと
を含むことを特徴とするフィードバック情報を伝送する方法。
【請求項１４】
前記ＮＡＣＫ情報中には、識別子情報が付加されており、前記識別子情報は、前記基地局が前記受信に成功しなかったデータパケットを受信する際に占有した無線フレームおよびサブフレームのインデックス情報であるか、或いは、前記識別子情報は、前記受信に成功しなかったデータパケットの番号であり、
前記端末機器が、前記ＮＡＣＫ情報に基づいて、前記受信に成功しなかったデータパケットを確定するステップは、
前記端末機器が、前記識別子情報に基づいて、前記受信に成功しなかったデータパケットを確定することを含む
ことを特徴とする請求項１３に記載の方法。
【請求項１５】
前記端末機器が、前記基地局によって前記複数のデータパケットの中に受信に成功しなかったデータパケットが存在すると確定された際に前記基地局により送信されたフィードバック情報を受信するステップは、
前記端末機器が、前記基地局により送信された、前記フィードバック情報のみが付加されたダウンリンク制御チャネルを受信すること、
或いは、
前記端末機器が、前記基地局により送信された、前記フィードバック情報およびダウンリンク制御シグナリングが付加されたダウンリンク制御チャネルを受信すること
を含むことを特徴とする請求項１３または１４に記載の方法。
【請求項１６】
フィードバック情報を伝送する方法であって、
基地局が、複数のデータパケットを、端末機器に送信するステップと、
前記基地局が、前記端末機器によって前記複数のデータパケットの中に受信に成功しなかったデータパケットが存在すると確定された際に前記端末機器によって送信された、前記複数のデータパケットの受信状態をフィードバックするための、前記受信に成功しなかったデータパケットに対して否定確認を行うためのＮＡＣＫ（否定確認）情報のみを含む第１のフィードバック情報を受信するステップと、
前記基地局が、前記ＮＡＣＫ情報に基づいて、前記受信に成功しなかったデータパケットを確定するステップと、
前記基地局が、前記受信に成功しなかったデータパケットを前記端末機器に再送信するステップと
を含むことを特徴とするフィードバック情報を伝送する方法。
【請求項１７】
前記ＮＡＣＫ情報中には、識別子情報が付加されており、前記識別子情報は、前記端末機器が前記受信に成功しなかったデータパケットを受信する際に占有した無線フレームおよびサブフレームのインデックス情報であるか、或いは、前記識別子情報は、前記受信に成功しなかったデータパケットの番号であり、
前記基地局が、前記ＮＡＣＫ情報に基づいて、前記受信に成功しなかったデータパケットを確定するステップは、
前記基地局が、前記識別子情報に基づいて、前記受信に成功しなかったデータパケットを確定することを含む
ことを特徴とする請求項１６に記載の方法。
【請求項１８】
前記基地局が、複数のデータパケットを前記端末機器に送信するステップの前に、前記方法は、
前記基地局が、第１の情報を前記端末機器に送信するステップをさらに含み、
前記第１の情報は、前記基地局が前記端末機器に割り当てた、フィードバック情報を伝送するための第１の時間‐周波数リソースを示し、
前記基地局が、前記端末機器によって前記複数のデータパケットの中に受信に成功しなかったデータパケットが存在すると確定された際に前記端末機器によって送信された第１のフィードバック情報を受信するステップは、
前記基地局が、前記第１の時間‐周波数リソース上で、前記第１のフィードバック情報を受信するステップを含む
ことを特徴とする請求項１６または１７に記載の方法。
【請求項１９】
前記方法は、
前記基地局が、第２の情報を前記端末機器に送信するステップをさらに含み、
前記第２の情報は、前記端末機器が、前記端末機器による前記複数のデータパケットの中の各データパケットの受信に成功した際に、第１の方式または第２の方式を採用して、前記複数のデータパケットの受信状態を前記基地局にフィードバックするように、前記端末機器に指示し、
前記第１の方式は、前記第１の時間‐周波数リソース上で、第２のフィードバック情報を前記基地局に送信する方式であり、前記第２のフィードバック情報中には、ＡＣＫ（確認）情報が含まれ、前記ＡＣＫ情報は、前記端末機器による前記複数のデータパケットの中の各データパケットの受信に成功したことを示し、
前記第２の方式は、前記第１の時間‐周波数リソース上でフィードバック情報を前記基地局に送信しない方式である
ことを特徴とする請求項１８に記載の方法。
【請求項２０】
前記第１の時間‐周波数リソースは、複数の時間‐周波数リソースであり、前記複数の時間‐周波数リソースの中の隣接する二つの時間‐周波数リソース同士の間の時間間隔は、第１の所定値である
ことを特徴とする請求項１８または１９に記載の方法。
【請求項２１】
前記方法は、
前記基地局が、前記端末機器が送信した第３の情報を受信するステップをさらに含み、
前記第３の情報は、前記基地局が、前記第１のフィードバック情報を伝送するための時間‐周波数リソースを前記端末機器に割り当てるように、前記基地局に要求し、
前記基地局が、前記端末機器によって前記複数のデータパケットの中に受信に成功しなかったデータパケットが存在すると確定された際に前記端末機器によって送信された第１のフィードバック情報を受信するステップは、
前記基地局が、前記基地局によって、第４の情報が、前記基地局が前記第３の情報を受信したタイミングから所定の時間帯内で、前記端末機器に送信された場合、前記第４の情報で示された第２の時間‐周波数リソース上で、前記第１のフィードバック情報を受信するステップを含む
ことを特徴とする請求項１６または１７に記載の方法。
【請求項２２】
前記方法は、
前記基地局が、前記基地局によって、前記第４の情報が、前記基地局が前記第３の情報を受信したタイミングから所定の時間帯内で、前記端末機器に送信されなかった場合、第３の時間‐周波数リソース上で、前記第１のフィードバック情報を受信するステップをさらに含み、
前記第３の時間‐周波数リソースは、前記基地局が、前記基地局が複数のデータパケットを端末機器に送信する前に、前記端末機器に割り当てた、フィードバック情報を伝送するための時間‐周波数リソースであり、前記第３の時間‐周波数リソースは、複数の時間‐周波数リソースであり、前記複数の時間‐周波数リソースの中の隣接する二つの時間‐周波数リソース同士の間の時間間隔は、第２の所定値である
ことを特徴とする請求項２１に記載の方法。
【請求項２３】
前記基地局が、複数のデータパケットを、端末機器に送信するステップの前に、前記方法は、
前記基地局が、第５の情報を前記端末機器に送信するステップをさらに含み、
前記第５の情報は、前記端末機器が前記複数のデータパケットの受信状態をフィードバックするためのフィードバック方式を、当該端末機器に示し、
前記第１のフィードバック情報は、前記第５の情報によって前記端末機器が目標フィードバック方式を採用するように指示される場合に、前記基地局に送信する情報であり、前記目標フィードバック方式は、端末機器が、前記端末機器によって受信に成功しなかったデータパケットが存在すると確定される場合、前記受信に成功しなかったデータパケットに対して否定確認を行うためのＮＡＣＫ情報のみを含むフィードバック情報を前記基地局に送信する方式である
ことを特徴とする請求項１６〜２２のいずれか１項に記載の方法。
【請求項２４】
前記基地局が、第５の情報を前記端末機器に送信するステップは、
前記基地局が、前記第５の情報が付加されたＵＬ  Ｇｒａｎｔ（アップリンクグラント）シグナリングを前記端末機器に送信すること、
或いは、
前記基地局が、前記第５の情報が付加されたＤＬ  Ｇｒａｎｔ（ダウンリンクグラント）シグナリングを前記端末機器に送信すること、
或いは、
前記基地局が、前記第５の情報が付加されたＲＲＣ（無線リソース制御）シグナリングを前記端末機器に送信すること
を含むことを特徴とする請求項２３に記載の方法。
【請求項２５】
フィードバック情報を伝送する方法であって、
基地局が、データパケットを、端末機器に送信するステップと、
前記基地局が、前記端末機器によって前記データパケットの受信に成功しなかったと確定された際に前記端末機器によって送信された第１の情報を受信するステップとを含み、
前記第１の情報は、前記基地局が、ＮＡＣＫ（否定確認）情報を伝送するための時間‐周波数リソースを前記端末機器に割り当てるように、前記基地局に要求し、前記ＮＡＣＫ情報は、前記データパケットに対して否定確認を行うようにする
ことを特徴とするフィードバック情報を伝送する方法。
【請求項２６】
前記方法は、
前記基地局が、前記基地局によって、第２の情報が、前記基地局が前記第１の情報を受信したタイミングから所定の時間帯内で、前記端末機器に送信された場合、前記第２の情報で示された第１の時間‐周波数リソース上で、前記ＮＡＣＫ情報を受信するステップをさらに含む
ことを特徴とする請求項２５に記載の方法。
【請求項２７】
前記方法は、
前記基地局が、前記基地局によって、前記第２の情報が、前記基地局が前記第１の情報を受信したタイミングから所定の時間帯内で、前記端末機器に送信されなかった場合、第２の時間‐周波数リソース上で、前記ＮＡＣＫ情報を受信するステップをさらに含み、
前記第２の時間‐周波数リソースは、前記基地局が、前記基地局がデータパケットを端末機器に送信する前に、前記端末機器に割り当てた、フィードバック情報を伝送するための時間‐周波数リソースであり、前記第２の時間‐周波数リソースは、複数の時間‐周波数リソースであり、前記複数の時間‐周波数リソースの中の隣接する二つの時間‐周波数リソース同士の間の時間間隔は、所定値である
ことを特徴とする請求項２６に記載の方法。
【請求項２８】
フィードバック情報を伝送する方法であって、
基地局が、端末機器によって送信された複数のデータパケットを受信するステップと、
前記基地局が、前記基地局によって前記複数のデータパケットの中に受信に成功しなかったデータパケットが存在すると確定される場合、前記複数のデータパケットの受信状態をフィードバックするための、前記受信に成功しなかったデータパケットに対して否定確認を行うためのＮＡＣＫ（否定確認）情報のみを含むフィードバック情報を前記端末機器に送信するステップとを含む
ことを特徴とするフィードバック情報を伝送する方法。
【請求項２９】
前記ＮＡＣＫ情報中には、識別子情報が付加されており、前記識別子情報は、前記端末機器が、前記識別子情報に基づいて、前記受信に成功しなかったデータパケットを確定するようにし、
前記識別子情報は、前記基地局が前記受信に成功しなかったデータパケットを受信する際に占有した無線フレームおよびサブフレームのインデックス情報であるか、或いは、前記識別子情報は、前記受信に成功しなかったデータパケットの番号である
ことを特徴とする請求項２８に記載の方法。
【請求項３０】
前記基地局が、フィードバック情報を前記端末機器に送信するステップは、
前記基地局が、前記フィードバック情報のみが付加されたダウンリンク制御チャネルを前記端末機器に送信すること、
或いは、
前記基地局が、前記フィードバック情報およびダウンリンク制御シグナリングが付加されたダウンリンク制御チャネルを前記端末機器に送信すること
を含むことを特徴とする請求項２８または２９に記載の方法。
【請求項３１】
端末機器であって、
基地局により送信された複数のデータパケットを受信するための受信モジュールと、
前記複数のデータパケットの中に、受信に成功しなかったデータパケットが存在するか否かを確定するための確定モジュールと、
前記確定モジュールによって前記複数のデータパケットの中に受信に成功しなかったデータパケットが存在すると確定される場合、前記複数のデータパケットの受信状態をフィードバックするための、前記受信に成功しなかったデータパケットに対して否定確認を行うためのＮＡＣＫ（否定確認）情報のみを含む第１のフィードバック情報を前記基地局に送信するための送信モジュールと
を備えることを特徴とする端末機器。
【請求項３２】
前記ＮＡＣＫ情報中には、識別子情報が付加されており、前記識別子情報は、前記基地局が、前記識別子情報に基づいて、前記受信に成功しなかったデータパケットを確定するようにし、
前記識別子情報は、前記受信モジュールが前記受信に成功しなかったデータパケットを受信する際に占有した無線フレームおよびサブフレームのインデックス情報であるか、或いは、前記識別子情報は、前記受信に成功しなかったデータパケットの番号である
ことを特徴とする請求項３１に記載の端末機器。
【請求項３３】
前記受信モジュールが、基地局により送信された複数のデータパケットを受信する前に、
前記受信モジュールは、さらに、前記基地局により送信された第１の情報を受信し、
前記第１の情報は、前記基地局が前記端末機器に割り当てた、フィードバック情報を伝送するための第１の時間‐周波数リソースを示し、
前記送信モジュールは、第１のフィードバック情報を前記基地局に送信する時に、具体的に、
前記第１の時間‐周波数リソース上で、前記第１のフィードバック情報を前記基地局に送信する
ことを特徴とする請求項３１または３２に記載の端末機器。
【請求項３４】
前記受信モジュールは、さらに、
前記基地局により送信された第２の情報を受信し、
前記第２の情報は、前記端末機器が、前記受信モジュールによる前記複数のデータパケットの中の各データパケットの受信に成功した際に、第１の方式または第２の方式を採用して、前記複数のデータパケットの受信状態を前記基地局にフィードバックするように、前記端末機器に指示し、
前記第１の方式は、前記第１の時間‐周波数リソース上で、第２のフィードバック情報を前記基地局に送信する方式であり、前記第２のフィードバック情報中には、ＡＣＫ（確認）情報が含まれ、前記ＡＣＫ情報は、前記端末機器による前記複数のデータパケットの中の各データパケットの受信に成功したことを示し、
前記第２の方式は、前記第１の時間‐周波数リソース上でフィードバック情報を前記基地局に送信しない方式である
ことを特徴とする請求項３３に記載の端末機器。
【請求項３５】
前記第１の時間‐周波数リソースは、複数の時間‐周波数リソースであり、前記複数の時間‐周波数リソースの中の隣接する二つの時間‐周波数リソース同士の間の時間間隔は、第１の所定値である
ことを特徴とする請求項３３または３４に記載の端末機器。
【請求項３６】
前記受信モジュールは、さらに、
第３の情報を前記基地局に送信し、
前記第３の情報は、前記基地局が、前記第１のフィードバック情報を伝送するための時間‐周波数リソースを前記端末機器に割り当てるように、前記基地局に要求し、
前記送信モジュールは、第１のフィードバック情報を前記基地局に送信する時に、
前記受信モジュールによって、前記基地局により送信された第４の情報が、前記送信モジュールが前記第３の情報を前記基地局に送信したタイミングから所定の時間帯内で受信された場合、前記第４の情報で示された第２の時間‐周波数リソース上で、前記第１のフィードバック情報を前記基地局に送信する
ことを特徴とする請求項３１または３２に記載の端末機器。
【請求項３７】
前記送信モジュールは、さらに、
前記受信モジュールによって、前記第４の情報が、前記送信モジュールが前記第３の情報を前記基地局に送信したタイミングから所定の時間帯内で受信されなかった場合、第３の時間‐周波数リソース上で、前記第１のフィードバック情報を前記基地局に送信し、
前記第３の時間‐周波数リソースは、前記基地局が、前記受信モジュールが前記基地局により送信された複数のデータパケットを受信する前に、前記端末機器に割り当てた、フィードバック情報を伝送するための時間‐周波数リソースであり、前記第３の時間‐周波数リソースは、複数の時間‐周波数リソースであり、前記複数の時間‐周波数リソースの中の隣接する二つの時間‐周波数リソース同士の間の時間間隔は、第２の所定値である
ことを特徴とする請求項３６に記載の端末機器。
【請求項３８】
前記受信モジュールは、前記受信モジュールが基地局により送信された複数のデータパケットを受信する前に、さらに、
前記基地局により送信された第５の情報を受信し、
前記第５の情報は、前記端末機器が前記複数のデータパケットの受信状態をフィードバックするためのフィードバック方式を、当該端末機器に示し、
前記送信モジュールは、第１のフィードバック情報を前記基地局に送信する時に、具体的に、
前記第５の情報によって前記端末機器が目標フィードバック方式を採用するように指示される場合に、前記第１のフィードバック情報を前記基地局に送信し、
前記目標フィードバック方式は、端末機器が、前記端末機器によって受信に成功しなかったデータパケットが存在すると確定される場合、前記受信に成功しなかったデータパケットに対して否定確認を行うためのＮＡＣＫ情報のみを含むフィードバック情報を前記基地局に送信する方式である
ことを特徴とする請求項３１〜３７のいずれか１項に記載の端末機器。
【請求項３９】
前記受信モジュールは、前記基地局により送信された第５の情報を受信する時に、具体的に、
前記基地局により送信された、前記第５の情報が付加されたＵＬ  Ｇｒａｎｔ（アップリンクグラント）シグナリングを受信すること、
或いは、
前記基地局により送信された、前記第５の情報が付加されたＤＬ  Ｇｒａｎｔ（ダウンリンクグラント）シグナリングを受信すること、
或いは、
前記基地局により送信された、前記第５の情報が付加されたＲＲＣ（無線リソース制御）シグナリングを受信すること
に用いられることを特徴とする請求項３８に記載の端末機器。
【請求項４０】
端末機器であって、
基地局により送信されたデータパケットを受信するための受信モジュールと、
前記受信モジュールによって前記データパケットの受信に成功したか否かを確定するための確定モジュールと、
前記確定モジュールによって前記受信モジュールの前記データパケットの受信に成功しなかったと確定される場合、第１の情報を前記基地局に送信するための送信モジュールと
を備え、
前記第１の情報は、前記基地局が、ＮＡＣＫ（否定確認）情報を伝送するための時間‐周波数リソースを前記端末機器に割り当てるように、前記基地局に要求し、前記ＮＡＣＫ情報は、前記データパケットに対して否定確認を行うようにする
ことを特徴とする端末機器。
【請求項４１】
前記送信モジュールは、さらに、
前記受信モジュールによって、前記基地局により送信された第２の情報が、前記送信モジュールが前記第１の情報を前記基地局に送信したタイミングから所定の時間帯内で受信された場合、前記第２の情報で示された第１の時間‐周波数リソース上で、前記ＮＡＣＫ情報を前記基地局に送信する
ことを特徴とする請求項４０に記載の端末機器。
【請求項４２】
前記送信モジュールは、さらに、
前記受信モジュールによって、前記第２の情報が、前記送信モジュールが前記第１の情報を前記基地局に送信したタイミングから所定の時間帯内で受信されなかった場合、第２の時間‐周波数リソース上で、前記ＮＡＣＫ情報を前記基地局に送信し、
前記第２の時間‐周波数リソースは、前記基地局が、前記受信モジュールが前記データパケットを受信する前に、前記端末機器に割り当てた、フィードバック情報を伝送するための時間‐周波数リソースであり、前記第２の時間‐周波数リソースは、複数の時間‐周波数リソースであり、前記複数の時間‐周波数リソースの中の隣接する二つの時間‐周波数リソース同士の間の時間間隔は、所定値である
ことを特徴とする請求項４１に記載の端末機器。
【請求項４３】
端末機器であって、
複数のデータパケットを基地局に送信するための送信モジュールと、
前記基地局によって前記複数のデータパケットの中に受信に成功しなかったデータパケットが存在すると確定された際に前記基地局により送信された、前記複数のデータパケットの受信状態をフィードバックするための、前記受信に成功しなかったデータパケットに対して否定確認を行うためのＮＡＣＫ（否定確認）情報のみを含むフィードバックを受信するための受信モジュールと、
前記ＮＡＣＫ情報に基づいて、前記受信に成功しなかったデータパケットを確定するための確定モジュールと
を備え、
前記送信モジュールは、さらに、前記受信に成功しなかったデータパケットを前記基地局に再送信する
ことを特徴とする端末機器。
【請求項４４】
前記ＮＡＣＫ情報中には、識別子情報が付加されており、前記識別子情報は、前記基地局が前記受信に成功しなかったデータパケットを受信する際に占有した無線フレームおよびサブフレームのインデックス情報であるか、或いは、前記識別子情報は、前記受信に成功しなかったデータパケットの番号であり、
前記確定モジュールは、前記ＮＡＣＫ情報に基づいて前記受信に成功しなかったデータパケットを確定する時に、具体的に、
前記識別子情報に基づいて前記受信に成功しなかったデータパケットを確定する
ことを特徴とする請求項４３に記載の端末機器。
【請求項４５】
前記受信モジュールは、前記基地局によって前記複数のデータパケットの中に受信に成功しなかったデータパケットが存在すると確定された際に前記基地局により送信されたフィードバック情報を受信する時に、具体的に、
前記基地局により送信された、前記フィードバック情報のみが付加されたダウンリンク制御チャネルを受信すること、
或いは、
前記基地局により送信された、前記フィードバック情報およびダウンリンク制御シグナリングが付加されたダウンリンク制御チャネルを受信すること、
に用いられることを特徴とする請求項４３または４４に記載の端末機器。
【請求項４６】
基地局であって、
複数のデータパケットを、端末機器に送信するための送信モジュールと、
前記端末機器によって前記複数のデータパケットの中に受信に成功しなかったデータパケットが存在すると確定された際に前記端末機器によって送信された、前記複数のデータパケットの受信状態をフィードバックするための、前記受信に成功しなかったデータパケットに対して否定確認を行うためのＮＡＣＫ（否定確認）情報のみを含む第１のフィードバック情報を受信するための受信モジュールと、
前記ＮＡＣＫ情報に基づいて、前記受信に成功しなかったデータパケットを確定するための確定モジュールと
を備え、
前記送信モジュールは、さらに、前記受信に成功しなかったデータパケットを前記端末機器に再送信する
ことを特徴とする基地局。
【請求項４７】
前記ＮＡＣＫ情報中には、識別子情報が付加されており、前記識別子情報は、前記端末機器が前記受信に成功しなかったデータパケットを受信する際に占有した無線フレームおよびサブフレームのインデックス情報であるか、或いは、前記識別子情報は、前記受信に成功しなかったデータパケットの番号であり、
前記確定モジュールは、前記ＮＡＣＫ情報に基づいて前記受信に成功しなかったデータパケットを確定する時に、具体的に、前記識別子情報に基づいて、前記受信に成功しなかったデータパケットを確定する
ことを特徴とする請求項４６に記載の基地局。
【請求項４８】
前記送信モジュールは、前記送信モジュールが複数のデータパケットを前記端末機器に送信する前に、さらに、
第１の情報を前記端末機器に送信し、
前記第１の情報は、前記基地局が前記端末機器に割り当てた、フィードバック情報を伝送するための第１の時間‐周波数リソースを示し、
前記受信モジュールは、前記端末機器によって前記複数のデータパケットの中に受信に成功しなかったデータパケットが存在すると確定された際に前記端末機器によって送信された第１のフィードバック情報を受信する時に、具体的に、
前記第１の時間‐周波数リソース上で、前記第１のフィードバック情報を受信する
ことを特徴とする請求項４６または４７に記載の基地局。
【請求項４９】
前記送信モジュールは、さらに、第２の情報を前記端末機器に送信し、
前記第２の情報は、前記端末機器が、前記端末機器による前記複数のデータパケットの中の各データパケットの受信に成功した際に、第１の方式または第２の方式を採用して、前記複数のデータパケットの受信状態を前記基地局にフィードバックするように、前記端末機器に指示し、
前記第１の方式は、前記第１の時間‐周波数リソース上で、第２のフィードバック情報を前記基地局に送信する方式であり、前記第２のフィードバック情報中には、ＡＣＫ（確認）情報が含まれ、前記ＡＣＫ情報は、前記端末機器による前記複数のデータパケットの中の各データパケットの受信に成功したことを示し、
前記第２の方式は、前記第１の時間‐周波数リソース上でフィードバック情報を前記基地局に送信しない方式である
ことを特徴とする請求項４８に記載の基地局。
【請求項５０】
前記第１の時間‐周波数リソースは、複数の時間‐周波数リソースであり、前記複数の時間‐周波数リソースの中の隣接する二つの時間‐周波数リソース同士の間の時間間隔は、第１の所定値である
ことを特徴とする請求項４８または４９に記載の基地局。
【請求項５１】
前記受信モジュールは、さらに、前記端末機器が送信した第３の情報を受信し、
前記第３の情報は、前記基地局が、前記第１のフィードバック情報を伝送するための時間‐周波数リソースを前記端末機器に割り当てるように、前記基地局に要求し、
前記受信モジュールは、前記端末機器によって前記複数のデータパケットの中に受信に成功しなかったデータパケットが存在すると確定された際に前記端末機器によって送信された第１のフィードバック情報を受信する時に、具体的に、
前記送信モジュールによって、第４の情報が、前記受信モジュールが前記第３の情報を受信したタイミングから所定の時間帯内で、前記端末機器に送信された場合、前記第４の情報で示された第２の時間‐周波数リソース上で、前記第１のフィードバック情報を受信する
ことを特徴とする請求項４６または４７に記載の基地局。
【請求項５２】
前記受信モジュールは、さらに、
前記送信モジュールによって、前記第４の情報が、前記受信モジュールが前記第３の情報を受信したタイミングから所定の時間帯内で、前記端末機器に送信されなかった場合、第３の時間‐周波数リソース上で、前記第１のフィードバック情報を受信し、
前記第３の時間‐周波数リソースは、前記基地局が、前記基地局が複数のデータパケットを端末機器に送信する前に、前記端末機器に割り当てた、フィードバック情報を伝送するための時間‐周波数リソースであり、前記第３の時間‐周波数リソースは、複数の時間‐周波数リソースであり、前記複数の時間‐周波数リソースの中の隣接する二つの時間‐周波数リソース同士の間の時間間隔は、第２の所定値である
ことを特徴とする請求項５１に記載の基地局。
【請求項５３】
前記送信モジュールは、前記送信モジュールが複数のデータパケットを端末機器に送信する前に、さらに、第５の情報を前記端末機器に送信し、
前記第５の情報は、前記端末機器が前記複数のデータパケットの受信状態をフィードバックするためのフィードバック方式を、当該端末機器に示し、
前記第１のフィードバック情報は、前記第５の情報によって前記端末機器が目標フィードバック方式を採用するように指示される場合に、前記基地局に送信する情報であり、前記目標フィードバック方式は、端末機器が、前記端末機器によって受信に成功しなかったデータパケットが存在すると確定される場合、前記受信に成功しなかったデータパケットに対して否定確認を行うためのＮＡＣＫ情報のみを含むフィードバック情報を前記基地局に送信する方式である
ことを特徴とする請求項４６〜５２のいずれか１項に記載の基地局。
【請求項５４】
前記送信モジュールは、第５の情報を前記端末機器に送信する時に、具体的に、
前記第５の情報が付加されたＵＬ  Ｇｒａｎｔ（アップリンクグラント）シグナリングを前記端末機器に送信すること、
或いは、
前記第５の情報が付加されたＤＬ  Ｇｒａｎｔ（ダウンリンクグラント）シグナリングを前記端末機器に送信すること、
或いは、
前記第５の情報が付加されたＲＲＣ（無線リソース制御）シグナリングを前記端末機器に送信すること
に用いられることを特徴とする請求項５３に記載の基地局。
【請求項５５】
基地局であって、
データパケットを、端末機器に送信するための送信モジュールと、
前記端末機器によって前記データパケットの受信に成功しなかったと確定された際に前記端末機器によって送信された第１の情報を受信するための受信モジュールと
を備え、
前記第１の情報は、前記基地局が、ＮＡＣＫ（否定確認）情報を伝送するための時間‐周波数リソースを前記端末機器に割り当てるように、前記基地局に要求し、前記ＮＡＣＫ情報は、前記データパケットに対して否定確認を行うようにする
ことを特徴とする基地局。
【請求項５６】
前記受信モジュールは、さらに、
前記送信モジュールによって、第２の情報が、前記受信モジュールが前記第１の情報を受信したタイミングから所定の時間帯内で、前記端末機器に送信された場合、前記第２の情報で示された第１の時間‐周波数リソース上で、前記ＮＡＣＫ情報を受信する
ことを特徴とする請求項５５に記載の基地局。
【請求項５７】
前記受信モジュールは、さらに、
前記送信モジュールによって、前記第２の情報が、前記受信モジュールが前記第１の情報を受信したタイミングから所定の時間帯内で、前記端末機器に送信されなかった場合、第２の時間‐周波数リソース上で、前記ＮＡＣＫ情報を受信し、
前記第２の時間‐周波数リソースは、前記基地局が、前記送信モジュールがデータパケットを端末機器に送信する前に、前記端末機器に割り当てた、フィードバック情報を伝送するための時間‐周波数リソースであり、前記第２の時間‐周波数リソースは、複数の時間‐周波数リソースであり、前記複数の時間‐周波数リソースの中の隣接する二つの時間‐周波数リソース同士の間の時間間隔は、所定値である
ことを特徴とする請求項５６に記載の基地局。
【請求項５８】
基地局であって、
端末機器によって送信された複数のデータパケットを受信するための受信モジュールと、
前記複数のデータパケットの中に受信に成功しなかったデータパケットが存在するか否かを確定するための確定モジュールと、
前記確定モジュールによって前記複数のデータパケットの中に受信に成功しなかったデータパケットが存在すると確定される場合、前記複数のデータパケットの受信状態をフィードバックするための、前記受信に成功しなかったデータパケットに対して否定確認を行うためのＮＡＣＫ（否定確認）情報のみを含むフィードバック情報を前記端末機器に送信するための送信モジュールと
を備える
ことを特徴とする基地局。
【請求項５９】
前記ＮＡＣＫ情報中には、識別子情報が付加されており、前記識別子情報は、前記端末機器が、前記識別子情報に基づいて、前記受信に成功しなかったデータパケットを確定するようにし、
前記識別子情報は、前記受信モジュールが前記受信に成功しなかったデータパケットを受信する際に占有した無線フレームおよびサブフレームのインデックス情報であるか、或いは、前記識別子情報は、前記受信に成功しなかったデータパケットの番号である
ことを特徴とする請求項５８に記載の基地局。
【請求項６０】
前記送信モジュールは、フィードバック情報を前記端末機器に送信する時に、具体的に、
前記フィードバック情報のみが付加されたダウンリンク制御チャネルを前記端末機器に送信すること、
或いは、
前記フィードバック情報およびダウンリンク制御シグナリングが付加されたダウンリンク制御チャネルを前記端末機器に送信する
ことを特徴とする請求項５８または５９に記載の基地局。
【発明の詳細な説明】
【技術分野】
【０００１】
本発明の実施例は、通信分野に関し、詳しく言えば、フィードバック情報を伝送する方法、端末機器、および基地局に関する。
【背景技術】
【０００２】
ロング・ターム・エヴォリューションシステム(ＬＴＥ：Ｌｏｎｇ  Ｔｅｒｍ  Ｅｖｏｌｕｔｉｏｎ)ネットワークでは、受信側は、送信側が物理層で送信したデータパケットに対して、フィードバックする必要があり、当該受信側は、データパケットを正しく受信した後に、確認(ＡＣＫ：Ａｃｋｎｏｗｌｅｄｇｅｍｅｎｔ)フレームを送信側にフィードバックする。送信側は、受信側が送信したＡＣＫフレームを受信した後に、新たなデータパケットを送信し続ける。受信側は、データパケットの受信エラーが検知されると、否定確認(ＮＡＣＫ：Ｎｅｇａｔｉｖｅ  Ａｃｋｎｏｗｌｅｄｇｍｅｎｔ)フレームを、送信側にフィードバックする。送信側は、ＮＡＣＫフレームを受信した後に、エラーが発生したデータパケットを再送信し、再送信したデータパケットが受信側によって受信された後に、新たなデータパケットを、送信する。
【０００３】
将来の通信システムは、非常に高い伝送速度をサポートし、また、よりよいチャネル状態を有する必要がある。従来技術中のフィードバック方法を採用すると、不必要なリソースの浪費を招き、通信システムのスループットを低下させる。
【発明の概要】
【０００４】
本願は、フィードバック情報を伝送する方法、端末機器、および基地局を提供し、リソースの浪費を回避し、通信システムのスループットを向上させることができる。
【０００５】
第１の態様にて提供されるフィードバック情報を伝送する方法は、端末機器が、基地局により送信された複数のデータパケットを受信するステップと、当該端末機器が、当該端末機器によって当該複数のデータパケットの中に受信に成功しなかったデータパケットが存在すると確定される場合、当該複数のデータパケットの受信状態をフィードバックするための情報であり、当該受信に成功しなかったデータパケットに対して否定確認を行うためのＮＡＣＫ（否定確認）情報のみを含む第１のフィードバック情報を、当該基地局に送信するステップとを含む。
【０００６】
従って、本願の実施例のフィードバック情報を伝送する方法によると、端末機器が、当該端末機器によって、基地局によって送信された複数のデータパケットの中に受信に成功しなかったデータパケットが存在すると確定される場合、受信に成功しなかったデータパケットに対して否定確認を行うためのＮＡＣＫ情報のみを含むフィードバック情報を基地局に送信することによって、端末機器が受信に成功したデータパケットに対して別途の確認情報を基地局に送信する必要がないので、リソースの浪費を回避し、通信システムのスループットを向上させることができる。
【０００７】
第１の態様によれば、第１の態様の第１の実現可能な方式において、当該ＮＡＣＫ情報中には、識別子情報が付加されており、当該識別子情報は、当該基地局が、当該識別子情報に基づいて、当該受信に成功しなかったデータパケットを確定するようにし、その中、当該識別子情報は、当該端末機器が当該受信に成功しなかったデータパケットを受信する際に占有した無線フレームおよびサブフレームのインデックス情報であるか、或いは、当該識別子情報は、当該受信に成功しなかったデータパケットの番号である。
【０００８】
第１の態様または第１の態様の第１の実現可能な方式によれば、第１の態様の第２の実現可能な方式において、当該端末機器が、基地局により送信された複数のデータパケットを受信するステップの前に、当該端末機器が、当該基地局により送信された第１の情報を受信するステップをさらに含み、当該第１の情報は、当該基地局が当該端末機器に割り当てた、フィードバック情報を伝送するための第１の時間‐周波数リソースを示し、その中、当該端末機器が、第１のフィードバック情報を、当該基地局に送信するステップは、当該端末機器が、当該第１の時間‐周波数リソース上で、当該第１のフィードバック情報を、当該基地局に送信するステップを含むステップを含む。
【０００９】
第１の態様の第２の実現可能な方式によれば、第１の態様の第３の実現可能な方式において、当該端末機器が、当該基地局により送信された第２の情報を受信するステップをさらに含み、当該第２の情報は、当該端末機器が、当該端末機器による当該複数のデータパケットの中の各データパケットの受信に成功した際に、第１の方式または第２の方式を採用して、当該複数のデータパケットの受信状態を当該基地局にフィードバックするように、当該端末機器に指示し、その中、当該第１の方式は、当該第１の時間‐周波数リソース上で、第２のフィードバック情報を、当該基地局に送信する方式であり、当該第２のフィードバック情報中には、ＡＣＫ（確認）情報が含まれ、当該ＡＣＫ情報は、当該端末機器による当該複数のデータパケットの中の各データパケットの受信に成功したことを、を指示し、当該第２の方式は、当該第１の時間‐周波数リソース上で、フィードバック情報を、当該基地局に送信しない方式である。
【００１０】
第１の態様の第２または第３の実現可能な方式によれば、第１の態様の第４の実現可能な方式において、当該第１の時間‐周波数リソースは、複数の時間‐周波数リソースであり、当該複数の時間‐周波数リソースの中の隣接する二つの時間‐周波数リソース同士の間の時間間隔は、第１の所定値である。
【００１１】
基地局が、フィードバック情報を伝送するための時間‐周波数リソースを端末機器に割り当てる際に、周期的な時間‐周波数リソースを割り当てることによって、通信システムにおけるシグナリングの数を減らし、リソースの利用率を向上させることができる。
【００１２】
第１の態様または第１の態様の第１の実現可能な方式によれば、第１の態様の第５の実現可能な方式において、当該端末機器が、第３の情報を、当該基地局に送信するステップをさらに含み、当該第３の情報は、当該基地局が、当該第１のフィードバック情報を伝送するための時間‐周波数リソースを、当該端末機器に割り当てるように、当該基地局に要求し、その中、当該端末機器が、第１のフィードバック情報を、当該基地局に送信するステップは、当該端末機器が、当該端末機器によって、当該基地局により送信された第４の情報が、当該端末機器が当該第３の情報を当該基地局に送信したタイミングから所定の時間帯内で受信された場合、当該端末機器が、当該第４の情報で示された第２の時間‐周波数リソース上で、当該第１のフィードバック情報を、当該基地局に送信するステップを含む。
【００１３】
端末機器が、フィードバック情報を伝送する必要がある場合にのみ、フィードバック情報を伝送するための時間‐周波数リソースを基地局に申請することにより、基地局が事前にフィードバック情報を伝送するための時間‐周波数リソースを端末機器に割り当てる必要がなくなり、リソースの浪費を回避することができる。
【００１４】
第１の態様の第５の実現可能な方式によれば、第１の態様の第６の実現可能な方式において、当該端末機器が、当該端末機器によって、当該第４の情報が、当該端末機器が当該第３の情報を当該基地局に送信したタイミングから所定の時間帯内で受信されなかった場合、第３の時間‐周波数リソース上で、当該第１のフィードバック情報を、当該基地局に送信するステップをさらに含み、その中、当該第３の時間‐周波数リソースは、当該基地局が、当該端末機器が当該基地局により送信された複数のデータパケットを受信する前に、当該端末機器に割り当てた、フィードバック情報を伝送するための時間‐周波数リソースであり、当該第３の時間‐周波数リソースは、複数の時間‐周波数リソースであり、当該複数の時間‐周波数リソースの中の隣接する二つの時間‐周波数リソース同士の間の時間間隔は、第２の所定値である。
【００１５】
端末機器が、フィードバック情報を基地局に送信する必要がある場合に、フィードバック情報を伝送するための時間‐周波数リソースを、先に基地局に申請し、申請に成功すると、当該端末機器が、申請された時間‐周波数リソース上で、フィードバック情報を基地局に送信し、申請に失敗すると、当該端末機器が、基地局が実現に当該端末機器に割り当てた時間‐周波数リソース上で、フィードバック情報を基地局に送信することにより、通信システムの性能を向上させることができる。
【００１６】
第１の態様の第５または第６の実現可能な方式によれば、第１の態様の第７の実現可能な方式において、当該第３の情報は、アップリンクＳＲ（スケジューリング要求）情報であり、且つ、当該第４の情報は、ＵＬ  Ｇｒａｎｔ（アップリンクグラント）シグナリングであるか、或いは、当該第３の情報は、アップリンクＳＲ（スケジューリング要求）情報であり、且つ、当該第４の情報は、ＲＲＣ（無線リソース制御）シグナリングである。
【００１７】
第１の態様または第１の態様の第１〜第７の実現可能な方式の中のいずれか一つの実現可能な方式によれば、第１の態様の第８の実現可能な方式において、当該端末機器が、基地局により送信された複数のデータパケットを受信するステップの前に、当該端末機器が、当該基地局により送信された第５の情報を受信するステップをさらに含み、当該第５の情報は、当該端末機器が当該複数のデータパケットの受信状態をフィードバックするためのフィードバック方式を、当該端末機器に示し、その中、当該端末機器が、第１のフィードバック情報を、当該基地局に送信するステップは、当該第５の情報によって当該端末機器が目標フィードバック方式を採用するように指示される場合に、当該端末機器が、当該第１のフィードバック情報を、当該基地局に送信するステップを含み、その中、当該目標フィードバック方式は、端末機器によって受信に成功しなかったデータパケットが存在すると確定される場合、当該受信に成功しなかったデータパケットに対して否定確認を行うためのＮＡＣＫ情報のみを含むフィードバック情報を、当該基地局に送信する方式である。
【００１８】
端末機器が、基地局によって指示されたフィードバック方式を採用して、複数のデータパケットの受信状態をフィードバックすることによって、より適切なフィードバック方式を採用して、リソースの浪費を回避し、通信システムの性能を向上させることができる。
【００１９】
第１の態様の第８の実現可能な方式によれば、第１の態様の第９の実現可能な方式において、当該端末機器が、当該基地局により送信された第５の情報を受信するステップは、当該端末機器が、当該基地局により送信された、当該第５の情報が付加されたＵＬ  Ｇｒａｎｔ（アップリンクグラント）シグナリングを受信するステップを含むか、或いは、当該端末機器が、当該基地局により送信された、当該第５の情報が付加されたＤＬ  Ｇｒａｎｔ（ダウンリンクグラント）シグナリングを受信するステップを含むか、或いは、当該端末機器が、当該基地局により送信された、当該第５の情報が付加されたＲＲＣ（無線リソース制御）シグナリングを受信するステップを含む。
【００２０】
第２の態様にて提供されるフィードバック情報を伝送する方法は、端末機器が、基地局により送信されたデータパケットを受信するステップと、当該端末機器が、当該端末機器によって当該データパケットの受信に成功しなかったと確定される場合、第１の情報を、当該基地局に送信するステップとを含み、当該第１の情報は、当該基地局が、ＮＡＣＫ（否定確認）情報を伝送するための時間‐周波数リソースを、当該端末機器に割り当てるように、当該基地局に要求し、当該ＮＡＣＫ情報は、当該データパケットに対して否定確認を行うようにする。
【００２１】
従って、本願の実施例のフィードバック情報を伝送する方法によると、端末機器が、当該端末機器によって基地局が送信したデータパケットの受信に成功しなかったと確定される場合、当該データパケットに対して否定確認を行うためのＮＡＣＫ情報を伝送するための時間‐周波数リソースを基地局に申請するため、基地局が、ＮＡＣＫ情報を伝送するための時間‐周波数リソースを事前に端末機器に割り当てる必要がなくなり、端末機器が受信に成功したデータパケットをフィードバックする必要もなくなることにより、リソースの浪費を回避し、通信システムのスループットを向上させることができる。
【００２２】
第２の態様によれば、第２の態様の第１の実現可能な方式において、当該端末機器が、当該端末機器によって、当該基地局により送信された第２の情報が、当該端末機器が当該第１の情報を当該基地局に送信したタイミングから所定の時間帯内で受信された場合、当該第２の情報で示された第１の時間‐周波数リソース上で、当該ＮＡＣＫ情報を、当該基地局に送信するステップをさらに含む。
【００２３】
第２の態様の第１の実現可能な方式によれば、第２の態様の第２の実現可能な方式において、当該端末機器が、当該端末機器によって、当該第２の情報が、当該端末機器が当該第１の情報を当該基地局に送信したタイミングから所定の時間帯内で受信されなかった場合、第２の時間‐周波数リソース上で、当該ＮＡＣＫ情報を、当該基地局に送信するステップをさらに含み、その中、当該第２の時間‐周波数リソースは、当該基地局が、当該端末機器が当該データパケットを受信する前に、当該端末機器に割り当てた、フィードバック情報を伝送するための時間‐周波数リソースであり、当該第２の時間‐周波数リソースは、複数の時間‐周波数リソースであり、当該複数の時間‐周波数リソースの中の隣接する二つの時間‐周波数リソース同士の間の時間間隔は、所定値である。
【００２４】
第２の態様または第２の態様の第１または第２の実現可能な方式の中のいずれか一つの実現可能な方式によれば、第２の態様の第３の実現可能な方式において、当該第１の情報は、アップリンクＳＲ（スケジューリング要求）情報であり、且つ、当該第２の情報は、且つ、ＵＬ  Ｇｒａｎｔ（アップリンクグラント）シグナリングであるか、或いは、当該第１の情報は、アップリンクＳＲ（スケジューリング要求）情報であり、且つ、当該第２の情報は、ＲＲＣ（無線リソース制御）シグナリングである。
【００２５】
第３の態様にて提供されるフィードバック情報を伝送する方法は、端末機器が、複数のデータパケットを基地局に送信するステップと、当該端末機器が、当該基地局によって当該複数のデータパケットの中に受信に成功しなかったデータパケットが存在すると確定された際に当該基地局により送信された情報であって、当該複数のデータパケットの受信状態をフィードバックするための情報であり、当該受信に成功しなかったデータパケットに対して否定確認を行うためのＮＡＣＫ（否定確認）のみが含まれた情報である、情報フィードバック情報を受信するステップと、当該端末機器が、当該ＮＡＣＫ情報に基づいて、当該受信に成功しなかったデータパケットを確定するステップと、当該端末機器が、当該受信に成功しなかったデータパケットを、当該基地局に再送信するステップとを含む。
【００２６】
従って、本願の実施例のフィードバック情報を伝送する方法によると、基地局が、当該基地局によって、端末機器によって送信された複数のデータパケットの中に受信に成功しなかったデータパケットが存在すると確定される場合、複数のデータパケットの受信状態をフィードバックするための情報であり、受信に成功しなかったデータパケットに対して否定確認を行うためのＮＡＣＫ情報のみを含むフィードバック情報を、端末機器に送信することにより、基地局により、受信に成功したデータパケットに対して、別途の確認情報を端末機器に送信する必要がなくなり、リソースの浪費を回避し、通信システムのスループットを向上させることができる。
【００２７】
第３の態様によれば、第３の態様の第１の実現可能な方式において、当該ＮＡＣＫ情報中には、識別子情報が付加されており、当該識別子情報は、当該基地局が当該受信に成功しなかったデータパケットを受信する際に占有した無線フレームおよびサブフレームのインデックス情報であるか、或いは、当該識別子情報は、当該受信に成功しなかったデータパケットの番号であり、その中、当該端末機器が、当該ＮＡＣＫ情報に基づいて、当該受信に成功しなかったデータパケットを確定するステップは、当該端末機器が、当該識別子情報に基づいて、当該受信に成功しなかったデータパケットを確定することを含む。
【００２８】
第３の態様または第３の態様の第１の実現可能な方式によれば、第３の態様の第２の実現可能な方式において、当該端末機器が、当該基地局によって当該複数のデータパケットの中に受信に成功しなかったデータパケットが存在すると確定された際に当該基地局により送信されたフィードバック情報を受信するステップは、当該端末機器が、当該基地局により送信された、当該フィードバック情報のみが付加されたダウンリンク制御チャネルを受信するステップを含むか、或いは、当該端末機器が、当該基地局により送信された、当該フィードバック情報およびダウンリンク制御シグナリングが付加されたダウンリンク制御チャネルを受信するステップを含む。
【００２９】
第４の態様にて提供されるフィードバック情報を伝送する方法は、基地局が、複数のデータパケットを、端末機器に送信するステップと、当該基地局が、当該端末機器によって当該複数のデータパケットの中に受信に成功しなかったデータパケットが存在すると確定された際に当該端末機器によって送信された情報であって、当該複数のデータパケットの受信状態をフィードバックするための情報であり、当該受信に成功しなかったデータパケットに対して否定確認を行うためのＮＡＣＫ（否定確認）情報のみを含む第１のフィードバック情報を受信するステップと、当該基地局が、当該ＮＡＣＫ情報に基づいて、当該受信に成功しなかったデータパケットを確定するステップと、当該基地局が、当該受信に成功しなかったデータパケットを、当該端末機器に再送信するステップとを含む。
【００３０】
従って、本願の実施例のフィードバック情報を伝送する方法によると、基地局が、複数のデータパケットを端末機器に送信した後に、端末機器によって送信された、複数のデータパケットの中の受信に成功しなかったデータパケットに対して否定確認を行うためのＮＡＣＫ情報のみを含む第１のフィードバック情報を受信することにより、基地局が、端末機器によって受信に成功したデータパケットに対して送信された確認情報を受信しないので、リソースの浪費を回避し、通信システムのスループットを向上させることができる。
【００３１】
第４の態様によれば、第４の態様の第１の実現可能な方式において、当該ＮＡＣＫ情報中には、識別子情報が付加されており、当該識別子情報は、当該端末機器が当該受信に成功しなかったデータパケットを受信する際に占有した無線フレームおよびサブフレームのインデックス情報であるか、或いは、当該識別子情報は、当該受信に成功しなかったデータパケットの番号であり、その中、当該基地局が、当該ＮＡＣＫ情報に基づいて、当該受信に成功しなかったデータパケットを確定するステップは、当該基地局が、当該識別子情報に基づいて、当該受信に成功しなかったデータパケットを確定することを含む。
【００３２】
第４の態様または第４の態様の第１の実現可能な方式によれば、第４の態様の第２の実現可能な方式において、当該基地局が、複数のデータパケットを、当該端末機器に送信するステップの前に、当該基地局が、第１の情報を、当該端末機器に送信するステップをさらに含み、当該第１の情報は、当該基地局が当該端末機器に割り当てた、フィードバック情報を伝送するための第１の時間‐周波数リソースを示し、その中、当該基地局が、当該端末機器によって当該複数のデータパケットの中に受信に成功しなかったデータパケットが存在すると確定された際に当該端末機器によって送信された第１のフィードバック情報を受信するステップは、当該基地局が、当該第１の時間‐周波数リソース上で、当該第１のフィードバック情報を受信するステップを含む。
【００３３】
第４の態様の第２の実現可能な方式によれば、第４の態様の第３の実現可能な方式において、当該基地局が、第２の情報を、当該端末機器に送信するステップをさらに含み、当該第２の情報は、当該端末機器が、当該端末機器による当該複数のデータパケットの中の各データパケットの受信に成功した際に、第１の方式または第２の方式を採用して、当該複数のデータパケットの受信状態を当該基地局にフィードバックするように、当該端末機器に指示し、その中、当該第１の方式は、当該第１の時間‐周波数リソース上で、第２のフィードバック情報を、当該基地局に送信する方式であり、当該第２のフィードバック情報中には、ＡＣＫ（確認）情報が含まれ、当該ＡＣＫ情報は、当該端末機器による当該複数のデータパケットの中の各データパケットの受信に成功したことを、を指示し、当該第２の方式は、当該第１の時間‐周波数リソース上で、フィードバック情報を、当該基地局に送信しない方式である。
【００３４】
第４の態様の第２または第３の実現可能な方式によれば、第４の態様の第４の実現可能な方式において、当該第１の時間‐周波数リソースは、複数の時間‐周波数リソースであり、当該複数の時間‐周波数リソースの中の隣接する二つの時間‐周波数リソース同士の間の時間間隔は、第１の所定値である。
【００３５】
第４の態様または第４の態様の第１の実現可能な方式によれば、第４の態様の第５の実現可能な方式において、当該基地局が、当該端末機器によって送信された第３の情報を受信するステップをさらに含み、当該第３の情報は、当該基地局が、当該第１のフィードバック情報を伝送するための時間‐周波数リソースを、当該端末機器に割り当てるように、当該基地局に要求し、その中、当該基地局が、当該端末機器によって当該複数のデータパケットの中に受信に成功しなかったデータパケットが存在すると確定された際に当該端末機器によって送信された第１のフィードバック情報を受信するステップは、当該基地局が、当該基地局によって、第４の情報が、当該基地局が当該第３の情報を受信したタイミングから所定の時間帯内で、当該端末機器に送信された場合、当該第４の情報で示された第２の時間‐周波数リソース上で、当該第１のフィードバック情報を受信するステップを含む。
【００３６】
第４の態様の第５の実現可能な方式によれば、第４の態様の第６の実現可能な方式において、当該基地局が、当該基地局によって、当該第４の情報が、当該基地局が当該第３の情報を受信したタイミングから所定の時間帯内で、当該端末機器に送信されなかった場合、第３の時間‐周波数リソース上で、当該第１のフィードバック情報を受信するステップをさらに含み、その中、当該第３の時間‐周波数リソースは、当該基地局が、当該基地局が複数のデータパケットを端末機器に送信する前に、当該端末機器に割り当てた、フィードバック情報を伝送するための時間‐周波数リソースであり、当該第３の時間‐周波数リソースは、複数の時間‐周波数リソースであり、当該複数の時間‐周波数リソースの中の隣接する二つの時間‐周波数リソース同士の間の時間間隔は、第２の所定値である。
【００３７】
第４の態様の第５または第６の実現可能な方式によれば、第４の態様の第７の実現可能な方式において、当該第３の情報は、アップリンクＳＲ（スケジューリング要求）情報であり、且つ、当該第４の情報は、ＵＬ  Ｇｒａｎｔ（アップリンクグラント）シグナリングであるか、或いは、当該第３の情報は、アップリンクＳＲ（スケジューリング要求）情報であり、且つ、当該第４の情報は、ＲＲＣ（無線リソース制御）シグナリングである。
【００３８】
第４の態様または第４の態様の第１〜第７の実現可能な方式の中のいずれか一つの実現可能な方式によれば、第４の態様の第８の実現可能な方式において、在当該基地局が、複数のデータパケットを、端末機器に送信するステップの前に、当該基地局が、第５の情報を、当該端末機器に送信するステップをさらに含み、当該第５の情報は、当該端末機器が当該複数のデータパケットの受信状態をフィードバックするためのフィードバック方式を、当該端末機器に示し、その中、当該第１のフィードバック情報は、当該第５の情報によって当該端末機器が目標フィードバック方式を採用するように指示される場合に、当該基地局に送信した情報であり、当該目標フィードバック方式は、端末機器によって受信に成功しなかったデータパケットが存在すると確定される場合、当該受信に成功しなかったデータパケットに対して否定確認を行うためのＮＡＣＫ情報のみを含むフィードバック情報を、当該基地局に送信する方式である。
【００３９】
第４の態様の第８の実現可能な方式によれば、第４の態様の第９の実現可能な方式において、当該基地局が、第５のメッセージを、当該端末機器に送信するステップは、当該基地局が、当該第５の情報が付加されたＵＬ  Ｇｒａｎｔ（アップリンクグラント）シグナリングを、当該端末機器に送信するステップを含むか、或いは、当該基地局が、当該第５の情報が付加されたＤＬ  Ｇｒａｎｔ（ダウンリンクグラント）シグナリングを、当該端末機器に送信するステップを含むか、或いは、当該基地局が、当該第５の情報が付加されたＲＲＣ（無線リソース制御）シグナリングを、当該端末機器に送信するステップを含む。
【００４０】
第５の態様にて提供されるフィードバック情報を伝送する方法は、基地局が、データパケットを、端末機器に送信するステップと、当該基地局が、当該端末機器によって当該データパケットの受信に成功しなかったと確定された際に当該端末機器によって送信された第１の情報を受信するステップとを含み、当該第１の情報は、当該基地局が、ＮＡＣＫ（否定確認）情報を伝送するための時間‐周波数リソースを、当該端末機器に割り当てるように、当該基地局に要求し、当該ＮＡＣＫ情報は、当該データパケットに対して否定確認を行うようにする。
【００４１】
従って、本願の実施例のフィードバック情報を伝送する方法によると、基地局によって受信された、端末機器が送信した、ＮＡＣＫ情報を伝送するための時間‐周波数リソースを割り当てるように要求するための第１の情報は、端末機器によって基地局が送信したデータパケットの受信に成功しなかったと確定される際に端末機器によって送信された第１の情報であることにより、基地局が、ＮＡＣＫ情報を伝送するための時間‐周波数リソースを事前に端末機器に割り当てる必要がなくなり、リソースの浪費を回避し、通信システムのスループットを向上させることができる。
【００４２】
第５の態様によれば、第５の態様の第１の実現可能な方式において、当該基地局が、当該基地局によって、第２の情報が、当該基地局が当該第１の情報を受信したタイミングから所定の時間帯内で、当該端末機器に送信された場合、当該第２の情報で示された第１の時間‐周波数リソース上で、当該ＮＡＣＫ情報を受信するステップをさらに含む。
【００４３】
第５の態様の第１の実現可能な方式によれば、第５の態様の第２の実現可能な方式において、当該基地局が、当該基地局によって、当該第２の情報が、当該基地局が当該第１の情報を受信したタイミングから所定の時間帯内で、当該端末機器に送信されなかった場合、第２の時間‐周波数リソース上で、当該ＮＡＣＫ情報を受信するステップをさらに含み、その中、当該第２の時間‐周波数リソースは、当該基地局が、当該基地局がデータパケットを端末機器に送信するステップの前に、当該端末機器に割り当てた、フィードバック情報を伝送するための時間‐周波数リソースであり、当該第２の時間‐周波数リソースは、複数の時間‐周波数リソースであり、当該複数の時間‐周波数リソースの中の隣接する二つの時間‐周波数リソース同士の間の時間間隔は、所定値である。
【００４４】
第５の態様または第５の態様の第１または第２の実現可能な方式の中のいずれか一つの実現可能な方式によれば、第５の態様の第３の実現可能な方式において、当該第１の情報は、アップリンクＳＲ（スケジューリング要求）情報であり、且つ、当該第２の情報は、且つ、ＵＬ  Ｇｒａｎｔ（アップリンクグラント）シグナリングであるか、或いは、当該第１の情報は、アップリンクＳＲ（スケジューリング要求）情報であり、且つ、当該第２の情報は、ＲＲＣ（無線リソース制御）シグナリングである。
【００４５】
第６の態様にて提供されるフィードバック情報を伝送する方法は、基地局が、端末機器によって送信された複数のデータパケットを受信するステップと、当該基地局が、当該基地局によって当該複数のデータパケットの中に受信に成功しなかったデータパケットが存在すると確定される場合、当該複数のデータパケットの受信状態をフィードバックするための情報であり、当該受信に成功しなかったデータパケットに対して否定確認を行うためのＮＡＣＫ（否定確認）のみが含まれた情報である、フィードバック情報を、当該端末機器に送信するステップとを含む。
【００４６】
従って、本願の実施例のフィードバック情報を伝送する方法によると、基地局が、当該基地局によって、端末機器によって送信された複数のデータパケットの中に受信に成功しなかったデータパケットが存在すると確定される場合、複数のデータパケットの受信状態をフィードバックするための情報であり、受信に成功しなかったデータパケットに対して否定確認を行うためのＮＡＣＫ情報のみを含むフィードバック情報を、端末機器に送信することにより、基地局により、受信に成功したデータパケットに対して、別途の確認情報を端末機器に送信する必要がなくなり、リソースの浪費を回避し、通信システムのスループットを向上させることができる。
【００４７】
第６の態様によれば、第６の態様の第１の実現可能な方式において、当該ＮＡＣＫ情報中には、識別子情報が付加されており、当該識別子情報は、当該端末機器が、当該識別子情報に基づいて、当該受信に成功しなかったデータパケットを確定するようにし、その中、当該識別子情報は、当該基地局が当該受信に成功しなかったデータパケットを受信する際に占有した無線フレームおよびサブフレームのインデックス情報であるか、或いは、当該識別子情報は、当該受信に成功しなかったデータパケットの番号である。
【００４８】
第６の態様または第６の態様の第１の実現可能な方式によれば、第６の態様の第２の実現可能な方式において、当該基地局が、フィードバック情報を、当該端末機器に送信するステップは、当該基地局が、当該フィードバック情報のみが付加されたダウンリンク制御チャネルを、当該端末機器に送信するステップを含むか、或いは、当該基地局が、当該フィードバック情報およびダウンリンク制御シグナリングが付加されたダウンリンク制御チャネルを、当該端末機器に送信するステップを含む。
【００４９】
第７の態様にて提供される端末機器は、上記の第１の態様または第１の態様のいずれかの実現可能な方式における方法を実行する。具体的に、当該端末機器は、上記の第１の態様または第１の態様のいずれかの実現可能な方式における方法を実行するための機能モジュールを備える。
【００５０】
第８の態様にて提供される端末機器は、上記の第２の態様または第２の態様のいずれかの実現可能な方式における方法を実行する。具体的に、当該端末機器は、上記の第２の態様または第２の態様のいずれかの実現可能な方式における方法を実行するための機能モジュールを備える。
【００５１】
第９の態様にて提供される端末機器は、上記の第３の態様または第３の態様のいずれかの実現可能な方式における方法を実行する。具体的に、当該端末機器は、上記の第３の態様または第３の態様のいずれかの実現可能な方式における方法を実行するための機能モジュールを備える。
【００５２】
第１０の態様にて提供される基地局は、上記の第４の態様または第４の態様のいずれかの実現可能な方式における方法を実行する。具体的に、当該基地局は、上記の第４の態様または第４の態様のいずれかの実現可能な方式における方法を実行するための機能モジュールを備える。
【００５３】
第１１の態様にて提供される基地局は、上記の第５の態様または第５の態様のいずれかの実現可能な方式における方法を実行する。具体的に、当該基地局は、上記の第５の態様または第５の態様のいずれかの実現可能な方式における方法を実行するための機能モジュールを備える。
【００５４】
第１２の態様にて提供される基地局は、上記の第６の態様または第６の態様のいずれかの実現可能な方式における方法を実行する。具体的に、当該基地局は、上記の第６の態様または第６の態様のいずれかの実現可能な方式における方法を実行するための機能モジュールを備える。
【００５５】
第１３の態様にて提供される端末機器は、プロセッサと、メモリと、受信機と、送信機とを備え、当該プロセッサと、当該メモリと、当該受信機と、当該送信機とは、バスシステムによって接続され、当該メモリは、命令を記憶し、当該プロセッサは、当該メモリ中に記憶されている命令を実行することによって、当該受信機の情報受信および当該送信機の情報送信を制御して、当該端末機器が上記の第１の態様または第１の態様のいずれかの実現可能な方式における方法を実行するようにする。
【００５６】
第１４の態様にて提供される端末機器は、プロセッサと、メモリと、受信機と、送信機とを備え、当該プロセッサと、当該メモリと、当該受信機と、当該送信機とは、バスシステムによって接続され、当該メモリは、命令を記憶し、当該プロセッサは、当該メモリ中に記憶されている命令を実行することによって、当該受信機の情報受信および当該送信機の情報送信を制御して、当該端末機器が上記の第２の態様または第２の態様のいずれかの実現可能な方式における方法を実行するようにする。
【００５７】
第１５の態様にて提供される端末機器は、プロセッサと、メモリと、受信機と、送信機とを備え、当該プロセッサと、当該メモリと、当該受信機と、当該送信機とは、バスシステムによって接続され、当該メモリは、命令を記憶し、当該プロセッサは、当該メモリ中に記憶されている命令を実行することによって、当該受信機の情報受信および当該送信機の情報送信を制御して、当該端末機器が上記の第３の態様または第３の態様のいずれかの実現可能な方式における方法を実行するようにする。
【００５８】
第１６の態様にて提供される基地局は、プロセッサと、メモリと、受信機と、送信機とを備え、当該プロセッサと、当該メモリと、当該受信機と、当該送信機とは、バスシステムによって接続され、当該メモリは、命令を記憶し、当該プロセッサは、当該メモリ中に記憶されている命令を実行することによって、当該受信機の情報受信および当該送信機の情報送信を制御して、当該基地局が上記の第４の態様または第４の態様のいずれかの実現可能な方式における方法を実行するようにする。
【００５９】
第１７の態様にて提供される基地局は、プロセッサと、メモリと、受信機と、送信機とを備え、当該プロセッサと、当該メモリと、当該受信機と、当該送信機とは、バスシステムによって接続され、当該メモリは、命令を記憶し、当該プロセッサは、当該メモリ中に記憶されている命令を実行することによって、当該受信機の情報受信および当該送信機の情報送信を制御して、当該基地局が上記の第５の態様または第５の態様のいずれかの実現可能な方式における方法を実行するようにする。
【００６０】
第１８の態様にて提供される基地局は、プロセッサと、メモリと、受信機と、送信機とを備え、当該プロセッサと、当該メモリと、当該受信機と、当該送信機とは、バスシステムによって接続され、当該メモリは、命令を記憶し、当該プロセッサは、当該メモリ中に記憶されている命令を実行することによって、当該受信機の情報受信および当該送信機の情報送信を制御して、当該基地局が上記の第６の態様または第６の態様のいずれかの実現可能な方式における方法を実行するようにする。
【００６１】
第１９の態様にて提供されるコンピュータ読み取り可能な媒体は、コンピュータプログラムを記憶し、当該コンピュータプログラムは、第１の態様または第１の態様のいずれかの実現可能な方式における方法を実行するための命令を含む。
【００６２】
第２０の態様にて提供されるコンピュータ読み取り可能な媒体は、コンピュータプログラムを記憶し、当該コンピュータプログラムは、第２の態様または第２の態様のいずれかの実現可能な方式における方法を実行するための命令を含む。
【００６３】
第２１の態様にて提供されるコンピュータ読み取り可能な媒体は、コンピュータプログラムを記憶し、当該コンピュータプログラムは、第３の態様における方法を実行するための命令を含む。
【００６４】
第２２の態様にて提供されるコンピュータ読み取り可能な媒体は、コンピュータプログラムを記憶し、当該コンピュータプログラムは、第４の態様における方法を実行するための命令を含む。
【００６５】
第２３の態様にて提供されるコンピュータ読み取り可能な媒体は、コンピュータプログラムを記憶し、当該コンピュータプログラムは、第５の態様における方法を実行するための命令を含む。
【００６６】
第２４の態様にて提供されるコンピュータ読み取り可能な媒体は、コンピュータプログラムを記憶し、当該コンピュータプログラムは、第６の態様における方法を実行するための命令を含む。
【図面の簡単な説明】
【００６７】
以下、本発明の実施例の技術案をもっと明確に説明するために、本発明の実施例で使用する必要がある図面を簡単に説明する。以下で説明する図面はただ本発明の幾つかの実施例であり、当業者にとって、創造的な労力を払わない前提で、これらの図面に基づいてその他の図面が得られることは、明らかである。
【図１】本発明の実施例の応用場面の模式図である。
【図２】本発明の実施例に係るフィードバック情報を伝送する方法を概略的に示すフローチャートである。
【図３】本発明の実施例に係るフィードバック情報を伝送する方法を概略的に示す別のフローチャートである。
【図４】本発明の実施例に係るＮＡＣＫフレームの構成の模式図である。
【図５】本発明の実施例に係るフィードバック情報を伝送する方法を概略的に示すさらなるフローチャートである。
【図６】本発明の別の実施例に係るフィードバック情報を伝送する方法を概略的に示すフローチャートである。
【図７】本発明のさらなる実施例に係るフィードバック情報を伝送する方法を概略的に示すフローチャートである。
【図８】本発明の実施例に係る端末機器を概略的に示すフロック図である。
【図９】本発明の別の実施例に係る端末機器を概略的に示すフロック図である。
【図１０】本発明のさらなる実施例に係る端末機器を概略的に示すフロック図である。
【図１１】本発明の実施例に係る基地局を概略的に示すフロック図である。
【図１２】本発明の別の実施例に係る基地局を概略的に示すフロック図である。
【図１３】本発明のさらなる実施例に係る基地局を概略的に示すフロック図である。
【図１４】本発明のさらなる実施例に係る端末機器を概略的に示すフロック図である。
【図１５】本発明のさらなる実施例に係る基地局を概略的に示すフロック図である。
【発明を実施するための形態】
【００６８】
以下、本発明の実施例の図面を参照しながら、本発明の実施例の技術案を明確的且つ全面的に説明する。当然ながら、説明する実施例は、本発明の一部の実施例に過ぎず、すべての実施例ではない。当業者によって本発明の実施例に基づいて創造的な労力を払わずに得られるすべてのその他の実施例は、本発明の範囲内に属する。
【００６９】
本発明の実施例の技術案は、例えば、グローバルモバイル通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロング・ターム・エヴォリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバルインターコネクトマイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、５Ｇ通信システム、または、新たな無線(ＮＲ：Ｎｅｗ  Ｒａｄｉｏ)システム等に適用されうる。
【００７０】
本発明の実施例において、名詞である「ネットワーク」と「システム」を、常常に交替に使用するが、当業者にとってはその含意が理解できる。本発明の実施例に係る端末機器は、様々な、無線通信機能を有する携帯機器、車載機器、ウェアラブル機器、計算機器、或いは、無線変調復調器に接続されたその他の処理機器、および、いろんなタイプのユーザ機器(ＵＥ：Ｕｓｅｒ  Ｅｑｕｉｐｍｅｎｔ)、移動局(ＭＳ：Ｍｏｂｉｌｅ  Ｓｔａｔｉｏｎ)、端末(Ｔｅｒｍｉｎａｌ)、端末機器(Ｔｅｒｍｉｎａｌ  Ｄｅｖｉｃｅ)等を含んでもよい。本発明の実施例においては、説明の便宜上、以上に言及された機器を端末機器として総称する。
【００７１】
本発明の実施例に係る基地局(ＢＳ：Ｂａｓｅ  Ｓｔａｔｉｏｎ)は、無線アクセスネットワークに配置されて、端末機器に対して、無線通信機能を提供する装置である。前記基地局は、いろんなタイプの、マクロ基地局、マイクロ基地局、中継局、アクセスポイント等を含んでもよい。異なる無線アクセス技術を採用するシステムでは、基地局の機能を有する機器の名称が異なる場合がある。例えば、ＬＴＥネットワークでは、進化型ノードＢ(ｅＮＢまたはｅＮｏｄｅＢ：Ｅｖｏｌｖｅｄ  ＮｏｄｅＢ)と呼ばれ、また、第３世代(３Ｇ：３ｒｄ  Ｇｅｎｅｒａｔｉｏｎ)のネットワークでは、ノードＢ(Ｎｏｄｅ  Ｂ)と呼ばれる。本発明の実施例において、説明の便宜上、上記の端末機器に対して無線通信機能を提供する装置を、基地局またはＢＳとして総称する。
【００７２】
図１は、本発明の実施例の応用場面の模式図である。図１に示したように、基地局と複数の端末機器(端末機器１〜端末機器３)とは、無線信号を使用して、通信する。一般的に、通信に利用される無線信号は、ある変調方式で送受信され、シングルキャリア変調とマルチキャリア変調との２種類に分類されてもよい。
【００７３】
注意すべき点として、図１に示した応用場面では、一つの基地局(単独基地局)のみが存在する場面を示す。しかしながら、本発明はこれに限定されず、基地局は、同一または異なる時間‐周波数リソース上でサービスを伝送する隣接基地局や端末機器を有してもよく、各基地局のカバーレッジ範囲にはさらにその他の数の端末機器が含まれてもよい。
【００７４】
オプションとして、図１では、基地局と端末機器とが位置する無線通信システムは、ネットワークコントローラ、移動管理実体等のその他のネットワーク実体が含まれてもよく、本発明の実施例はこれに限定されない。
【００７５】
説明すべき点として、本発明の実施例を説明する過程で、ダウンリンク伝送過程とは、基地局がデータパケットを端末機器に送信する関連プロセスを指し、アップリンク伝送過程とは、端末機器がデータパケットを基地局に送信する関連プロセスを指す。
【００７６】
図２は、本発明の実施例に係るフィードバック情報を伝送する方法を概略的に示すフローチャートであり、図２に示したように、方法１００は、Ｓ１１０〜Ｓ１３０を含む。
【００７７】
Ｓ１１０において、基地局が、複数のデータパケットを、端末機器に送信する。
【００７８】
Ｓ１２０において、端末機器が、基地局により送信された複数のデータパケットを受信する。
【００７９】
Ｓ１３０において、端末機器が、当該端末機器によって複数のデータパケットの中に受信に成功しなかったデータパケットが存在すると確定される場合、複数のデータパケットの受信状態をフィードバックするための情報であり、受信に成功しなかったデータパケットに対して確認を行うためのＮＡＣＫ（否定確認）情報のみを含む第１のフィードバック情報を基地局に送信する。
【００８０】
オプションとして、図３に示した方法１００は、Ｓ１４０〜Ｓ１５０をさらに含む。
【００８１】
Ｓ１４０において、基地局が、当該ＮＡＣＫ情報に基づいて、当該受信に成功しなかったデータパケットを確定する。
【００８２】
Ｓ１５０において、基地局が、当該受信に成功しなかったデータパケットを、端末機器に再送信する。
【００８３】
説明すべき点として、データパケットの受信に成功しなかったことを、データパケットの伝送(または受信)でエラーが発生したこととして、表現してもよい。受信に成功しなかったデータパケットの数は、一つまたは複数であってもよく、本発明はこれに対し限定しない。
【００８４】
本発明の実施例に係る方法によると、端末機器が、当該端末機器によって受信に成功しなかったデータパケットが存在すると確定される場合、第１のフィードバック情報を基地局に送信することを、端末機器が、データパケットの受信にエラーが発生した時にのみ、受信エラーのデータパケットに対して否定確認を行うための否定確認(ＮＡＣＫ：Ｎｅｇａｔｉｖｅ  Ａｃｋｎｏｗｌｅｄｇｅｍｅｎｔ)情報のみを含む、第１のフィードバック情報を基地局に送信し、基地局は、当該基地局によって第１のフィードバック情報が受信されると、当該複数のデータパケットの中の、ＮＡＣＫ情報に対応するデータパケット以外のその他のデータパケットの受信にいずれも成功することを黙認することとして、理解してもよい。
【００８５】
本発明の実施例において、オプションとして、端末機器は、これら複数のデータパケットの受信が完了された後に、各データパケットに対して復調および／またはデコードを行って、複数のデータパケットの中の受信に成功しなかったデータパケットを確定してもよいし、さらに、端末機器は、当該端末機器によって当該複数のデータパケットの受信が完了されるまでに、一つのデータパケットが受信される度に、当該データパケットに対して復調および／またはデコードを行って、当該データパケットの受信に成功したか否かを確定し、また、当該複数のデータパケットの中に受信に成功しなかったデータパケットが存在すると確定される場合、これら複数のデータパケットの受信状態を基地局に送信してフィードバックしてもよい。
【００８６】
オプションとして、一例として、Ｓ１３０での情報中には、識別子情報が付加されており、基地局は、当該識別子情報に基づいて受信に成功しなかったデータパケットを確定する。当該識別子情報は、端末機器が当該受信に成功しなかったデータパケットを受信する際に占有した無線フレームおよびサブフレームのインデックス情報であり、無線フレームおよびサブフレームのインデックス情報は、例えば、無線フレームの番号およびサブフレームの番号であってもよい。或いは、識別子情報は、当該受信に成功しなかったデータパケットの番号であってもよい。
【００８７】
オプションとして、一例として、ダウンリンク伝送過程で、基地局は、当該基地局が複数のデータパケットを端末機器に送信する前に、所定の時間‐周波数位置のアップリンク伝送リソースを端末機器に割り当て、また、これら所定の時間‐周波数位置のアップリンク伝送リソースを指示するための第１の情報を、端末機器に送信する。端末機器は、これら所定の位置のアップリンク伝送リソースを利用して、第１のフィードバック情報を伝送する。また、このような実現方式において、基地局は、第２の情報を端末機器に送信してもよく、ここで、第２の情報は、端末が、当該端末によって当該複数のデータパケットの中の各データパケットの受信に成功した際に、第１の方式または第２の方式を採用して、基地局に当該複数のデータパケットの受信状態をフィードバックするように、当該端末に指示し、その中、第１の方式は、当該所定の時間‐周波数位置のアップリンク伝送リソース上で第２のフィードバック情報を伝送する方式であり、当該第２のフィードバック情報中には、ＡＣＫ情報が含まれており、当該ＡＣＫ情報は、当該端末機器による当該複数のデータパケットの中の各データパケットの受信に成功したことを指示し、第２の方式は、当該所定の時間‐周波数リソース位置のアップリンク伝送リソース上で基地局にフィードバック情報を送信しない方式である。
【００８８】
つまり、基地局が、フィードバック情報を伝送するための所定の時間‐周波数位置のアップリンク伝送リソースを、端末機器に予め割り当てると、端末機器は、複数のデータパケットの中の各データパケットの受信に成功した後に、これら所定の時間‐周波数位置のアップリンク伝送リソース上で、ＡＣＫ情報を基地局に送信してもよく、さらに、端末機器は、これら所定の時間‐周波数位置のアップリンク伝送リソース上で、フィードバック情報を基地局に送信しなくてもよい。端末機器が、これら所定の時間‐周波数位置のアップリンク伝送リソース上で、フィードバック情報を基地局に送信しないと、当基地局は、これら所定の時間‐周波数位置のアップリンク伝送リソース上で、端末機器によって送信されるいかなる情報も検出できず、端末機器によって基地局が送信したすべてのデータパケットの受信に成功することを黙認する。
【００８９】
一例として、基地局が端末機器に割り当てたこれら所定の時間‐周波数位置のアップリンク伝送リソースが、周期的なアップリンク伝送リソースであるものとして理解するか、或いは、隣接する二つのアップリンク伝送リソース同士の間の時間間隔が第１の所定値であるものとして理解してもよい。さらに、第１の情報がこれら所定の時間‐周波数位置のアップリンク伝送リソースを指示する場合、当該第１の情報は、例えば、アップリンク伝送リソースに対応するサブフレームの番号のような、アップリンク伝送リソースの具体的な位置を、指示してもよく、さらに、当該第１の情報は、アップリンク伝送リソースの中の１番目のアップリンク伝送リソースの位置(例えば、対応するサブフレームの番号)および当該第１の所定値を、指示してもよい。端末機器は、１番目のアップリンク伝送リソースの位置および当該第１の所定値に基づいて、すべてのアップリンク伝送リソースの時間‐周波数位置を、算出する。
【００９０】
例を挙げて説明すると、基地局は、１００個のサブフレームごとに、所定の時間‐周波数位置に位置するアップリンク伝送リソースを、端末機器に割り当ててもよい(上記の第１の所定値が１００個のサブフレームであるものとして理解できる)。端末機器は、１００個のサブフレーム上で、基地局により送信されたデータパケットを受信した後に、当該１００個のサブフレーム後の所定の時間‐周波数位置のアップリンク伝送リソース上で、これら１００個のサブフレームの中のどのサブフレーム上の伝送でエラーが発生したかを基地局にフィードバックしてもよい。図４は、ＮＡＣＫ情報を搬送するＮＡＣＫフレームの１種のフレームフォーマットを示し、ＮＡＣＫフレームは、フレームヘッダフィールドとフレームボディフィールドとを含む。例えば、一つのＮＡＣＫフレームは、１０個のビットを含んでもよく、その中、フレームヘッダフィールドは、３個のビットを占有して、ＮＡＣＫフレームのフレームヘッダ情報を搬送し、フレームヘッダ情報は、例えば、当該ＮＡＣＫフレームが、データパケットの受信状態に対して否定確認を行うためのフレームを、指示してもよく、フレームボディフィールドは、７個のビットを占有して、この１００個のサブフレームの中のどのまたはどの幾つかのサブフレーム上のデータパケットの伝送でエラーが発生したかを、指示してもよい。
【００９１】
本発明の実施例において、オプションとして、端末機器は、当該端末機器によって当該複数のデータパケットの中に受信に成功しなかったデータパケットがあると確定される場合、第３の情報を基地局に送信し、当該第３の情報は、基地局が、当該第１のフィードバック情報を伝送するための時間‐周波数リソースを、端末機器に割り当てるように、当該基地局に要求し、端末機器は、端末機器によって、基地局により送信された第４の情報が、端末機器が当該第３の情報を基地局に送信したタイミングから所定の時間帯内で受信された場合、第４の情報で示された第２の時間‐周波数リソース上で、当該第１のフィードバック情報を基地局に送信する。
【００９２】
言い換えると、端末機器は、当該端末機器によって受信に成功しなかったデータパケットがあると確定される場合、ＮＡＣＫ情報を伝送するためのアップリンク伝送リソースを基地局に申請し、端末機器によって、基地局によって割り当てたアップリンク伝送リソースが、所定の時間内で受信された場合、端末機器は、当該アップリンク伝送リソース上で、どのまたはどの幾つかのデータパケットの伝送にエラーが発生したかを指示するためのＮＡＣＫ情報を基地局に送信する。
【００９３】
本発明の実施例において、オプションとして、端末機器は、当該端末機器によって当該複数のデータパケットの中に受信に成功しなかったデータパケットがあると確定される場合、第３の情報を基地局に送信し、当該第３の情報は、基地局が、当該第１のフィードバック情報を伝送するための時間‐周波数リソースを、端末機器に割り当てるように、当該基地局に要求し、当該端末機器は、当該端末機器によって、基地局により送信された第４の情報が、当該第３の情報を基地局に送信したタイミングから所定の時間帯内で受信されなかった場合、第３の時間‐周波数リソース上で、当該第１のフィードバック情報を基地局に送信し、その中、当該第３の時間‐周波数リソースは、基地局が、端末機器が基地局により送信された複数のデータパケットを受信する前に、端末機器に割り当てた、フィードバック情報を伝送するための時間‐周波数リソースであり、当該第３の時間‐周波数リソースは、複数の時間‐周波数リソースであり、当該複数の時間‐周波数リソースの中の隣接する二つの時間‐周波数リソース同士の間の時間間隔は、第２の所定値である。
【００９４】
言い換えると、基地局は、周期的な所定の時間‐周波数位置のアップリンク伝送リソースと、ＮＡＣＫ情報の伝送を申請するための第３の情報を伝送するための伝送リソースとを、同時に、端末機器に割り当て、端末機器は、端末機器によって受信に成功しなかったデータパケットがあることが発見されると、先に、第３の情報を基地局に送信する方式に従って、アップリンク伝送リソースを申請する。端末機器は、当該端末機器によって、基地局により送信されたアップリンク伝送リソースを指示するための第４の情報が、所定の時間帯内で受信されなかった場合、リソース申請に失敗したと認め、当該端末機器は、基地局によって割り当てられた周期的な所定の時間‐周波数位置上のアップリンク伝送リソースを採用して、ＮＡＣＫ情報を基地局に送信する。このようにして、通信システムの性能を確保することができる。
【００９５】
上記の例において、端末機器は、従来のアップリンクスケジューリング要求(ＳＲ：Ｓｃｈｅｄｕｌｉｎｇ  Ｒｅｑｕｅｓｔ)を使用して、申請要求を基地局に送信してもよく、これに応じて、基地局は、従来のアップリンクグラント(ＵＬ  Ｇｒａｎｔ：ＵＰ  Ｌｉｎｋ  Ｇｒａｎｔ)シグナリングまたは無線リソース制御(ＲＲＣ：Ｒａｄｉｏ  Ｒｅｓｏｕｒｃｅ  Ｃｏｎｔｒｏｌ)シグナリングを使用して、ＮＡＣＫ情報を伝送するためのアップリンク伝送リソースを、端末機器に割り当てる。当該ＲＲＣシグナリングは、例えば、ＲＲＣ接続確立(Ｃｏｎｎｅｃｔｉｏｎ  Ｓｅｔｕｐ)メッセージであってもよい。この例において、基地局は、ＮＡＣＫ情報の伝送を申請するためのＳＲを伝送するためのアップリンク伝送リソースを、単独的に、端末機器に割り当てることによって、従来の関連技術での、データ伝送のためにアップリンク伝送リソースを割り当てるように申請するＳＲと、区分させる。
【００９６】
本発明の実施例において、オプションとして、図５に示したように、方法１００は、Ｓ１１０の前に、Ｓ１６０をさらに含む。
【００９７】
Ｓ１６０において、端末機器が、基地局により送信された、当該端末機器が当該複数のデータパケットの受信状態をフィードバックするためのフィードバック方式を、当該端末機器に指示する第５の情報を受信する。
【００９８】
これに応じて、Ｓ１３０においては、具体的に、端末機器が、第５のメッセージが端末機器に目標フィードバック方式を採用するように指示すると、第１のフィードバック情報を基地局に送信し、その中、当該目標フィードバック方式は、端末機器によって受信に成功しなかったデータパケットが存在すると確定される場合、受信に成功しなかったデータパケットに対して否定確認を行うためのＮＡＣＫ情報のみを含むフィードバック情報を基地局に送信する方式である。
【００９９】
オプションとして、基地局は、当該基地局が第５のメッセージを端末機器に送信する前に、端末機器が採用する必要があるフィードバック方式を確定する。具体的に、基地局は、チャネル状態またはサービス伝送特性に基づいて、端末機器が採用する必要があるフィードバック方式を、確定する。例えば、基地局は、当該基地局によってチャネル状態が良好であり(大量のデータパケットを伝送してこそ、１回の伝送エラーが発生する)、また、データ量が大きいと確定される場合、端末機器が目標フィードバック方式を採用して、複数のデータパケットの受信状態をフィードバックするように、当該端末機器に指示する。基地局は、当該基地局によってチャネル状態がよくない(例えば、データパケットの伝送エラーの確率が所定の閾値よりも大きい)と確定されるか、或いは、当該基地局によってデータ量が小さい(例えば、一つのデータパケットのみを伝送する)と確定される場合、端末機器が従来のＬＴＥ中のフィードバック方式を採用して各データパケットの受信状態をフィードバックするように、当該端末機器に指示する。
【０１００】
オプションとして、Ｓ１６０において、基地局が、当該第５の情報が付加されたアップリンクグラント(ＵＬ  Ｇｒａｎｔ：Ｕｐ  Ｌｉｎｋ  Ｇｒａｎｔ)シグナリングを、端末機器に送信するか、或いは、基地局が、当該第５の情報が付加されたダウンリンクグラント(ＤＬ  Ｇｒａｎｔ：Ｄｏｗｎ  Ｌｉｎｋ  Ｇｒａｎｔ)シグナリングを、端末機器に送信するか、或いは、基地局が、当該第５の情報が付加されたＲＲＣシグナリングを、端末機器に送信し、その中、当該ＲＲＣシグナリングは、ＲＲＣ  Ｃｏｎｎｅｃｔｉｏｎ  Ｓｅｔｕｐメッセージであってもよい。
【０１０１】
図６は、本発明の別の実施例に係るフィードバック情報を伝送する方法を示し、図６に示したように、方法２００は、Ｓ２１０〜Ｓ２３０を含む。
【０１０２】
Ｓ２１０において、基地局が、データパケットを、端末機器に送信する。
【０１０３】
Ｓ２２０において、端末機器が、基地局により送信されたデータパケットを受信する。
【０１０４】
Ｓ２３０において、端末機器が、当該端末機器によって受信に成功しなかった当該データパケットが確定される場合、当該基地局が、当該データパケットに対して否定確認を行うためのＮＡＣＫ（否定確認）情報を伝送するための時間‐周波数リソースを、当該端末機器に割り当てるように、当該基地局に要求するための、第１の情報を基地局に送信する。
【０１０５】
理解すべき点として、本発明の実施例に係るフィードバック情報を伝送する方法においては、端末機器は、基地局により送信されたデータパケットの受信に成功しなかったと確定された場合にのみ、ＮＡＣＫ情報を伝送するための時間‐周波数リソースを基地局に申請し、端末機器によって当該データパケットの受信に成功すると、いかなるフィードバック情報も基地局に送信する必要がない。
【０１０６】
オプションとして、端末機器は、端末機器によって、基地局により送信された第２の情報が、第１の情報を基地局に送信したタイミングから所定の時間帯内で受信された場合、当該第２の情報で示された第１の時間‐周波数リソース上で、当該ＮＡＣＫ情報を、当該基地局に送信する。つまり、端末機器は、当該端末機器によって、基地局によって割り当てたアップリンク伝送リソースが、所定の時間内で受信された場合、当該アップリンク伝送リソース上で、当該データパケットの伝送にエラーが発生したことを指示するためのＮＡＣＫ情報を基地局に送信する。
【０１０７】
オプションとして、端末機器は、当該端末機器によって、第２の情報が、第１の情報を基地局に送信したタイミングから所定の時間帯内で受信されなかった場合、第２の時間‐周波数リソース上で、ＮＡＣＫ情報を基地局に送信し、その中、第２の時間‐周波数リソースは、基地局が、端末機器がデータパケットを受信する前に、端末機器に割り当てた、フィードバック情報を伝送するための時間‐周波数リソースであり、第２の時間‐周波数リソースは、複数の時間‐周波数リソースであり、複数の時間‐周波数リソースの中の隣接する二つの時間‐周波数リソース同士の間の時間間隔は、所定値である。
【０１０８】
つまり、基地局は、周期的な所定の時間‐周波数位置のアップリンク伝送リソースと、ＮＡＣＫ情報の伝送を申請するための第１の情報を伝送するための伝送リソースとを、同時に、端末機器に割り当て、端末機器は、端末機器によって受信に成功しなかったデータパケットがあることが発見されると、先に、第１の情報を基地局に送信する方式に従って、アップリンク伝送リソースを申請する。端末機器は、当該端末機器によって、基地局により送信されたアップリンク伝送リソースを指示するための第２の情報が、所定の時間帯内で受信されなかった場合、リソース申請に失敗したと認め、当該端末機器は、基地局によって割り当てられた周期的な所定の時間‐周波数位置上のアップリンク伝送リソースを採用して、ＮＡＣＫ情報を基地局に伝送する。
【０１０９】
説明すべき点として、方法２００において、端末機器が、ＮＡＣＫ情報を伝送するためのアップリンク伝送リソースを基地局に申請する具体的な実現方式と、基地局がＮＡＣＫ情報を伝送するためのアップリンク伝送リソースを端末機器に割り当てる具体的な実現方式は、方法１００においての実現方式と同一であり、重複を回避するために、ここでは繰り返して説明しない。
【０１１０】
また、方法１００と種類に、基地局は、さらに、端末機器がデータパケットを受信する前に、端末機器がデータパケットの受信状態をフィードバックするフィードバック方式を指示する指示情報を、端末機器に送信してもよい。また、端末機器は、指示情報が、端末機器がデータパケットの受信に成功しなかった場合にのみ、ＮＡＣＫ情報を基地局に送信する方式を採用して、フィードバックを行うフィードバック方式を、指示すると、方法２００においての方法に従って、データパケットの受信状態をフィードバックしてもよい。その中、基地局が当該指示情報を端末機器に送信する具体的な実現方式は、方法１００においての基地局が第５の情報を端末機器に送信する実現方式と同一であり、重複を回避するために、ここでは繰り返して説明しない。
【０１１１】
図７は、本発明のさらなる実施例に係るフィードバック情報を伝送する方法を示し、図７に示したように、方法３００は、Ｓ３１０〜Ｓ３５０を含む。
【０１１２】
Ｓ３１０において、端末機器が、複数のデータパケットを基地局に送信する。
【０１１３】
Ｓ３２０において、基地局が、端末機器によって送信された複数のデータパケットを受信する。
【０１１４】
Ｓ３３０において、端末機器が、基地局によって当該複数のデータパケットの中に受信に成功しなかったデータパケットが存在すると確定された際に当該基地局により送信された情報であって、当該複数のデータパケットの受信状態をフィードバックするための情報であり、当該受信に成功しなかったデータパケットに対して否定確認を行うためのＮＡＣＫ（否定確認）のみが含まれた情報である、フィードバック情報を受信する。
【０１１５】
Ｓ３４０において、端末機器が、当該ＮＡＣＫ情報に基づいて、当該受信に成功しなかったデータパケットを確定する。
【０１１６】
Ｓ３５０において、端末機器が、当該受信に成功しなかったデータパケットを基地局に再送信する。
【０１１７】
本発明の実施例に係る方法によると、基地局が、当該基地局によって当該複数のデータパケットの中に受信に成功しなかったデータパケットが存在すると確定される場合、フィードバック情報を、端末機器に送信することを、基地局が、データパケットの受信エラーが発生した場合にのみ、受信エラーのデータパケットに対して否定確認を行うためのＮＡＣＫ情報のみを含む、フィードバック情報を、端末機器に送信し、端末機器は、当該端末機器によって当該フィードバック情報が受信された後に、複数のデータパケットの中のＮＡＣＫ情報に対応するデータパケット以外の他のデータパケットの受信にいずれも成功することを黙認することとして、理解してもよい。
【０１１８】
また、理解すべき点として、基地局は、端末機器が一つのデータパケットのみを基地局に送信する場合、当該基地局によってこのデータパケットの受信に成功すると、フィードバック情報を端末機器に送信しなく、端末機器は、端末機器によって、基地局により送信されたフィードバック情報が一定の時間内で受信されないと、基地局によってこの一つのデータパケットの受信に成功することを黙認し、基地局は、当該基地局によってこのデータパケットの受信に成功しないと、フィードバック情報を端末機器に送信し、端末機器は、フィードバック情報を受信した後に、このデータパケットを基地局に再送信する。
【０１１９】
オプションとして、一例として、ＮＡＣＫ情報中には、識別子情報が付加されており、端末機器は、識別子情報に基づいて、受信に成功しなかったデータパケットを確定する。当該識別子情報は、基地局が受信に成功しなかったデータパケットを受信する際に占有した無線フレームおよびサブフレームのインデックス情報であり、無線フレームおよびサブフレームのインデックス情報は、例えば、無線フレームの番号およびサブフレームの番号であってもよい。或いは、識別子情報は、受信に成功しなかったデータパケットの番号であってもよい。
【０１２０】
オプションとして、Ｓ３３０において、基地局が、当該フィードバック情報のみが付加されたダウンリンク制御チャネルを、端末機器に送信するか、或いは、当該フィードバック情報およびダウンリンク制御シグナリングが付加されたダウンリンク制御チャネルを、端末機器に送信する。
【０１２１】
オプションとして、一例として、当該ダウンリンク制御チャネルは、物理ダウンリンク制御チャネル(ＰＤＣＣＨ：Ｐｈｙｓｉｃａｌ  Ｄｏｗｎｌｉｎｋ  Ｃｏｎｔｒｏｌ  Ｃｈａｎｎｅｌ)である。
【０１２２】
以上、図２〜図７を参照しながら、本発明の実施例に係るフィードバック情報を伝送する方法を詳細に説明した。以下、図８を参照しながら、本発明の実施例に係る端末機器を詳細に説明する。図８に示したように、端末機器１０は、受信モジュール１１と、確定モジュール１２と、送信モジュール１３とを備える。
【０１２３】
受信モジュール１１は、基地局により送信された複数のデータパケットを受信する。
【０１２４】
確定モジュール１２は、当該複数のデータパケットの中に、受信に成功しなかったデータパケットが存在するか否かを確定する。
【０１２５】
送信モジュール１３は、当該確定モジュール１２によって当該複数のデータパケットの中に受信に成功しなかったデータパケットが存在すると確定される場合、当該複数のデータパケットの受信状態をフィードバックするための情報であり、当該受信に成功しなかったデータパケットに対して否定確認を行うためのＮＡＣＫ（否定確認）情報のみを含む第１のフィードバック情報を、当該基地局に送信する。
【０１２６】
従って、本発明の実施例に係る端末機器は、当該端末機器によって、基地局によって送信された複数のデータパケットの中に受信に成功しなかったデータパケットが存在すると確定される場合、受信に成功しなかったデータパケットに対して否定確認を行うためのＮＡＣＫ情報のみを含む第１のフィードバック情報を基地局に送信することにより、端末機器が受信に成功したデータパケットに対して別途の確認情報を基地局に送信する必要がないので、リソースの浪費を回避し、通信システムのスループットを向上させることができる。
【０１２７】
本発明の実施例において、オプションとして、当該ＮＡＣＫ情報中には、識別子情報が付加されており、当該識別子情報は、当該基地局が、当該識別子情報に基づいて、当該受信に成功しなかったデータパケットを確定するようにする。
【０１２８】
その中、当該識別子情報は、当該受信モジュール１１が当該受信に成功しなかったデータパケットを受信する際に占有した無線フレームおよびサブフレームのインデックス情報であるか、或いは、当該識別子情報は、当該受信に成功しなかったデータパケットの番号である。
【０１２９】
本発明の実施例において、オプションとして、当該受信モジュール１１は、当該受信モジュール１１が基地局により送信された複数のデータパケットを受信する前に、さらに、当該基地局により送信された第１の情報を受信し、当該第１の情報は、当該基地局が当該端末機器に割り当てた、フィードバック情報を伝送するための第１の時間‐周波数リソースを指示する。
【０１３０】
その中、当該送信モジュール１３は、当該第１のフィードバック情報を基地局に送信する時に、具体的に、当該第１の時間‐周波数リソース上で、当該第１のフィードバック情報を、当該基地局に送信する。
【０１３１】
本発明の実施例において、オプションとして、当該受信モジュール１１は、さらに、当該基地局により送信された第２の情報を受信し、当該第２の情報は、当該端末機器が、当該受信モジュール１１による当該複数のデータパケットの中の各データパケットの受信に成功した際に、第１の方式または第２の方式を採用して、当該複数のデータパケットの受信状態を、当該基地局にフィードバックするように、当該端末機器に指示する。
【０１３２】
その中、当該第１の方式は、当該第１の時間‐周波数リソース上で、第２のフィードバック情報を、当該基地局に送信する方式であり、当該第２のフィードバック情報中には、ＡＣＫ（確認）情報が含まれ、当該ＡＣＫ情報は、当該端末機器による当該複数のデータパケットの中の各データパケットの受信に成功したことを、を指示し、当該第２の方式は、当該第１の時間‐周波数リソース上で、フィードバック情報を、当該基地局に送信しない方式である。
【０１３３】
本発明の実施例において、オプションとして、当該第１の時間‐周波数リソースは、複数の時間‐周波数リソースであり、当該複数の時間‐周波数リソースの中の隣接する二つの時間‐周波数リソース同士の間の時間間隔は、第１の所定値である。
【０１３４】
本発明の実施例において、オプションとして、当該受信モジュール１１は、さらに、当該第３の情報を基地局に送信し、当該第３の情報は、当該基地局が、当該第１のフィードバック情報を伝送するための時間‐周波数リソースを、当該端末機器に割り当てるように、当該基地局に要求する。
【０１３５】
その中、当該送信モジュール１３は、当該第１のフィードバック情報を基地局に送信する時に、当該受信モジュール１１によって、当該基地局により送信された第４の情報が、当該送信モジュール１３が当該第３の情報を当該基地局に送信したタイミングから所定の時間帯内で受信された場合、当該第４の情報で示された第２の時間‐周波数リソース上で、当該第１のフィードバック情報を、当該基地局に送信する。
【０１３６】
本発明の実施例において、オプションとして、当該送信モジュール１３は、さらに、当該受信モジュール１１によって、当該第４の情報が、当該送信モジュール１３が当該第３の情報を当該基地局に送信したタイミングから所定の時間帯内で受信されなかった場合、第３の時間‐周波数リソース上で、当該第１のフィードバック情報を、当該基地局に送信する。
【０１３７】
その中、当該第３の時間‐周波数リソースは、当該基地局が、当該受信モジュールによって、当該基地局により送信された複数のデータパケットの前に、当該端末機器に割り当てた、フィードバック情報を伝送するための時間‐周波数リソースであり、当該第３の時間‐周波数リソースは、複数の時間‐周波数リソースであり、当該複数の時間‐周波数リソースの中の隣接する二つの時間‐周波数リソース同士の間の時間間隔は、第２の所定値である。
【０１３８】
本発明の実施例において、オプションとして、当該第３の情報は、アップリンクＳＲ（スケジューリング要求）情報であり、且つ、当該第４の情報は、ＵＬ  Ｇｒａｎｔ（アップリンクグラント）シグナリングであるか、或いは、当該第３の情報は、アップリンクＳＲ（スケジューリング要求）情報であり、且つ、当該第４の情報は、ＲＲＣ（無線リソース制御）シグナリングである。
【０１３９】
本発明の実施例において、オプションとして、当該受信モジュール１１は、当該受信モジュール１１が基地局により送信された複数のデータパケットを受信する前に、さらに、当該基地局により送信された第５の情報を受信し、当該第５の情報は、当該端末機器が当該複数のデータパケットの受信状態をフィードバックするためのフィードバック方式を、当該端末機器に指示する。
【０１４０】
その中、当該送信モジュール１３は、当該第１のフィードバック情報を基地局に送信する時に、具体的に、当該第５の情報によって当該端末機器が目標フィードバック方式を採用するように指示される場合に、当該第１のフィードバック情報を、当該基地局に送信し、その中、当該目標フィードバック方式は、端末機器によって受信に成功しなかったデータパケットが存在すると確定される場合、当該受信に成功しなかったデータパケットに対して否定確認を行うためのＮＡＣＫ情報のみを含むフィードバック情報を、当該基地局に送信する方式である。
【０１４１】
本発明の実施例において、オプションとして、当該受信モジュール１１は、当該基地局により送信された第５の情報を受信する時に、具体的に、当該基地局により送信された、当該第５の情報が付加されたＵＬ  Ｇｒａｎｔ（アップリンクグラント）シグナリングを受信するか、或いは、当該基地局により送信された、当該第５の情報が付加されたＤＬ  Ｇｒａｎｔ（ダウンリンクグラント）シグナリングを受信するか、或いは、当該基地局により送信された、当該第５の情報が付加されたＲＲＣ（無線リソース制御）シグナリングを受信する。
【０１４２】
本発明の実施例に係る端末機器は、該当する本発明の実施例のフィードバック情報を伝送する方法１００の流れを参照してもよく、また、当該端末機器中の各ユニット／モジュール、および、上記のその他の操作および／または機能は、それぞれ、方法１００中の該当する流れを実現するためのものであり、簡素化のために、ここでは繰り返して説明しない。
【０１４３】
図９は、本発明の別の実施例に係る端末機器を概略的に示すフロック図であり、図９に示したように、端末機器２０は、受信モジュール２１と、確定モジュール２２と、送信モジュール２３とを備える。
【０１４４】
受信モジュール２１は、基地局により送信されたデータパケットを受信する。
【０１４５】
確定モジュール２２は、当該受信モジュール２１の当該データパケットの受信に成功したか否かを確定する。
【０１４６】
送信モジュール２３は、当該確定モジュール２２によって当該受信モジュール２１の当該データパケット受信に成功しなかったと確定される場合、第１の情報を、当該基地局に送信するし、当該第１の情報は、当該基地局が、ＮＡＣＫ（否定確認）情報を伝送するための時間‐周波数リソースを、当該端末機器に割り当てるように、当該基地局に要求し、当該ＮＡＣＫ情報は、当該データパケットに対して否定確認を行うようにする。
【０１４７】
従って、本発明の実施例に係る端末機器が、当該端末機器によって基地局が送信したデータパケットの受信に成功しなかったと確定される場合、当該データパケットに対して否定確認を行うためのＮＡＣＫ情報を伝送するための時間‐周波数リソースを基地局に申請するため、基地局が、ＮＡＣＫ情報を伝送するための時間‐周波数リソースを事前に端末機器に割り当てる必要がなくなり、端末機器が受信に成功したデータパケットをフィードバックする必要もなくなることにより、リソースの浪費を回避し、通信システムのスループットを向上させることができる。
【０１４８】
本発明の実施例において、オプションとして、当該送信モジュール２３は、さらに、当該受信モジュール２１によって、当該基地局により送信された第２の情報が、当該送信モジュール２３が当該第１の情報を当該基地局に送信したタイミングから所定の時間帯内で受信された場合、当該第２の情報で示された第１の時間‐周波数リソース上で、当該ＮＡＣＫ情報を、当該基地局に送信する。
【０１４９】
本発明の実施例において、オプションとして、当該送信モジュール２３は、さらに、当該受信モジュール２１によって、当該第２の情報が、当該送信モジュール２３が当該第１の情報を当該基地局に送信したタイミングから所定の時間帯内で受信されなかった場合、第２の時間‐周波数リソース上で、当該ＮＡＣＫ情報を、当該基地局に送信し、その中、当該第２の時間‐周波数リソースは、当該基地局が、当該受信モジュールが当該データパケットを受信する前に、当該端末機器に割り当てた、フィードバック情報を伝送するための時間‐周波数リソースであり、当該第２の時間‐周波数リソースは、複数の時間‐周波数リソースであり、当該複数の時間‐周波数リソースの中の隣接する二つの時間‐周波数リソース同士の間の時間間隔は、所定値である。
【０１５０】
本発明の実施例において、オプションとして、当該第１の情報は、アップリンクＳＲ（スケジューリング要求）情報であり、且つ、当該第２の情報は、且つ、ＵＬ  Ｇｒａｎｔ（アップリンクグラント）シグナリングであるか、或いは、当該第１の情報は、アップリンクＳＲ（スケジューリング要求）情報であり、且つ、当該第２の情報は、ＲＲＣ（無線リソース制御）シグナリングである。
【０１５１】
本発明の実施例に係る端末機器は、該当する本発明の実施例のフィードバック情報を伝送する方法２００の流れを参照してもよく、また、当該端末機器中の各ユニット／モジュール、および、上記のその他の操作および／または機能は、それぞれ、方法２００中の該当する流れを実現するためのものであり、簡素化のために、ここでは繰り返して説明しない。
【０１５２】
図１０は、本発明のさらなる実施例に係る端末機器を概略的に示すフロック図であり、図１０に示したように、端末機器３０は、送信モジュール３１と、受信モジュール３２と、確定モジュール３３とを備える。
【０１５３】
送信モジュール３１は、複数のデータパケットを基地局に送信する。
【０１５４】
受信モジュール３２は、当該基地局によって当該複数のデータパケットの中に受信に成功しなかったデータパケットが存在すると確定された際に当該基地局により送信された情報であって、当該複数のデータパケットの受信状態をフィードバックするための情報であり、当該受信に成功しなかったデータパケットに対して否定確認を行うためのＮＡＣＫ（否定確認）のみが含まれた情報である、フィードバック情報を受信する。
【０１５５】
確定モジュール３３は、当該ＮＡＣＫ情報に基づいて、当該受信に成功しなかったデータパケットを確定する。
【０１５６】
当該送信モジュール３２は、さらに、当該受信に成功しなかったデータパケットを、当該基地局に再送信する。
【０１５７】
従って、本発明の実施例によると、端末機器によって受信された、基地局が送信したフィードバック情報は、基地局が、当該基地局によって端末機器によって送信された複数のデータパケットの中に受信に成功しなかったデータパケットが存在すると確定された際に、送信したフィードバック情報であり、また、フィードバック情報中には、受信に成功しなかったデータパケットに対して否定確認を行うためのＮＡＣＫ情報のみが含まれることにより、基地局により、受信に成功したデータパケットに対して、別途の確認情報を端末機器に送信する必要がなくなり、リソースの浪費を回避し、通信システムのスループットを向上させることができる。
【０１５８】
本発明の実施例において、オプションとして、当該ＮＡＣＫ情報中には、識別子情報が付加されており、当該識別子情報は、当該基地局が当該受信に成功しなかったデータパケットを受信する際に占有した無線フレームおよびサブフレームのインデックス情報であるか、或いは、当該識別子情報は、当該受信に成功しなかったデータパケットの番号である。
【０１５９】
その中、当該確定モジュール３３は、当該ＮＡＣＫ情報に基づいて当該受信に成功しなかったデータパケットを確定する時に、具体的に、当該識別子情報に基づいて、当該受信に成功しなかったデータパケットを確定する。
【０１６０】
本発明の実施例において、オプションとして、当該受信モジュール３１は、当該基地局によって当該複数のデータパケットの中に受信に成功しなかったデータパケットが存在すると確定された際に当該基地局により送信されたフィードバック情報を受信する時に、具体的に、当該基地局により送信された、当該フィードバック情報のみが付加されたダウンリンク制御チャネルを受信するか、或いは、当該基地局により送信された、当該フィードバック情報およびダウンリンク制御シグナリングが付加されたダウンリンク制御チャネルを受信する。
【０１６１】
本発明の実施例に係る端末機器は、該当する本発明の実施例のフィードバック情報を伝送する方法３００の流れを参照してもよく、また、当該端末機器中の各ユニット／モジュール、および、上記のその他の操作および／または機能は、それぞれ、方法３００中の該当する流れを実現するためのものであり、簡素化のために、ここでは繰り返して説明しない。
【０１６２】
以上、図８〜図１０を参照しながら、本発明の実施例に係る端末機器を詳細に説明した。以下、図１１〜図１３を参照しながら、本発明の実施例に係る基地局を詳細に説明する。図１１は、本発明の実施例に係る基地局を示し、図１１に示したように、基地局４０は、送信モジュール４１と、受信モジュール４２と、確定モジュール４３とを備える。
【０１６３】
送信モジュール４１は、複数のデータパケットを、端末機器に送信する。
【０１６４】
受信モジュール４２は、当該端末機器によって当該複数のデータパケットの中に受信に成功しなかったデータパケットが存在すると確定された際に当該端末機器によって送信された情報であって、当該複数のデータパケットの受信状態をフィードバックするための情報であり、当該受信に成功しなかったデータパケットに対して否定確認を行うためのＮＡＣＫ（否定確認）情報のみを含む第１のフィードバック情報を受信する。
【０１６５】
確定モジュール４３は、当該ＮＡＣＫ情報に基づいて、当該受信に成功しなかったデータパケットを確定する。
【０１６６】
当該送信モジュール４１は、さらに、当該受信に成功しなかったデータパケットを、当該端末機器に再送信する。
【０１６７】
従って、本発明の実施例に係る基地局が、複数のデータパケットを端末機器に送信した後に、端末機器によって送信された、複数のデータパケットの中の受信に成功しなかったデータパケットに対して否定確認を行うためのＮＡＣＫ情報のみを含む第１のフィードバック情報を受信することにより、基地局が、端末機器によって受信に成功したデータパケットに対して送信された確認情報を受信しないので、リソースの浪費を回避し、通信システムのスループットを向上させることができる。
【０１６８】
本発明の実施例において、オプションとして、当該ＮＡＣＫ情報中には、識別子情報が付加されており、当該識別子情報は、当該端末機器が当該受信に成功しなかったデータパケットを受信する際に占有した無線フレームおよびサブフレームのインデックス情報であるか、或いは、当該識別子情報は、当該受信に成功しなかったデータパケットの番号である。
【０１６９】
その中、当該確定モジュール４３は、当該ＮＡＣＫ情報に基づいて当該受信に成功しなかったデータパケットを確定する時に、具体的に、当該識別子情報に基づいて、当該受信に成功しなかったデータパケットを確定する。
【０１７０】
本発明の実施例において、オプションとして、当該送信モジュール４１は、当該送信モジュール４１が複数のデータパケットを当該端末機器に送信する前に、さらに、第１の情報を当該端末機器に送信し、当該第１の情報は、当該基地局が当該端末機器に割り当てた、フィードバック情報を伝送するための第１の時間‐周波数リソースを示し、その中、当該受信モジュール４２は、当該端末機器によって当該複数のデータパケットの中に受信に成功しなかったデータパケットが存在すると確定された際に当該端末機器によって送信された第１のフィードバック情報を受信する時に、具体的に、当該第１の時間‐周波数リソース上で、当該第１のフィードバック情報を受信する。
【０１７１】
本発明の実施例において、オプションとして、当該送信モジュール４１は、さらに、第２の情報を当該端末機器に送信し、当該第２の情報は、当該端末機器が、当該端末機器による当該複数のデータパケットの中の各データパケットの受信に成功した際に、第１の方式または第２の方式を採用して、当該複数のデータパケットの受信状態を当該基地局にフィードバックするように、当該端末機器に指示し、その中、当該第１の方式は、当該第１の時間‐周波数リソース上で、第２のフィードバック情報を、当該基地局に送信する方式であり、当該第２のフィードバック情報中には、ＡＣＫ（確認）情報が含まれ、当該ＡＣＫ情報は、当該端末機器による当該複数のデータパケットの中の各データパケットの受信に成功したことを、を指示し、当該第２の方式は、当該第１の時間‐周波数リソース上で、フィードバック情報を、当該基地局に送信しない方式である。
【０１７２】
本発明の実施例において、オプションとして、当該第１の時間‐周波数リソースは、複数の時間‐周波数リソースであり、当該複数の時間‐周波数リソースの中の隣接する二つの時間‐周波数リソース同士の間の時間間隔は、第１の所定値である。
【０１７３】
本発明の実施例において、オプションとして、当該受信モジュール４２は、さらに、当該端末機器が送信した第３の情報を受信し、当該第３の情報は、当該基地局が、当該第１のフィードバック情報を伝送するための時間‐周波数リソースを、当該端末機器に割り当てるように、当該基地局に要求する。
【０１７４】
その中、当該受信モジュール４２は、当該端末機器によって当該複数のデータパケットの中に受信に成功しなかったデータパケットが存在すると確定された際に当該端末機器によって送信された第１のフィードバック情報を受信する時に、具体的に、当該送信モジュール４１は、当該送信モジュール４１によって、第４の情報が、当該受信モジュール４２が当該第３の情報を受信したタイミングから所定の時間帯内で、当該端末機器に送信された場合、当該第４の情報で示された第２の時間‐周波数リソース上で、当該第１のフィードバック情報を受信する。
【０１７５】
本発明の実施例において、オプションとして、当該受信モジュール４２は、さらに、当該送信モジュール４１によって、当該第４の情報が、当該受信モジュール４２が当該第３の情報を受信したタイミングから所定の時間帯内で、当該端末機器に送信されなかった場合、第３の時間‐周波数リソース上で、当該第１のフィードバック情報を受信し、その中、当該第３の時間‐周波数リソースは、当該基地局が、当該基地局が複数のデータパケットを端末機器に送信する前に、当該端末機器に割り当てた、フィードバック情報を伝送するための時間‐周波数リソースであり、当該第３の時間‐周波数リソースは、複数の時間‐周波数リソースであり、当該複数の時間‐周波数リソースの中の隣接する二つの時間‐周波数リソース同士の間の時間間隔は、第２の所定値である。
【０１７６】
本発明の実施例において、オプションとして、当該第３の情報は、アップリンクＳＲ（スケジューリング要求）情報であり、且つ、当該第４の情報は、ＵＬ  Ｇｒａｎｔ（アップリンクグラント）シグナリングであるか、或いは、当該第３の情報は、アップリンクＳＲ（スケジューリング要求）情報であり、且つ、当該第４の情報は、ＲＲＣ（無線リソース制御）シグナリングである。
【０１７７】
本発明の実施例において、オプションとして、当該送信モジュール４１は、当該送信モジュール４１が複数のデータパケットを端末機器に送信する前に、さらに、第５の情報を当該端末機器に送信し、当該第５の情報は、当該端末機器が当該複数のデータパケットの受信状態をフィードバックするためのフィードバック方式を、当該端末機器に示す。
【０１７８】
その中、当該第１のフィードバック情報は、当該第５の情報によって当該端末機器が目標フィードバック方式を採用するように指示される場合に、当該基地局に送信した情報であり、当該目標フィードバック方式は、端末機器によって受信に成功しなかったデータパケットが存在すると確定される場合、当該受信に成功しなかったデータパケットに対して否定確認を行うためのＮＡＣＫ情報のみを含むフィードバック情報を、当該基地局に送信する方式である。
【０１７９】
本発明の実施例において、オプションとして、当該送信モジュール４１は、当該第５のメッセージを当該端末機器に送信する時に、具体的に、当該第５の情報が付加されたＵＬ  Ｇｒａｎｔ（アップリンクグラント）シグナリングを、当該端末機器に送信するか、或いは、当該第５の情報が付加されたＤＬ  Ｇｒａｎｔ（ダウンリンクグラント）シグナリングを、当該端末機器に送信するか、或いは、当該第５の情報が付加されたＲＲＣ（無線リソース制御）シグナリングを、当該端末機器に送信する。
【０１８０】
本発明の実施例に係る基地局は、該当する本発明の実施例のフィードバック情報を伝送する方法１００の流れを参照してもよく、また、当該基地局中の各ユニット／モジュール、および、上記のその他の操作および／または機能は、それぞれ、方法１００中の該当する流れを実現するためのものであり、簡素化のために、ここでは繰り返して説明しない。
【０１８１】
図１２は、本発明の別の実施例に係る基地局を示し、図１２に示したように、基地局５０は、送信モジュール５１と、受信モジュール５２とを備える。
【０１８２】
送信モジュール５１は、データパケットを、端末機器に送信する。
【０１８３】
受信モジュール５２は、該端末機器によって当該データパケットの受信に成功しなかったと確定された際に該端末機器によって送信された第１の情報を受信し、当該第１の情報は、当該基地局が、ＮＡＣＫ（否定確認）情報を伝送するための時間‐周波数リソースを、当該端末機器に割り当てるように、当該基地局に要求し、当該ＮＡＣＫ情報は、当該データパケットに対して否定確認を行うようにする。
【０１８４】
従って、本発明の実施例によると、基地局によって受信された、端末機器が送信した、ＮＡＣＫ情報を伝送するための時間‐周波数リソースを割り当てるように要求するための第１の情報は、端末機器によって基地局が送信したデータパケットの受信に成功しなかったと確定された際に当該端末機器によって送信された第１の情報であることにより、基地局が、ＮＡＣＫ情報を伝送するための時間‐周波数リソースを事前に端末機器に割り当てる必要がなくなり、リソースの浪費を回避し、通信システムのスループットを向上させることができる。
【０１８５】
本発明の実施例において、オプションとして、当該受信モジュール５２は、さらに、当該送信モジュールによって、第２の情報が、当該受信モジュールが当該第１の情報を受信したタイミングから所定の時間帯内で、当該端末機器に送信された場合、当該第２の情報で示された第１の時間‐周波数リソース上で、当該ＮＡＣＫ情報を受信する。
【０１８６】
本発明の実施例において、オプションとして、当該受信モジュール５２は、さらに、当該送信モジュール５１によって、当該第２の情報が、当該受信モジュール５２が当該第１の情報を受信したタイミングから所定の時間帯内で、当該端末機器に送信されなかった場合、第２の時間‐周波数リソース上で、当該ＮＡＣＫ情報を受信し、その中、当該第２の時間‐周波数リソースは、当該基地局が、当該送信モジュール５１がデータパケットを端末機器に送信する前に、当該端末機器に割り当てた、フィードバック情報を伝送するための時間‐周波数リソースであり、当該第２の時間‐周波数リソースは、複数の時間‐周波数リソースであり、当該複数の時間‐周波数リソースの中の隣接する二つの時間‐周波数リソース同士の間の時間間隔は、所定値である。
【０１８７】
本発明の実施例において、オプションとして、当該第１の情報は、アップリンクＳＲ（スケジューリング要求）情報であり、且つ、当該第２の情報は、且つ、ＵＬ  Ｇｒａｎｔ（アップリンクグラント）シグナリングであるか、或いは、当該第１の情報は、アップリンクＳＲ（スケジューリング要求）情報であり、且つ、当該第２の情報は、ＲＲＣ（無線リソース制御）シグナリングである。
【０１８８】
本発明の実施例に係る基地局は、該当する本発明の実施例のフィードバック情報を伝送する方法２００の流れを参照してもよく、また、当該基地局中の各ユニット／モジュール、および、上記のその他の操作および／または機能は、それぞれ、方法２００中の該当する流れを実現するためのものであり、簡素化のために、ここでは繰り返して説明しない。
【０１８９】
図１３は、本発明のさらなる実施例に係る基地局を示し、図１３に示したように、基地局６０は、受信モジュール６１と、確定モジュール６２と、送信モジュール６３とを備える。
【０１９０】
受信モジュール６１は、端末機器によって送信された複数のデータパケットを受信する。
【０１９１】
確定モジュール６２は、当該複数のデータパケットの中に、受信に成功しなかったデータパケットが存在するか否かを確定する。
【０１９２】
送信モジュール６３は、当該確定モジュール６２によって当該複数のデータパケットの中に受信に成功しなかったデータパケットが存在すると確定される場合、当該複数のデータパケットの受信状態をフィードバックするための情報であり、当該受信に成功しなかったデータパケットに対して否定確認を行うためのＮＡＣＫ（否定確認）のみが含まれた情報である、フィードバック情報を、当該端末機器に送信する。
【０１９３】
従って、本発明の実施例に係る基地局が、当該基地局によって、端末機器によって送信された複数のデータパケットの中に受信に成功しなかったデータパケットが存在すると確定される場合、複数のデータパケットの受信状態をフィードバックするための情報であり、受信に成功しなかったデータパケットに対して否定確認を行うためのＮＡＣＫ情報のみを含むフィードバック情報を、端末機器に送信することにより、基地局により、受信に成功したデータパケットに対して、別途の確認情報を端末機器に送信する必要がなくなり、リソースの浪費を回避し、通信システムのスループットを向上させることができる。
【０１９４】
本発明の実施例において、オプションとして、当該ＮＡＣＫ情報中には、識別子情報が付加されており、当該識別子情報は、当該端末機器が、当該識別子情報に基づいて、当該受信に成功しなかったデータパケットを確定するようにし、その中、当該識別子情報は、当該受信モジュールが当該受信に成功しなかったデータパケットを受信する際に占有した無線フレームおよびサブフレームのインデックス情報であるか、或いは、当該識別子情報は、当該受信に成功しなかったデータパケットの番号である。
【０１９５】
本発明の実施例において、オプションとして、当該送信モジュール６３は、フィードバック情報を当該端末機器に送信する時に、具体的に、当該フィードバック情報のみが付加されたダウンリンク制御チャネルを、当該端末機器に送信するか、或いは、当該フィードバック情報およびダウンリンク制御シグナリングが付加されたダウンリンク制御チャネルを、当該端末機器に送信する。
【０１９６】
本発明の実施例に係る基地局は、該当する本発明の実施例のフィードバック情報を伝送する方法３００の流れを参照してもよく、また、当該基地局中の各ユニット／モジュール、および、上記のその他の操作および／または機能は、それぞれ、方法３００中の該当する流れを実現するためのものであり、簡素化のために、ここでは繰り返して説明しない。
【０１９７】
図１４は、本発明のさらなる実施例に係る端末機器を示し、図１４に示したように、端末機器１００は、プロセッサ１１０とトランシーバ１２０とを備え、プロセッサ１１０とトランシーバ１２０とが接続され、オプションとして、当該端末機器１００は、メモリ１３０をさらに備え、メモリ１３０とプロセッサ１１０とが接続され、さらに、オプションとして、当該端末機器１００は、バスシステム１４０を備える。その中、プロセッサ１１０と、メモリ１３０と、トランシーバ１２０とは、バスシステム１４０を介して接続されてもよく、当該メモリ１３０は、命令を記憶し、当該プロセッサ１１０は、当該メモリ１３０に記憶されている命令を実行することによって、トランシーバ１２０の情報送信或いは情報受信を制御する。
【０１９８】
理解すべき点として、本発明の実施例において、当該プロセッサ１１０は、中央処理装置(ＣＰＵ：Ｃｅｎｔｒａｌ  Ｐｒｏｃｅｓｓｉｎｇ  Ｕｎｉｔ)であってもよく、当該プロセッサ１１０は、さらに、他の汎用プロセッサ、デジタル信号プロセッサ(ＤＳＰ)、専用集積回路(ＡＳＩＣ)、既製のプログラマブルゲートアレイ(ＦＰＧＡ)または他のプログラマブルロジックデバイス、ディスクリートゲートまたはトランジスタロジックデバイス、ディスクリートハードウェアコンポーネント等であってもよい。汎用プロセッサは、マイクロプロセッサであってもよく、または、当該プロセッサは、いかなる従来のプロセッサ等であってもよい。
【０１９９】
当該メモリ１３０は、読み出し専用メモリおよびランダムアクセスメモリを含んでもよく、プロセッサ１１０に命令およびデータを提供するように構成される。メモリ１３０の一部は、不揮発性ランダムアクセスメモリをさらに含んでもよい。例えば、メモリ１３０は、さらに、機器タイプの情報を記憶してもよい。
【０２００】
当該バスシステム１３０は、データバス以外に、さらに、電源バス、制御バスおよび状態信号バス等を含んでもよい。しかし、明確に説明するために、図面では各バスをいずれもバスシステム１３０として表記する。
【０２０１】
実現過程において、上記の方法の各ステップは、プロセッサ１１０内のハードウェアの統合論理回路またはソフトウェアの形態の命令によって完了させることができる。本発明の実施例によって開示される方法のステップは、ハードウェアプロセッサによって直接実行されてもよいし、または、プロセッサ内のハードウェアとソフトウェアモジュールとの組み合わせによって実行されてもよい。ソフトウェアモジュールは、ランダムメモリ、フラッシュメモリ、読み出し専用メモリ、プログラム可能読み出し専用メモリまたは電気的消去可能プログラム可能メモリ、レジスタ等の、本分野で熟されている記憶媒体に、記憶されてもよい。当該記憶媒体は、メモリ１３０に配置され、プロセッサ１１０によって、メモリ１３０内の情報を読み取って、ハードウェアと組み合わせて、上記の方法のステップを完了させる。繰り返しを避けるために、ここでは詳細に説明しない。
【０２０２】
その中、当該トランシーバ１２０は、基地局により送信された複数のデータパケットを受信する。
【０２０３】
当該プロセッサ１１０は、当該複数のデータパケットの中に、受信に成功しなかったデータパケットが存在するか否かを確定する。
【０２０４】
当該トランシーバは、さらに、当該プロセッサ１１０によって当該複数のデータパケットの中に受信に成功しなかったデータパケットが存在すると確定される場合、当該複数のデータパケットの受信状態をフィードバックするための情報であり、当該受信に成功しなかったデータパケットに対して否定確認を行うためのＮＡＣＫ（否定確認）情報のみを含む第１のフィードバック情報を、当該基地局に送信する。
【０２０５】
オプションとして、一つの実施例として、当該ＮＡＣＫ情報中には、識別子情報が付加されており、当該識別子情報は、当該基地局が、当該識別子情報に基づいて、当該受信に成功しなかったデータパケットを確定するようにし、その中、当該識別子情報は、当該受信モジュールが当該受信に成功しなかったデータパケットを受信する際に占有した無線フレームおよびサブフレームのインデックス情報であるか、或いは、当該識別子情報は、当該受信に成功しなかったデータパケットの番号である。
【０２０６】
オプションとして、一つの実施例として、当該トランシーバ１２０は、当該トランシーバ１２０が基地局により送信された複数のデータパケットを受信する前に、さらに、当該基地局により送信された第１の情報を受信し、当該第１の情報は、当該基地局が当該端末機器に割り当てた、フィードバック情報を伝送するための第１の時間‐周波数リソースを示し、その中、当該トランシーバ１２０は、当該第１のフィードバック情報を基地局に送信する時に、具体的に、当該第１の時間‐周波数リソース上で、当該第１のフィードバック情報を、当該基地局に送信する。
【０２０７】
オプションとして、一つの実施例として、当該トランシーバ１２０は、さらに、当該基地局により送信された第２の情報を受信し、当該第２の情報は、当該端末機器が、当該トランシーバ１２０による当該複数のデータパケットの中の各データパケットの受信に成功した際に、第１の方式または第２の方式を採用して、当該複数のデータパケットの受信状態を当該基地局にフィードバックするように、当該端末機器に指示し、その中、当該第１の方式は、当該第１の時間‐周波数リソース上で、第２のフィードバック情報を、当該基地局に送信する方式であり、当該第２のフィードバック情報中には、ＡＣＫ（確認）情報が含まれ、当該ＡＣＫ情報は、当該端末機器による当該複数のデータパケットの中の各データパケットの受信に成功したことを、を指示し、当該第２の方式は、当該第１の時間‐周波数リソース上で、フィードバック情報を、当該基地局に送信しない方式である。
【０２０８】
オプションとして、一つの実施例として、当該第１の時間‐周波数リソースは、複数の時間‐周波数リソースであり、当該複数の時間‐周波数リソースの中の隣接する二つの時間‐周波数リソース同士の間の時間間隔は、第１の所定値である。
【０２０９】
オプションとして、一つの実施例として、当該トランシーバ１２０は、さらに、当該第３の情報を基地局に送信し、当該第３の情報は、当該基地局が、当該第１のフィードバック情報を伝送するための時間‐周波数リソースを、当該端末機器に割り当てるように、当該基地局に要求する。
【０２１０】
その中、当該トランシーバ１２０は、当該第１のフィードバック情報を基地局に送信する時に、当該トランシーバ１２０によって、当該基地局により送信された第４の情報が、当該端末機器が当該第３の情報を当該基地局に送信したタイミングから所定の時間帯内で受信された場合、当該第４の情報で示された第２の時間‐周波数リソース上で、当該第１のフィードバック情報を、当該基地局に送信する。
【０２１１】
オプションとして、一つの実施例として、当該トランシーバ１２０は、さらに、当該トランシーバ１２０によって、当該第４の情報が、当該端末機器が当該第３の情報を当該基地局に送信したタイミングから所定の時間帯内で受信されなかった場合、第３の時間‐周波数リソース上で、当該第１のフィードバック情報を、当該基地局に送信し、その中、当該第３の時間‐周波数リソースは、当該基地局が、当該受信器１２０が当該基地局により送信された複数のデータパケットを受信する前に、当該端末機器に割り当てた、フィードバック情報を伝送するための時間‐周波数リソースであり、当該第３の時間‐周波数リソースは、複数の時間‐周波数リソースであり、当該複数の時間‐周波数リソースの中の隣接する二つの時間‐周波数リソース同士の間の時間間隔は、第２の所定値である。
【０２１２】
オプションとして、一つの実施例として、当該第３の情報は、アップリンクＳＲ（スケジューリング要求）情報であり、且つ、当該第４の情報は、ＵＬ  Ｇｒａｎｔ（アップリンクグラント）シグナリングであるか、或いは、当該第３の情報は、アップリンクＳＲ（スケジューリング要求）情報であり、且つ、当該第４の情報は、ＲＲＣ（無線リソース制御）シグナリングである。
【０２１３】
オプションとして、一つの実施例として、当該受信器１２０は、当該受信器１２０が基地局により送信された複数のデータパケットを受信する前に、さらに、当該基地局により送信された第５の情報を受信し、当該第５の情報は、当該端末機器が当該複数のデータパケットの受信状態をフィードバックするためのフィードバック方式を、当該端末機器に示す。
【０２１４】
その中、当該受信器１２０は、当該第１のフィードバック情報を基地局に送信する時に、具体的に、当該第５の情報によって当該端末機器が目標フィードバック方式を採用するように指示される場合に、当該第１のフィードバック情報を、当該基地局に送信し、その中、当該目標フィードバック方式は、端末機器によって受信に成功しなかったデータパケットが存在すると確定される場合、当該受信に成功しなかったデータパケットに対して否定確認を行うためのＮＡＣＫ情報のみを含むフィードバック情報を、当該基地局に送信する方式である。
【０２１５】
オプションとして、一つの実施例として、当該トランシーバ１２０は、当該基地局により送信された第５の情報を受信する時に、具体的に、当該基地局により送信された、当該第５の情報が付加されたＵＬ  Ｇｒａｎｔ（アップリンクグラント）シグナリングを受信するか、或いは、当該基地局により送信された、当該第５の情報が付加されたＤＬ  Ｇｒａｎｔ（ダウンリンクグラント）シグナリングを受信するか、或いは、当該基地局により送信された、当該第５の情報が付加されたＲＲＣ（無線リソース制御）シグナリングを受信する。
【０２１６】
本発明の実施例に係る端末機器は、該当する本発明の実施例の方法１００中の端末機器を参照してもよく、また、端末機器中の各ユニットやモジュール、および、上記のその他の操作および／または機能は、それぞれ、方法１００中の該当する流れを実現するためのものであり、簡素化のために、ここでは繰り返して説明しない。
【０２１７】
本発明の実施例によると、端末機器が、当該端末機器によって基地局によって送信された複数のデータパケットの中に受信に成功しなかったデータパケットが存在すると確定される場合、受信に成功しなかったデータパケットに対して否定確認を行うためのＮＡＣＫ情報のみを含む第１のフィードバック情報を基地局に送信することにより、端末機器が受信に成功したデータパケットに対して別途の確認情報を基地局に送信する必要がないので、リソースの浪費を回避し、通信システムのスループットを向上させることができる。
【０２１８】
または、当該トランシーバ１２０は、基地局により送信されたデータパケットを受信する。
【０２１９】
当該プロセッサ１１０は、当該トランシーバ１２０によって当該データパケットの受信に成功したか否かを確定する。
【０２２０】
当該トランシーバ１２０は、さらに、当該プロセッサ１１０によって当該トランシーバ１２０の当該データパケットの受信に成功しなかったと確定される場合、第１の情報を、当該基地局に送信し、当該第１の情報は、当該基地局が、ＮＡＣＫ（否定確認）情報を伝送するための時間‐周波数リソースを、当該端末機器に割り当てるように、当該基地局に要求し、当該ＮＡＣＫ情報は、当該データパケットに対して否定確認を行うようにする。
【０２２１】
オプションとして、一つの実施例として、当該トランシーバ１２０は、さらに、当該トランシーバ１２０によって、当該基地局により送信された第２の情報が、当該トランシーバ１２０が当該第１の情報を当該基地局に送信したタイミングから所定の時間帯内で受信された場合、当該第２の情報で示された第１の時間‐周波数リソース上で、当該ＮＡＣＫ情報を、当該基地局に送信する。
【０２２２】
オプションとして、一つの実施例として、当該トランシーバ１２０は、さらに、当該トランシーバ１２０によって、当該第２の情報が、当該トランシーバ１２０が当該第１の情報を当該基地局に送信したタイミングから所定の時間帯内で受信されなかった場合、第２の時間‐周波数リソース上で、当該ＮＡＣＫ情報を、当該基地局に送信し、その中、当該第２の時間‐周波数リソースは、当該基地局が、当該トランシーバ１２０が当該データパケットを受信する前に、当該端末機器に割り当てた、フィードバック情報を伝送するための時間‐周波数リソースであり、当該第２の時間‐周波数リソースは、複数の時間‐周波数リソースであり、当該複数の時間‐周波数リソースの中の隣接する二つの時間‐周波数リソース同士の間の時間間隔は、所定値である。
【０２２３】
オプションとして、一つの実施例として、当該第１の情報は、アップリンクＳＲ（スケジューリング要求）情報であり、且つ、当該第２の情報は、且つ、ＵＬ  Ｇｒａｎｔ（アップリンクグラント）シグナリングであるか、或いは、当該第１の情報は、アップリンクＳＲ（スケジューリング要求）情報であり、且つ、当該第２の情報は、ＲＲＣ（無線リソース制御）シグナリングである。
【０２２４】
本発明の実施例に係る端末機器は、該当する本発明の実施例の方法２００中の端末機器を参照してもよく、また、端末機器中の各ユニットやモジュール、および、上記のその他の操作および／または機能は、それぞれ、方法２００中の該当する流れを実現するためのものであり、簡素化のために、ここでは繰り返して説明しない。
【０２２５】
本発明の実施例によると、端末機器が、当該端末機器によって基地局が送信したデータパケットの受信に成功しなかったと確定される場合、当該データパケットに対して否定確認を行うためのＮＡＣＫ情報を伝送するための時間‐周波数リソースを基地局に申請するため、基地局が、ＮＡＣＫ情報を伝送するための時間‐周波数リソースを事前に端末機器に割り当てる必要がなくなり、端末機器が受信に成功したデータパケットをフィードバックする必要もなくなることにより、リソースの浪費を回避し、通信システムのスループットを向上させることができる。
【０２２６】
または、当該トランシーバ１２０は、複数のデータパケットを基地局に送信する。
【０２２７】
当該トランシーバ１２０は、さらに、当該基地局によって当該複数のデータパケットの中に受信に成功しなかったデータパケットが存在すると確定された際に当該基地局により送信された情報であって、当該複数のデータパケットの受信状態をフィードバックするための情報であり、当該受信に成功しなかったデータパケットに対して否定確認を行うためのＮＡＣＫ（否定確認）のみが含まれた情報である、フィードバック情報を受信する。
【０２２８】
当該プロセッサ１１０は、当該ＮＡＣＫ情報に基づいて、当該受信に成功しなかったデータパケットを確定する。
【０２２９】
当該トランシーバ１２０は、さらに、当該受信に成功しなかったデータパケットを、当該基地局に再送信する。
【０２３０】
オプションとして、一つの実施例として、当該ＮＡＣＫ情報中には、識別子情報が付加されており、当該識別子情報は、当該基地局が当該受信に成功しなかったデータパケットを受信する際に占有した無線フレームおよびサブフレームのインデックス情報であるか、或いは、当該識別子情報は、当該受信に成功しなかったデータパケットの番号である。
【０２３１】
その中、当該プロセッサ１２０は、当該ＮＡＣＫ情報に基づいて当該受信に成功しなかったデータパケットを確定する時に、具体的に、当該識別子情報に基づいて、当該受信に成功しなかったデータパケットを確定する。
【０２３２】
オプションとして、一つの実施例として、当該トランシーバ１２０は、当該基地局によって当該複数のデータパケットの中に受信に成功しなかったデータパケットが存在すると確定された際に当該基地局により送信されたフィードバック情報を受信する時に、具体的に、当該基地局により送信された、当該フィードバック情報のみが付加されたダウンリンク制御チャネルを受信か、或いは、当該基地局により送信された、当該フィードバック情報およびダウンリンク制御シグナリングが付加されたダウンリンク制御チャネルを受信する。
【０２３３】
本発明の実施例に係る端末機器は、該当する本発明の実施例の方法３００中の端末機器を参照してもよく、また、端末機器中の各ユニットやモジュール、および、上記のその他の操作および／または機能は、それぞれ、方法３００中の該当する流れを実現するためのものであり、簡素化のために、ここでは繰り返して説明しない。
【０２３４】
本発明の実施例によると、端末機器によって受信された、基地局が送信したフィードバック情報は、基地局が、当該基地局によって、端末機器によって送信された複数のデータパケットの中に受信に成功しなかったデータパケットが存在すると確定された際に、送信したフィードバック情報であり、また、フィードバック情報中には、受信に成功しなかったデータパケットに対して否定確認を行うためのＮＡＣＫ情報のみが含まれることにより、基地局により、受信に成功したデータパケットに対して、別途の確認情報を端末機器に送信する必要がなくなり、リソースの浪費を回避し、通信システムのスループットを向上させることができる。
【０２３５】
図１５は、本発明のさらなる実施例に係る基地局を概略的に示すフロック図であり、図１５に示したように、基地局２００は、プロセッサ２１０とトランシーバ２２０とを備え、プロセッサ２１０とトランシーバ２２０とが接続され、オプションとして、当該端末機器２００は、メモリ２３０をさらに備え、メモリ２３０とプロセッサ２１０とが接続され、さらに、オプションとして、当該端末機器２００は、バスシステム２４０を備える。その中、プロセッサ２１０と、メモリ２３０と、トランシーバ２２０とは、バスシステム２４０を介して接続されてもよく、当該メモリ２３０は、命令を記憶し、当該プロセッサ２１０は、当該メモリ２３０に記憶されている命令を実行することによって、トランシーバ２２０の情報送信或いは情報受信を制御する。
【０２３６】
理解すべき点として、本発明の実施例において、当該プロセッサ２１０は、中央処理装置(ＣＰＵ：Ｃｅｎｔｒａｌ  Ｐｒｏｃｅｓｓｉｎｇ  Ｕｎｉｔ)であってもよく、当該プロセッサ２１０は、さらに、他の汎用プロセッサ、デジタル信号プロセッサ(ＤＳＰ)、専用集積回路(ＡＳＩＣ)、既製のプログラマブルゲートアレイ(ＦＰＧＡ)または他のプログラマブルロジックデバイス、ディスクリートゲートまたはトランジスタロジックデバイス、ディスクリートハードウェアコンポーネント等であってもよい。汎用プロセッサは、マイクロプロセッサであってもよく、または、当該プロセッサは、いかなる従来のプロセッサ等であってもよい。
【０２３７】
当該メモリ２３０は、読み出し専用メモリおよびランダムアクセスメモリを含んでもよく、プロセッサ２１０に命令およびデータを提供するように構成される。メモリ２３０の一部は、不揮発性ランダムアクセスメモリをさらに含んでもよい。例えば、メモリ２３０は、さらに、機器タイプの情報を記憶してもよい。
【０２３８】
当該バスシステム２３０は、データバス以外に、さらに、電源バス、制御バスおよび状態信号バス等を含んでもよい。しかし、明確に説明するために、図面では各バスをいずれもバスシステム２３０として表記する。
【０２３９】
実現過程において、上記の方法の各ステップは、プロセッサ２１０内のハードウェアの統合論理回路またはソフトウェアの形態の命令によって完了させることができる。本発明の実施例によって開示される方法のステップは、ハードウェアプロセッサによって直接実行されてもよいし、または、プロセッサ内のハードウェアとソフトウェアモジュールとの組み合わせによって実行されてもよい。ソフトウェアモジュールは、ランダムメモリ、フラッシュメモリ、読み出し専用メモリ、プログラム可能読み出し専用メモリまたは電気的消去可能プログラム可能メモリ、レジスタ等の、本分野で熟されている記憶媒体に、記憶されてもよい。当該記憶媒体は、メモリ２３０に配置され、プロセッサ２１０によって、メモリ２３０内の情報を読み取って、ハードウェアと組み合わせて、上記の方法のステップを完了させる。繰り返しを避けるために、ここでは詳細に説明しない。
【０２４０】
その中、当該トランシーバ２２０は、複数のデータパケットを、端末機器に送信する。
【０２４１】
当該トランシーバ２２０は、さらに、当該端末機器によって当該複数のデータパケットの中に受信に成功しなかったデータパケットが存在すると確定された際に当該端末機器によって送信された情報であって、当該複数のデータパケットの受信状態をフィードバックするための情報であり、当該受信に成功しなかったデータパケットに対して否定確認を行うためのＮＡＣＫ（否定確認）情報のみを含む第１のフィードバック情報を受信する。
【０２４２】
当該プロセッサ２１０は、当該ＮＡＣＫ情報に基づいて、当該受信に成功しなかったデータパケットを確定する。
【０２４３】
当該トランシーバ２２０は、さらに、当該受信に成功しなかったデータパケットを、当該端末機器に再送信する。
【０２４４】
オプションとして、一つの実施例として、当該ＮＡＣＫ情報中には、識別子情報が付加されており、当該識別子情報は、当該端末機器が当該受信に成功しなかったデータパケットを受信する際に占有した無線フレームおよびサブフレームのインデックス情報であるか、或いは、当該識別子情報は、当該受信に成功しなかったデータパケットの番号である。
【０２４５】
その中、当該プロセッサ２１０は、当該ＮＡＣＫ情報に基づいて当該受信に成功しなかったデータパケットを確定する時に、具体的に、当該識別子情報に基づいて、当該受信に成功しなかったデータパケットを確定する。
【０２４６】
オプションとして、一つの実施例として、当該トランシーバ２２０は、当該トランシーバ２２０が複数のデータパケットを当該端末機器に送信する前に、さらに、第１の情報を当該端末機器に送信し、当該第１の情報は、当該基地局が当該端末機器に割り当てた、フィードバック情報を伝送するための第１の時間‐周波数リソースを示し、その中、当該トランシーバ２２０は、当該端末機器によって当該複数のデータパケットの中に受信に成功しなかったデータパケットが存在すると確定された際に当該端末機器によって送信された第１のフィードバック情報を受信する時に、具体的に、当該第１の時間‐周波数リソース上で、当該第１のフィードバック情報を受信する。
【０２４７】
オプションとして、一つの実施例として、当該トランシーバ２２０は、さらに、第２の情報を当該端末機器に送信し、当該第２の情報は、当該端末機器が、当該端末機器による当該複数のデータパケットの中の各データパケットの受信に成功した際に、第１の方式または第２の方式を採用して、当該複数のデータパケットの受信状態を当該基地局にフィードバックするように、当該端末機器に指示し、その中、当該第１の方式は、当該第１の時間‐周波数リソース上で、第２のフィードバック情報を、当該基地局に送信する方式であり、当該第２のフィードバック情報中には、ＡＣＫ（確認）情報が含まれ、当該ＡＣＫ情報は、当該端末機器による当該複数のデータパケットの中の各データパケットの受信に成功したことを、を指示し、当該第２の方式は、当該第１の時間‐周波数リソース上で、フィードバック情報を、当該基地局に送信しない方式である。
【０２４８】
オプションとして、一つの実施例として、当該第１の時間‐周波数リソースは、複数の時間‐周波数リソースであり、当該複数の時間‐周波数リソースの中の隣接する二つの時間‐周波数リソース同士の間の時間間隔は、第１の所定値である。
【０２４９】
オプションとして、一つの実施例として、当該トランシーバ２２０は、さらに、当該端末機器が送信した第３の情報を受信し、当該第３の情報は、当該基地局が、当該第１のフィードバック情報を伝送するための時間‐周波数リソースを、当該端末機器に割り当てるように、当該基地局に要求し、その中、当該トランシーバ２１０は、当該端末機器によって当該複数のデータパケットの中に受信に成功しなかったデータパケットが存在すると確定された際に当該端末機器によって送信された第１のフィードバック情報を受信する時に、具体的に、当該トランシーバ２２０によって、第４の情報が、当該トランシーバ２２０が当該第３の情報を受信したタイミングから所定の時間帯内で、当該端末機器に送信された場合、当該第４の情報で示された第２の時間‐周波数リソース上で、当該第１のフィードバック情報を受信する。
【０２５０】
オプションとして、一つの実施例として、当該トランシーバ２２０は、さらに、当該トランシーバ２２０によって、当該第４の情報が、当該トランシーバ２２０が当該第３の情報を受信したタイミングから所定の時間帯内で、当該端末機器に送信されなかった場合、第３の時間‐周波数リソース上で、当該第１のフィードバック情報を受信し、その中、当該第３の時間‐周波数リソースは、当該基地局が、当該基地局が複数のデータパケットを端末機器に送信する前に、当該端末機器に割り当てた、フィードバック情報を伝送するための時間‐周波数リソースであり、当該第３の時間‐周波数リソースは、複数の時間‐周波数リソースであり、当該複数の時間‐周波数リソースの中の隣接する二つの時間‐周波数リソース同士の間の時間間隔は、第２の所定値である。
【０２５１】
オプションとして、一つの実施例として、当該第３の情報は、アップリンクＳＲ（スケジューリング要求）情報であり、且つ、当該第４の情報は、ＵＬ  Ｇｒａｎｔ（アップリンクグラント）シグナリングであるか、或いは、当該第３の情報は、アップリンクＳＲ（スケジューリング要求）情報であり、且つ、当該第４の情報は、ＲＲＣ（無線リソース制御）シグナリングである。
【０２５２】
オプションとして、一つの実施例として、当該トランシーバ２２０は、当該トランシーバ２２０が複数のデータパケットを端末機器に送信する前に、さらに、第５の情報を当該端末機器に送信し、当該第５の情報は、当該端末機器が当該複数のデータパケットの受信状態をフィードバックするためのフィードバック方式を、当該端末機器に示し、その中、当該第１のフィードバック情報は、当該第５の情報によって当該端末機器が目標フィードバック方式を採用するように指示される場合に、当該基地局に送信した情報であり、当該目標フィードバック方式は、端末機器によって受信に成功しなかったデータパケットが存在すると確定される場合、当該受信に成功しなかったデータパケットに対して否定確認を行うためのＮＡＣＫ情報のみを含むフィードバック情報を、当該基地局に送信する方式である。
【０２５３】
オプションとして、一つの実施例として、当該トランシーバ２２０は、当該第５のメッセージを当該端末機器に送信する時に、具体的に、当該第５の情報が付加されたＵＬ  Ｇｒａｎｔ（アップリンクグラント）シグナリングを、当該端末機器に送信するか、或いは、当該第５の情報が付加されたＤＬ  Ｇｒａｎｔ（ダウンリンクグラント）シグナリングを、当該端末機器に送信するか、或いは、当該第５の情報が付加されたＲＲＣ（無線リソース制御）シグナリングを、当該端末機器に送信する。
【０２５４】
本発明の実施例に係る基地局は、該当する本発明の実施例の方法１００中の基地局を参照してもよく、また、基地局中の各ユニットやモジュール、および、上記のその他の操作および／または機能は、それぞれ、方法１００中の該当する流れを実現するためのものであり、簡素化のために、ここでは繰り返して説明しない。
【０２５５】
本発明の実施例によると、基地局が、複数のデータパケットを端末機器に送信した後に、端末機器によって送信された、複数のデータパケットの中の受信に成功しなかったデータパケットに対して否定確認を行うためのＮＡＣＫ情報のみを含む第１のフィードバック情報を受信することにより、基地局が、端末機器によって受信に成功したデータパケットに対して送信された確認情報を受信しないので、リソースの浪費を回避し、通信システムのスループットを向上させることができる。
【０２５６】
または、当該トランシーバ２２０は、データパケットを、端末機器に送信する。
【０２５７】
当該トランシーバ２２０は、さらに、該端末機器によって当該データパケットの受信に成功しなかったと確定された際に該端末機器によって送信された第１の情報を受信し、当該第１の情報は、当該基地局が、ＮＡＣＫ（否定確認）情報を伝送するための時間‐周波数リソースを、当該端末機器に割り当てるように、当該基地局に要求し、当該ＮＡＣＫ情報は、当該データパケットに対して否定確認を行うようにする。
【０２５８】
オプションとして、一つの実施例として、当該トランシーバ２２０は、さらに、当該トランシーバ２２０によって、第２の情報が、当該トランシーバ２２０が当該第１の情報を受信したタイミングから所定の時間帯内で、当該端末機器に送信された場合、当該第２の情報で示された第１の時間‐周波数リソース上で、当該ＮＡＣＫ情報を受信する。
【０２５９】
オプションとして、一つの実施例として、当該トランシーバ２２０は、さらに、当該トランシーバ２２０によって、当該第２の情報が、当該トランシーバ２２０が当該第１の情報を受信したタイミングから所定の時間帯内で、当該端末機器に送信されなかった場合、第２の時間‐周波数リソース上で、当該ＮＡＣＫ情報を受信し、その中、当該第２の時間‐周波数リソースは、当該基地局が、当該送信モジュールがデータパケットを端末機器に送信する前に、当該端末機器に割り当てた、フィードバック情報を伝送するための時間‐周波数リソースであり、当該第２の時間‐周波数リソースは、複数の時間‐周波数リソースであり、当該複数の時間‐周波数リソースの中の隣接する二つの時間‐周波数リソース同士の間の時間間隔は、所定値である。
【０２６０】
オプションとして、一つの実施例として、当該第１の情報は、アップリンクＳＲ（スケジューリング要求）情報であり、且つ、当該第２の情報は、且つ、ＵＬ  Ｇｒａｎｔ（アップリンクグラント）シグナリングであるか、或いは、当該第１の情報は、アップリンクＳＲ（スケジューリング要求）情報であり、且つ、当該第２の情報は、ＲＲＣ（無線リソース制御）シグナリングである。
【０２６１】
本発明の実施例に係る基地局は、該当する本発明の実施例の方法２００中の基地局を参照してもよく、また、基地局中の各ユニットやモジュール、および、上記のその他の操作および／または機能は、それぞれ、方法２００中の該当する流れを実現するためのものであり、簡素化のために、ここでは繰り返して説明しない。
【０２６２】
本発明の実施例によると、基地局によって受信された、端末機器が送信した、ＮＡＣＫ情報を伝送するための時間‐周波数リソースを割り当てるように要求するための第１の情報は、端末機器によって基地局が送信したデータパケットの受信に成功しなかったと確定された際に当該端末機器によって送信された第１の情報であることにより、基地局が、ＮＡＣＫ情報を伝送するための時間‐周波数リソースを事前に端末機器に割り当てる必要がなくなり、リソースの浪費を回避し、通信システムのスループットを向上させることができる。
【０２６３】
または、当該トランシーバ２２０は、端末機器によって送信された複数のデータパケットを受信する。
【０２６４】
当該プロセッサ２１０は、当該複数のデータパケットの中に、受信に成功しなかったデータパケットが存在するか否かを確定する。
【０２６５】
当該トランシーバ２２０は、当該プロセッサ２１０によって当該複数のデータパケットの中に受信に成功しなかったデータパケットが存在すると確定される場合、当該複数のデータパケットの受信状態をフィードバックするための情報であり、当該受信に成功しなかったデータパケットに対して否定確認を行うためのＮＡＣＫ（否定確認）のみが含まれた情報である、フィードバック情報を、当該端末機器に送信する。
【０２６６】
オプションとして、一つの実施例として、当該ＮＡＣＫ情報中には、識別子情報が付加されており、当該識別子情報は、当該端末機器が、識別子情報に基づいて、当該受信に成功しなかったデータパケットを確定するようにし、その中、当該識別子情報は、当該トランシーバ２２０が当該受信に成功しなかったデータパケットを受信する際に占有した無線フレームおよびサブフレームのインデックス情報であるか、或いは、当該識別子情報は、当該受信に成功しなかったデータパケットの番号である。
【０２６７】
オプションとして、一つの実施例として、当該トランシーバ２２０は、フィードバック情報を当該端末機器に送信する時に、具体的に、当該フィードバック情報のみが付加されたダウンリンク制御チャネルを、当該端末機器に送信するか、或いは、当該フィードバック情報およびダウンリンク制御シグナリングが付加されたダウンリンク制御チャネルを、当該端末機器に送信する。
【０２６８】
本発明の実施例に係る基地局は、該当する本発明の実施例の方法３００中の基地局を参照してもよく、また、基地局中の各ユニットやモジュール、および、上記のその他の操作および／または機能は、それぞれ、方法３００中の該当する流れを実現するためのものであり、簡素化のために、ここでは繰り返して説明しない。
【０２６９】
本発明の実施例に係る基地局は、当該基地局によって、端末機器によって送信された複数のデータパケットの中に受信に成功しなかったデータパケットが存在すると確定される場合、複数のデータパケットの受信状態をフィードバックするための情報であり、受信に成功しなかったデータパケットに対して否定確認を行うためのＮＡＣＫ情報のみを含むフィードバック情報を、端末機器に送信することにより、基地局により、受信に成功したデータパケットに対して、別途の確認情報を端末機器に送信する必要がなくなり、リソースの浪費を回避し、通信システムのスループットを向上させることができる。
【０２７０】
理解すべき点として、明細書を通じて言及された「一つの実施例」または「一実施例」は、実施例に関連する特定の特徴、構成または特性が、本発明の少なくとも一つ実施例中に含まれることを意味する。従って、明細書を通じて様々なところで現れた「一つの実施例において」または「一実施例において」は、必ずとして同一の実施例を指さない。なお、これら特定の特徴、構成または特性は、いかなる適当な方式によって、一つまたは複数の実施例と組み合わせられてもよい。
【０２７１】
理解すべき点として、本願における用語である「および/または」は、単なる関連対象の対応関係を説明するだけであり、３つの関係が存在することを表すことができ、例えば、Ａおよび/またはＢは、Ａのみが存在する場合と、ＡおよびＢの両方とも存在する場合と、Ｂのみが存在する場合とを表すことができる。また、本願における文字「／」は、概して前後関連対象間の「または」という関係を表している。
【０２７２】
理解すべき点として、本発明の各実施例において、上記の各過程の番号は、実施の前後順序を意味せず、各過程の実施順序は、その機能および自身の組み込みロジックによって確定されるべきであり、本発明の実施例の実施過程を制限するものになるわけではない。
【０２７３】
当業者であれば理解できるように、本願に開示されている実施例と関係させて説明されている各方法ステップおよびユニットを参照し、電子ハードウェア、またはコンピュータソフトウェアと電子ハードウェアの組み合わせによって実現することができる。上記の説明では、ハードウェアとソフトウェアとの互換性を明確に示すために、既に、機能に従って、各実施例のステップおよび構成を、一般的に説明した。これらの機能をハードウェアの形式で実施するかそれともソフトウェアの形式で実施するかについては、技術案の特定応用および設計上の制限となる条件に依存する。当業者は、各特定応用に応じて異なる方法を用いて、説明されている機能を実現することができるが、このような実現は本発明の範囲を超えていると見なすべきではない。
【０２７４】
本願で開示した実施例を参照しながら説明した方法またはステップは、ハードウェア、プロセッサによって実行するソフトウェアプログラム、または、両者の組み合わせによって、実施できる。ソフトウェアプログラムは、ランダムアクセス記憶装置（ＲＡＭ：Ｒａｎｄｏｍ  Ａｃｃｅｓｓ  Ｍｅｍｏｒｙ）、メモリ、読み取り専用メモリ（ＲＯＭ：Ｒｅａｄ−Ｏｎｌｙ  Ｍｅｍｏｒｙ）、電気的にプログラム可能な読み出し専用メモリ(ＥＰＲＯＭ：Ｅｌｅｃｔｒｉｃａｌｌｙ  Ｐｒｏｇｒａｍｍａｂｌｅ  Ｒｅａｄ−Ｏｎｌｙ  Ｍｅｍｏｒｙ)、電気的に消去可能なプログラム可能な読み出し専用メモリ(ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌy  Ｍｅｍｏｒｙ)、レジスタ、ハードディスク、リムーバブルディスク、コンパクトディスク読み取り専用メモリ(ＣＤ−ＲＯＭ：Ｃｏｍｐａｃｔ  Ｄｉｓｃ  Ｒｅａｄ−Ｏｎｌｙ  Ｍｅｍｏｒｙ)、または、当該分野で公知の他の形態の記憶媒体に、記憶されていてもよい。
【０２７５】
本願に提供されている幾つかの実施例において、開示されているシステム、装置および方法は、その他の方式で実現されてもよい。例えば、上記に記載されている装置の実施例は単なる例示的なものに過ぎず、例えば、前記ユニットの分け方が、単なるロジック的な機能分けであり、実際、実現する時に他の分け方があってもよく、例えば、複数のユニットまたはコンポーネントを別のシステムへ統合、または集成してもよく、または幾つかの技術特徴を省略、または実施しなくてもよい。
【０２７６】
上記で分離コンポーネントとして説明したユニットは、物理的に分離されるものであってもよく、そうではないものであってもよい。ユニットとして示されるコンポーネントは物理ユニットであってもよく、そうではないものであってもよい。一箇所に配置されてもよく、複数のネットワークユニットに配置してもよい。実際のニーズに応じて、その中の一部または全部のユニットを選択して本実施例の技術案の目的を実現してもよい。
【０２７７】
また、本発明の各実施例における各機能ユニットは、一つの処理ユニットに統合してもよく、各ユニットはそれぞれ単独なユニットとしてもよく、二つまたは二つ以上のユニットを一つのユニットに統合してもよい。
【０２７８】
図面および好ましい実施例を参照しながら本発明について詳細に説明したが、本発明はこれらに限定されない。当業者であれば、本発明の精神および実質から逸脱することなく、本発明の実施例に対して様々な均等変更および置換を行うことができるが、これら変更および置換はすべて本発明の範囲に属するものと了解される。
【図１】
2019527953.tif 000003
【図２】
2019527953.tif 000004
【図３】
2019527953.tif 000005
【図４】
2019527953.tif 000006
【図５】
2019527953.tif 000007
【図６】
2019527953.tif 000008
【図７】
2019527953.tif 000009
【図８】
2019527953.tif 000010
【図９】
2019527953.tif 000011
【図１０】
2019527953.tif 000012
【図１１】
2019527953.tif 000013
【図１２】
2019527953.tif 000014
【図１３】
2019527953.tif 000015
【図１４】
2019527953.tif 000016
【図１５】
2019527953.tif 000017
【手続補正書】
【提出日】平成31年2月4日(2019.2.4)
【手続補正１】
【補正対象書類名】明細書
【補正対象項目名】００１５
【補正方法】変更
【補正の内容】
【００１５】
端末機器が、フィードバック情報を基地局に送信する必要がある場合に、フィードバック情報を伝送するための時間‐周波数リソースを、先に基地局に申請し、申請に成功すると、当該端末機器が、申請された時間‐周波数リソース上で、フィードバック情報を基地局に送信し、申請に失敗すると、当該端末機器が、基地局が事前に当該端末機器に割り当てた時間‐周波数リソース上で、フィードバック情報を基地局に送信することにより、通信システムの性能を向上させることができる。
【手続補正２】
【補正対象書類名】明細書
【補正対象項目名】００３９
【補正方法】変更
【補正の内容】
【００３９】
第４の態様の第８の実現可能な方式によれば、第４の態様の第９の実現可能な方式において、当該基地局が、第５の情報を、当該端末機器に送信するステップは、当該基地局が、当該第５の情報が付加されたＵＬ  Ｇｒａｎｔ（アップリンクグラント）シグナリングを、当該端末機器に送信するステップを含むか、或いは、当該基地局が、当該第５の情報が付加されたＤＬ  Ｇｒａｎｔ（ダウンリンクグラント）シグナリングを、当該端末機器に送信するステップを含むか、或いは、当該基地局が、当該第５の情報が付加されたＲＲＣ（無線リソース制御）シグナリングを、当該端末機器に送信するステップを含む。
【手続補正３】
【補正対象書類名】明細書
【補正対象項目名】００４１
【補正方法】変更
【補正の内容】
【００４１】
従って、本願の一実施例のフィードバック情報を伝送する方法によると、基地局によって受信された、端末機器が送信した、ＮＡＣＫ情報を伝送するための時間‐周波数リソースを割り当てるように要求するための第１の情報は、端末機器によって基地局が送信したデータパケットの受信に成功しなかったと確定される際に端末機器によって送信された第１の情報であることにより、基地局が、ＮＡＣＫ情報を伝送するための時間‐周波数リソースを事前に端末機器に割り当てる必要がなくなり、リソースの浪費を回避し、通信システムのスループットを向上させることができる。
【手続補正４】
【補正対象書類名】明細書
【補正対象項目名】００４６
【補正方法】変更
【補正の内容】
【００４６】
従って、本願の一実施例のフィードバック情報を伝送する方法によると、基地局が、当該基地局によって、端末機器によって送信された複数のデータパケットの中に受信に成功しなかったデータパケットが存在すると確定される場合、複数のデータパケットの受信状態をフィードバックするための情報であり、受信に成功しなかったデータパケットに対して否定確認を行うためのＮＡＣＫ情報のみを含むフィードバック情報を、端末機器に送信することにより、基地局により、受信に成功したデータパケットに対して、別途の確認情報を端末機器に送信する必要がなくなり、リソースの浪費を回避し、通信システムのスループットを向上させることができる。
【手続補正５】
【補正対象書類名】明細書
【補正対象項目名】００７４
【補正方法】変更
【補正の内容】
【００７４】
一実施例において、図１では、基地局と端末機器とが位置する無線通信システムは、ネットワークコントローラ、移動管理実体等のその他のネットワーク実体が含まれてもよく、本発明の実施例はこれに限定されない。
【手続補正６】
【補正対象書類名】明細書
【補正対象項目名】００８０
【補正方法】変更
【補正の内容】
【００８０】
一実施例において、図３に示した方法１００は、Ｓ１４０〜Ｓ１５０をさらに含む。
【手続補正７】
【補正対象書類名】明細書
【補正対象項目名】００８５
【補正方法】変更
【補正の内容】
【００８５】
本発明の一実施例において、端末機器は、これら複数のデータパケットの受信が完了された後に、各データパケットに対して復調および／またはデコードを行って、複数のデータパケットの中の受信に成功しなかったデータパケットを確定してもよいし、さらに、端末機器は、当該端末機器によって当該複数のデータパケットの受信が完了されるまでに、一つのデータパケットが受信される度に、当該データパケットに対して復調および／またはデコードを行って、当該データパケットの受信に成功したか否かを確定し、また、当該複数のデータパケットの中に受信に成功しなかったデータパケットが存在すると確定される場合、これら複数のデータパケットの受信状態を基地局に送信してフィードバックしてもよい。
【手続補正８】
【補正対象書類名】明細書
【補正対象項目名】００８６
【補正方法】変更
【補正の内容】
【００８６】
一実施例において、Ｓ１３０での情報中には、識別子情報が付加されており、基地局は、当該識別子情報に基づいて受信に成功しなかったデータパケットを確定する。当該識別子情報は、端末機器が当該受信に成功しなかったデータパケットを受信する際に占有した無線フレームおよびサブフレームのインデックス情報であり、無線フレームおよびサブフレームのインデックス情報は、例えば、無線フレームの番号およびサブフレームの番号であってもよい。或いは、識別子情報は、当該受信に成功しなかったデータパケットの番号であってもよい。
【手続補正９】
【補正対象書類名】明細書
【補正対象項目名】００８７
【補正方法】変更
【補正の内容】
【００８７】
一実施例において、ダウンリンク伝送過程で、基地局は、当該基地局が複数のデータパケットを端末機器に送信する前に、所定の時間‐周波数位置のアップリンク伝送リソースを端末機器に割り当て、また、これら所定の時間‐周波数位置のアップリンク伝送リソースを指示するための第１の情報を、端末機器に送信する。端末機器は、これら所定の位置のアップリンク伝送リソースを利用して、第１のフィードバック情報を伝送する。また、このような実現方式において、基地局は、第２の情報を端末機器に送信してもよく、ここで、第２の情報は、端末が、当該端末によって当該複数のデータパケットの中の各データパケットの受信に成功した際に、第１の方式または第２の方式を採用して、基地局に当該複数のデータパケットの受信状態をフィードバックするように、当該端末に指示し、その中、第１の方式は、当該所定の時間‐周波数位置のアップリンク伝送リソース上で第２のフィードバック情報を伝送する方式であり、当該第２のフィードバック情報中には、ＡＣＫ情報が含まれており、当該ＡＣＫ情報は、当該端末機器による当該複数のデータパケットの中の各データパケットの受信に成功したことを指示し、第２の方式は、当該所定の時間‐周波数リソース位置のアップリンク伝送リソース上で基地局にフィードバック情報を送信しない方式である。
【手続補正１０】
【補正対象書類名】明細書
【補正対象項目名】００９１
【補正方法】変更
【補正の内容】
【００９１】
本発明の一実施例において、端末機器は、当該端末機器によって当該複数のデータパケットの中に受信に成功しなかったデータパケットがあると確定される場合、第３の情報を基地局に送信し、当該第３の情報は、基地局が、当該第１のフィードバック情報を伝送するための時間‐周波数リソースを、端末機器に割り当てるように、当該基地局に要求し、端末機器は、端末機器によって、基地局により送信された第４の情報が、端末機器が当該第３の情報を基地局に送信したタイミングから所定の時間帯内で受信された場合、第４の情報で示された第２の時間‐周波数リソース上で、当該第１のフィードバック情報を基地局に送信する。
【手続補正１１】
【補正対象書類名】明細書
【補正対象項目名】００９３
【補正方法】変更
【補正の内容】
【００９３】
本発明の一実施例において、端末機器は、当該端末機器によって当該複数のデータパケットの中に受信に成功しなかったデータパケットがあると確定される場合、第３の情報を基地局に送信し、当該第３の情報は、基地局が、当該第１のフィードバック情報を伝送するための時間‐周波数リソースを、端末機器に割り当てるように、当該基地局に要求し、当該端末機器は、当該端末機器によって、基地局により送信された第４の情報が、当該第３の情報を基地局に送信したタイミングから所定の時間帯内で受信されなかった場合、第３の時間‐周波数リソース上で、当該第１のフィードバック情報を基地局に送信し、その中、当該第３の時間‐周波数リソースは、基地局が、端末機器が基地局により送信された複数のデータパケットを受信する前に、端末機器に割り当てた、フィードバック情報を伝送するための時間‐周波数リソースであり、当該第３の時間‐周波数リソースは、複数の時間‐周波数リソースであり、当該複数の時間‐周波数リソースの中の隣接する二つの時間‐周波数リソース同士の間の時間間隔は、第２の所定値である。
【手続補正１２】
【補正対象書類名】明細書
【補正対象項目名】００９６
【補正方法】変更
【補正の内容】
【００９６】
本発明の一実施例において、図５に示したように、方法１００は、Ｓ１１０の前に、Ｓ１６０をさらに含む。
【手続補正１３】
【補正対象書類名】明細書
【補正対象項目名】００９８
【補正方法】変更
【補正の内容】
【００９８】
これに応じて、Ｓ１３０においては、具体的に、端末機器が、第５の情報が端末機器に目標フィードバック方式を採用するように指示すると、第１のフィードバック情報を基地局に送信し、その中、当該目標フィードバック方式は、端末機器によって受信に成功しなかったデータパケットが存在すると確定される場合、受信に成功しなかったデータパケットに対して否定確認を行うためのＮＡＣＫ情報のみを含むフィードバック情報を基地局に送信する方式である。
【手続補正１４】
【補正対象書類名】明細書
【補正対象項目名】００９９
【補正方法】変更
【補正の内容】
【００９９】
一実施例において、基地局は、当該基地局が第５の情報を端末機器に送信する前に、端末機器が採用する必要があるフィードバック方式を確定する。具体的に、基地局は、チャネル状態またはサービス伝送特性に基づいて、端末機器が採用する必要があるフィードバック方式を、確定する。例えば、基地局は、当該基地局によってチャネル状態が良好であり(大量のデータパケットを伝送してこそ、１回の伝送エラーが発生する)、また、データ量が大きいと確定される場合、端末機器が目標フィードバック方式を採用して、複数のデータパケットの受信状態をフィードバックするように、当該端末機器に指示する。基地局は、当該基地局によってチャネル状態がよくない(例えば、データパケットの伝送エラーの確率が所定の閾値よりも大きい)と確定されるか、或いは、当該基地局によってデータ量が小さい(例えば、一つのデータパケットのみを伝送する)と確定される場合、端末機器が従来のＬＴＥ中のフィードバック方式を採用して各データパケットの受信状態をフィードバックするように、当該端末機器に指示する。
【手続補正１５】
【補正対象書類名】明細書
【補正対象項目名】０１００
【補正方法】変更
【補正の内容】
【０１００】
一実施例において、Ｓ１６０において、基地局が、当該第５の情報が付加されたアップリンクグラント(ＵＬ  Ｇｒａｎｔ：Ｕｐ  Ｌｉｎｋ  Ｇｒａｎｔ)シグナリングを、端末機器に送信するか、或いは、基地局が、当該第５の情報が付加されたダウンリンクグラント(ＤＬ  Ｇｒａｎｔ：Ｄｏｗｎ  Ｌｉｎｋ  Ｇｒａｎｔ)シグナリングを、端末機器に送信するか、或いは、基地局が、当該第５の情報が付加されたＲＲＣシグナリングを、端末機器に送信し、その中、当該ＲＲＣシグナリングは、ＲＲＣ  Ｃｏｎｎｅｃｔｉｏｎ  Ｓｅｔｕｐメッセージであってもよい。
【手続補正１６】
【補正対象書類名】明細書
【補正対象項目名】０１０６
【補正方法】変更
【補正の内容】
【０１０６】
一実施例において、端末機器は、端末機器によって、基地局により送信された第２の情報が、第１の情報を基地局に送信したタイミングから所定の時間帯内で受信された場合、当該第２の情報で示された第１の時間‐周波数リソース上で、当該ＮＡＣＫ情報を、当該基地局に送信する。つまり、端末機器は、当該端末機器によって、基地局によって割り当てたアップリンク伝送リソースが、所定の時間内で受信された場合、当該アップリンク伝送リソース上で、当該データパケットの伝送にエラーが発生したことを指示するためのＮＡＣＫ情報を基地局に送信する。
【手続補正１７】
【補正対象書類名】明細書
【補正対象項目名】０１０７
【補正方法】変更
【補正の内容】
【０１０７】
一実施例において、端末機器は、当該端末機器によって、第２の情報が、第１の情報を基地局に送信したタイミングから所定の時間帯内で受信されなかった場合、第２の時間‐周波数リソース上で、ＮＡＣＫ情報を基地局に送信し、その中、第２の時間‐周波数リソースは、基地局が、端末機器がデータパケットを受信する前に、端末機器に割り当てた、フィードバック情報を伝送するための時間‐周波数リソースであり、第２の時間‐周波数リソースは、複数の時間‐周波数リソースであり、複数の時間‐周波数リソースの中の隣接する二つの時間‐周波数リソース同士の間の時間間隔は、所定値である。
【手続補正１８】
【補正対象書類名】明細書
【補正対象項目名】０１１０
【補正方法】変更
【補正の内容】
【０１１０】
また、方法１００と同様に、基地局は、さらに、端末機器がデータパケットを受信する前に、端末機器がデータパケットの受信状態をフィードバックするフィードバック方式を指示する指示情報を、端末機器に送信してもよい。また、端末機器は、指示情報が、端末機器がデータパケットの受信に成功しなかった場合にのみ、ＮＡＣＫ情報を基地局に送信する方式を採用して、フィードバックを行うフィードバック方式を、指示すると、方法２００においての方法に従って、データパケットの受信状態をフィードバックしてもよい。その中、基地局が当該指示情報を端末機器に送信する具体的な実現方式は、方法１００においての基地局が第５の情報を端末機器に送信する実現方式と同一であり、重複を回避するために、ここでは繰り返して説明しない。
【手続補正１９】
【補正対象書類名】明細書
【補正対象項目名】０１１９
【補正方法】変更
【補正の内容】
【０１１９】
一実施例において、ＮＡＣＫ情報中には、識別子情報が付加されており、端末機器は、識別子情報に基づいて、受信に成功しなかったデータパケットを確定する。当該識別子情報は、基地局が受信に成功しなかったデータパケットを受信する際に占有した無線フレームおよびサブフレームのインデックス情報であり、無線フレームおよびサブフレームのインデックス情報は、例えば、無線フレームの番号およびサブフレームの番号であってもよい。或いは、識別子情報は、受信に成功しなかったデータパケットの番号であってもよい。
【手続補正２０】
【補正対象書類名】明細書
【補正対象項目名】０１２０
【補正方法】変更
【補正の内容】
【０１２０】
一実施例において、Ｓ３３０において、基地局が、当該フィードバック情報のみが付加されたダウンリンク制御チャネルを、端末機器に送信するか、或いは、当該フィードバック情報およびダウンリンク制御シグナリングが付加されたダウンリンク制御チャネルを、端末機器に送信する。
【手続補正２１】
【補正対象書類名】明細書
【補正対象項目名】０１２１
【補正方法】変更
【補正の内容】
【０１２１】
一実施例において、当該ダウンリンク制御チャネルは、物理ダウンリンク制御チャネル(ＰＤＣＣＨ：Ｐｈｙｓｉｃａｌ  Ｄｏｗｎｌｉｎｋ  Ｃｏｎｔｒｏｌ  Ｃｈａｎｎｅｌ)である。
【手続補正２２】
【補正対象書類名】明細書
【補正対象項目名】０１２７
【補正方法】変更
【補正の内容】
【０１２７】
本発明の一実施例において、当該ＮＡＣＫ情報中には、識別子情報が付加されており、当該識別子情報は、当該基地局が、当該識別子情報に基づいて、当該受信に成功しなかったデータパケットを確定するようにする。
【手続補正２３】
【補正対象書類名】明細書
【補正対象項目名】０１２９
【補正方法】変更
【補正の内容】
【０１２９】
本発明の一実施例において、当該受信モジュール１１は、当該受信モジュール１１が基地局により送信された複数のデータパケットを受信する前に、さらに、当該基地局により送信された第１の情報を受信し、当該第１の情報は、当該基地局が当該端末機器に割り当てた、フィードバック情報を伝送するための第１の時間‐周波数リソースを指示する。
【手続補正２４】
【補正対象書類名】明細書
【補正対象項目名】０１３１
【補正方法】変更
【補正の内容】
【０１３１】
本発明の一実施例において、当該受信モジュール１１は、さらに、当該基地局により送信された第２の情報を受信し、当該第２の情報は、当該端末機器が、当該受信モジュール１１による当該複数のデータパケットの中の各データパケットの受信に成功した際に、第１の方式または第２の方式を採用して、当該複数のデータパケットの受信状態を、当該基地局にフィードバックするように、当該端末機器に指示する。
【手続補正２５】
【補正対象書類名】明細書
【補正対象項目名】０１３３
【補正方法】変更
【補正の内容】
【０１３３】
本発明の一実施例において、当該第１の時間‐周波数リソースは、複数の時間‐周波数リソースであり、当該複数の時間‐周波数リソースの中の隣接する二つの時間‐周波数リソース同士の間の時間間隔は、第１の所定値である。
【手続補正２６】
【補正対象書類名】明細書
【補正対象項目名】０１３４
【補正方法】変更
【補正の内容】
【０１３４】
本発明の一実施例において、当該受信モジュール１１は、さらに、当該第３の情報を基地局に送信し、当該第３の情報は、当該基地局が、当該第１のフィードバック情報を伝送するための時間‐周波数リソースを、当該端末機器に割り当てるように、当該基地局に要求する。
【手続補正２７】
【補正対象書類名】明細書
【補正対象項目名】０１３６
【補正方法】変更
【補正の内容】
【０１３６】
本発明の一実施例において、当該送信モジュール１３は、さらに、当該受信モジュール１１によって、当該第４の情報が、当該送信モジュール１３が当該第３の情報を当該基地局に送信したタイミングから所定の時間帯内で受信されなかった場合、第３の時間‐周波数リソース上で、当該第１のフィードバック情報を、当該基地局に送信する。
【手続補正２８】
【補正対象書類名】明細書
【補正対象項目名】０１３８
【補正方法】変更
【補正の内容】
【０１３８】
本発明の一実施例において、当該第３の情報は、アップリンクＳＲ（スケジューリング要求）情報であり、且つ、当該第４の情報は、ＵＬ  Ｇｒａｎｔ（アップリンクグラント）シグナリングであるか、或いは、当該第３の情報は、アップリンクＳＲ（スケジューリング要求）情報であり、且つ、当該第４の情報は、ＲＲＣ（無線リソース制御）シグナリングである。
【手続補正２９】
【補正対象書類名】明細書
【補正対象項目名】０１３９
【補正方法】変更
【補正の内容】
【０１３９】
本発明の一実施例において、当該受信モジュール１１は、当該受信モジュール１１が基地局により送信された複数のデータパケットを受信する前に、さらに、当該基地局により送信された第５の情報を受信し、当該第５の情報は、当該端末機器が当該複数のデータパケットの受信状態をフィードバックするためのフィードバック方式を、当該端末機器に指示する。
【手続補正３０】
【補正対象書類名】明細書
【補正対象項目名】０１４１
【補正方法】変更
【補正の内容】
【０１４１】
本発明の一実施例において、当該受信モジュール１１は、当該基地局により送信された第５の情報を受信する時に、具体的に、当該基地局により送信された、当該第５の情報が付加されたＵＬ  Ｇｒａｎｔ（アップリンクグラント）シグナリングを受信するか、或いは、当該基地局により送信された、当該第５の情報が付加されたＤＬ  Ｇｒａｎｔ（ダウンリンクグラント）シグナリングを受信するか、或いは、当該基地局により送信された、当該第５の情報が付加されたＲＲＣ（無線リソース制御）シグナリングを受信する。
【手続補正３１】
【補正対象書類名】明細書
【補正対象項目名】０１４８
【補正方法】変更
【補正の内容】
【０１４８】
本発明の一実施例において、当該送信モジュール２３は、さらに、当該受信モジュール２１によって、当該基地局により送信された第２の情報が、当該送信モジュール２３が当該第１の情報を当該基地局に送信したタイミングから所定の時間帯内で受信された場合、当該第２の情報で示された第１の時間‐周波数リソース上で、当該ＮＡＣＫ情報を、当該基地局に送信する。
【手続補正３２】
【補正対象書類名】明細書
【補正対象項目名】０１４９
【補正方法】変更
【補正の内容】
【０１４９】
本発明の一実施例において、当該送信モジュール２３は、さらに、当該受信モジュール２１によって、当該第２の情報が、当該送信モジュール２３が当該第１の情報を当該基地局に送信したタイミングから所定の時間帯内で受信されなかった場合、第２の時間‐周波数リソース上で、当該ＮＡＣＫ情報を、当該基地局に送信し、その中、当該第２の時間‐周波数リソースは、当該基地局が、当該受信モジュールが当該データパケットを受信する前に、当該端末機器に割り当てた、フィードバック情報を伝送するための時間‐周波数リソースであり、当該第２の時間‐周波数リソースは、複数の時間‐周波数リソースであり、当該複数の時間‐周波数リソースの中の隣接する二つの時間‐周波数リソース同士の間の時間間隔は、所定値である。
【手続補正３３】
【補正対象書類名】明細書
【補正対象項目名】０１５０
【補正方法】変更
【補正の内容】
【０１５０】
本発明の一実施例において、当該第１の情報は、アップリンクＳＲ（スケジューリング要求）情報であり、且つ、当該第２の情報は、且つ、ＵＬ  Ｇｒａｎｔ（アップリンクグラント）シグナリングであるか、或いは、当該第１の情報は、アップリンクＳＲ（スケジューリング要求）情報であり、且つ、当該第２の情報は、ＲＲＣ（無線リソース制御）シグナリングである。
【手続補正３４】
【補正対象書類名】明細書
【補正対象項目名】０１５８
【補正方法】変更
【補正の内容】
【０１５８】
本発明の一実施例において、当該ＮＡＣＫ情報中には、識別子情報が付加されており、当該識別子情報は、当該基地局が当該受信に成功しなかったデータパケットを受信する際に占有した無線フレームおよびサブフレームのインデックス情報であるか、或いは、当該識別子情報は、当該受信に成功しなかったデータパケットの番号である。
【手続補正３５】
【補正対象書類名】明細書
【補正対象項目名】０１６０
【補正方法】変更
【補正の内容】
【０１６０】
本発明の一実施例において、当該受信モジュール３１は、当該基地局によって当該複数のデータパケットの中に受信に成功しなかったデータパケットが存在すると確定された際に当該基地局により送信されたフィードバック情報を受信する時に、具体的に、当該基地局により送信された、当該フィードバック情報のみが付加されたダウンリンク制御チャネルを受信するか、或いは、当該基地局により送信された、当該フィードバック情報およびダウンリンク制御シグナリングが付加されたダウンリンク制御チャネルを受信する。
【手続補正３６】
【補正対象書類名】明細書
【補正対象項目名】０１６８
【補正方法】変更
【補正の内容】
【０１６８】
本発明の一実施例において、当該ＮＡＣＫ情報中には、識別子情報が付加されており、当該識別子情報は、当該端末機器が当該受信に成功しなかったデータパケットを受信する際に占有した無線フレームおよびサブフレームのインデックス情報であるか、或いは、当該識別子情報は、当該受信に成功しなかったデータパケットの番号である。
【手続補正３７】
【補正対象書類名】明細書
【補正対象項目名】０１７０
【補正方法】変更
【補正の内容】
【０１７０】
本発明の一実施例において、当該送信モジュール４１は、当該送信モジュール４１が複数のデータパケットを当該端末機器に送信する前に、さらに、第１の情報を当該端末機器に送信し、当該第１の情報は、当該基地局が当該端末機器に割り当てた、フィードバック情報を伝送するための第１の時間‐周波数リソースを示し、その中、当該受信モジュール４２は、当該端末機器によって当該複数のデータパケットの中に受信に成功しなかったデータパケットが存在すると確定された際に当該端末機器によって送信された第１のフィードバック情報を受信する時に、具体的に、当該第１の時間‐周波数リソース上で、当該第１のフィードバック情報を受信する。
【手続補正３８】
【補正対象書類名】明細書
【補正対象項目名】０１７１
【補正方法】変更
【補正の内容】
【０１７１】
本発明の一実施例において、当該送信モジュール４１は、さらに、第２の情報を当該端末機器に送信し、当該第２の情報は、当該端末機器が、当該端末機器による当該複数のデータパケットの中の各データパケットの受信に成功した際に、第１の方式または第２の方式を採用して、当該複数のデータパケットの受信状態を当該基地局にフィードバックするように、当該端末機器に指示し、その中、当該第１の方式は、当該第１の時間‐周波数リソース上で、第２のフィードバック情報を、当該基地局に送信する方式であり、当該第２のフィードバック情報中には、ＡＣＫ（確認）情報が含まれ、当該ＡＣＫ情報は、当該端末機器による当該複数のデータパケットの中の各データパケットの受信に成功したことを、を指示し、当該第２の方式は、当該第１の時間‐周波数リソース上で、フィードバック情報を、当該基地局に送信しない方式である。
【手続補正３９】
【補正対象書類名】明細書
【補正対象項目名】０１７２
【補正方法】変更
【補正の内容】
【０１７２】
本発明の一実施例において、当該第１の時間‐周波数リソースは、複数の時間‐周波数リソースであり、当該複数の時間‐周波数リソースの中の隣接する二つの時間‐周波数リソース同士の間の時間間隔は、第１の所定値である。
【手続補正４０】
【補正対象書類名】明細書
【補正対象項目名】０１７３
【補正方法】変更
【補正の内容】
【０１７３】
本発明の一実施例において、当該受信モジュール４２は、さらに、当該端末機器が送信した第３の情報を受信し、当該第３の情報は、当該基地局が、当該第１のフィードバック情報を伝送するための時間‐周波数リソースを、当該端末機器に割り当てるように、当該基地局に要求する。
【手続補正４１】
【補正対象書類名】明細書
【補正対象項目名】０１７５
【補正方法】変更
【補正の内容】
【０１７５】
本発明の一実施例において、当該受信モジュール４２は、さらに、当該送信モジュール４１によって、当該第４の情報が、当該受信モジュール４２が当該第３の情報を受信したタイミングから所定の時間帯内で、当該端末機器に送信されなかった場合、第３の時間‐周波数リソース上で、当該第１のフィードバック情報を受信し、その中、当該第３の時間‐周波数リソースは、当該基地局が、当該基地局が複数のデータパケットを端末機器に送信する前に、当該端末機器に割り当てた、フィードバック情報を伝送するための時間‐周波数リソースであり、当該第３の時間‐周波数リソースは、複数の時間‐周波数リソースであり、当該複数の時間‐周波数リソースの中の隣接する二つの時間‐周波数リソース同士の間の時間間隔は、第２の所定値である。
【手続補正４２】
【補正対象書類名】明細書
【補正対象項目名】０１７６
【補正方法】変更
【補正の内容】
【０１７６】
本発明の一実施例において、当該第３の情報は、アップリンクＳＲ（スケジューリング要求）情報であり、且つ、当該第４の情報は、ＵＬ  Ｇｒａｎｔ（アップリンクグラント）シグナリングであるか、或いは、当該第３の情報は、アップリンクＳＲ（スケジューリング要求）情報であり、且つ、当該第４の情報は、ＲＲＣ（無線リソース制御）シグナリングである。
【手続補正４３】
【補正対象書類名】明細書
【補正対象項目名】０１７７
【補正方法】変更
【補正の内容】
【０１７７】
本発明の一実施例において、当該送信モジュール４１は、当該送信モジュール４１が複数のデータパケットを端末機器に送信する前に、さらに、第５の情報を当該端末機器に送信し、当該第５の情報は、当該端末機器が当該複数のデータパケットの受信状態をフィードバックするためのフィードバック方式を、当該端末機器に示す。
【手続補正４４】
【補正対象書類名】明細書
【補正対象項目名】０１７９
【補正方法】変更
【補正の内容】
【０１７９】
本発明の一実施例において、当該送信モジュール４１は、当該第５の情報を当該端末機器に送信する時に、具体的に、当該第５の情報が付加されたＵＬ  Ｇｒａｎｔ（アップリンクグラント）シグナリングを、当該端末機器に送信するか、或いは、当該第５の情報が付加されたＤＬ  Ｇｒａｎｔ（ダウンリンクグラント）シグナリングを、当該端末機器に送信するか、或いは、当該第５の情報が付加されたＲＲＣ（無線リソース制御）シグナリングを、当該端末機器に送信する。
【手続補正４５】
【補正対象書類名】明細書
【補正対象項目名】０１８５
【補正方法】変更
【補正の内容】
【０１８５】
本発明の一実施例において、当該受信モジュール５２は、さらに、当該送信モジュールによって、第２の情報が、当該受信モジュールが当該第１の情報を受信したタイミングから所定の時間帯内で、当該端末機器に送信された場合、当該第２の情報で示された第１の時間‐周波数リソース上で、当該ＮＡＣＫ情報を受信する。
【手続補正４６】
【補正対象書類名】明細書
【補正対象項目名】０１８６
【補正方法】変更
【補正の内容】
【０１８６】
本発明の一実施例において、当該受信モジュール５２は、さらに、当該送信モジュール５１によって、当該第２の情報が、当該受信モジュール５２が当該第１の情報を受信したタイミングから所定の時間帯内で、当該端末機器に送信されなかった場合、第２の時間‐周波数リソース上で、当該ＮＡＣＫ情報を受信し、その中、当該第２の時間‐周波数リソースは、当該基地局が、当該送信モジュール５１がデータパケットを端末機器に送信する前に、当該端末機器に割り当てた、フィードバック情報を伝送するための時間‐周波数リソースであり、当該第２の時間‐周波数リソースは、複数の時間‐周波数リソースであり、当該複数の時間‐周波数リソースの中の隣接する二つの時間‐周波数リソース同士の間の時間間隔は、所定値である。
【手続補正４７】
【補正対象書類名】明細書
【補正対象項目名】０１８７
【補正方法】変更
【補正の内容】
【０１８７】
本発明の一実施例において、当該第１の情報は、アップリンクＳＲ（スケジューリング要求）情報であり、且つ、当該第２の情報は、且つ、ＵＬ  Ｇｒａｎｔ（アップリンクグラント）シグナリングであるか、或いは、当該第１の情報は、アップリンクＳＲ（スケジューリング要求）情報であり、且つ、当該第２の情報は、ＲＲＣ（無線リソース制御）シグナリングである。
【手続補正４８】
【補正対象書類名】明細書
【補正対象項目名】０１９４
【補正方法】変更
【補正の内容】
【０１９４】
本発明の一実施例において、当該ＮＡＣＫ情報中には、識別子情報が付加されており、当該識別子情報は、当該端末機器が、当該識別子情報に基づいて、当該受信に成功しなかったデータパケットを確定するようにし、その中、当該識別子情報は、当該受信モジュールが当該受信に成功しなかったデータパケットを受信する際に占有した無線フレームおよびサブフレームのインデックス情報であるか、或いは、当該識別子情報は、当該受信に成功しなかったデータパケットの番号である。
【手続補正４９】
【補正対象書類名】明細書
【補正対象項目名】０１９５
【補正方法】変更
【補正の内容】
【０１９５】
本発明の一実施例において、当該送信モジュール６３は、フィードバック情報を当該端末機器に送信する時に、具体的に、当該フィードバック情報のみが付加されたダウンリンク制御チャネルを、当該端末機器に送信するか、或いは、当該フィードバック情報およびダウンリンク制御シグナリングが付加されたダウンリンク制御チャネルを、当該端末機器に送信する。
【手続補正５０】
【補正対象書類名】明細書
【補正対象項目名】０１９７
【補正方法】変更
【補正の内容】
【０１９７】
図１４は、本発明のさらなる実施例に係る端末機器を示し、図１４に示したように、端末機器１００は、プロセッサ１１０とトランシーバ１２０とを備え、プロセッサ１１０とトランシーバ１２０とが接続され、一実施例において、当該端末機器１００は、メモリ１３０をさらに備え、メモリ１３０とプロセッサ１１０とが接続され、さらに、当該端末機器１００は、バスシステム１４０を備える。その中、プロセッサ１１０と、メモリ１３０と、トランシーバ１２０とは、バスシステム１４０を介して接続されてもよく、当該メモリ１３０は、命令を記憶し、当該プロセッサ１１０は、当該メモリ１３０に記憶されている命令を実行することによって、トランシーバ１２０の情報送信或いは情報受信を制御する。
【手続補正５１】
【補正対象書類名】明細書
【補正対象項目名】０１９８
【補正方法】変更
【補正の内容】
【０１９８】
理解すべき点として、本発明の一実施例において、当該プロセッサ１１０は、中央処理装置(ＣＰＵ：Ｃｅｎｔｒａｌ  Ｐｒｏｃｅｓｓｉｎｇ  Ｕｎｉｔ)であってもよく、当該プロセッサ１１０は、さらに、他の汎用プロセッサ、デジタル信号プロセッサ(ＤＳＰ)、専用集積回路(ＡＳＩＣ)、既製のプログラマブルゲートアレイ(ＦＰＧＡ)または他のプログラマブルロジックデバイス、ディスクリートゲートまたはトランジスタロジックデバイス、ディスクリートハードウェアコンポーネント等であってもよい。汎用プロセッサは、マイクロプロセッサであってもよく、または、当該プロセッサは、いかなる従来のプロセッサ等であってもよい。
【手続補正５２】
【補正対象書類名】明細書
【補正対象項目名】０２０５
【補正方法】変更
【補正の内容】
【０２０５】
一実施例において、当該ＮＡＣＫ情報中には、識別子情報が付加されており、当該識別子情報は、当該基地局が、当該識別子情報に基づいて、当該受信に成功しなかったデータパケットを確定するようにし、その中、当該識別子情報は、当該受信モジュールが当該受信に成功しなかったデータパケットを受信する際に占有した無線フレームおよびサブフレームのインデックス情報であるか、或いは、当該識別子情報は、当該受信に成功しなかったデータパケットの番号である。
【手続補正５３】
【補正対象書類名】明細書
【補正対象項目名】０２０６
【補正方法】変更
【補正の内容】
【０２０６】
一実施例において、当該トランシーバ１２０は、当該トランシーバ１２０が基地局により送信された複数のデータパケットを受信する前に、さらに、当該基地局により送信された第１の情報を受信し、当該第１の情報は、当該基地局が当該端末機器に割り当てた、フィードバック情報を伝送するための第１の時間‐周波数リソースを示し、その中、当該トランシーバ１２０は、当該第１のフィードバック情報を基地局に送信する時に、具体的に、当該第１の時間‐周波数リソース上で、当該第１のフィードバック情報を、当該基地局に送信する。
【手続補正５４】
【補正対象書類名】明細書
【補正対象項目名】０２０７
【補正方法】変更
【補正の内容】
【０２０７】
一実施例において、当該トランシーバ１２０は、さらに、当該基地局により送信された第２の情報を受信し、当該第２の情報は、当該端末機器が、当該トランシーバ１２０による当該複数のデータパケットの中の各データパケットの受信に成功した際に、第１の方式または第２の方式を採用して、当該複数のデータパケットの受信状態を当該基地局にフィードバックするように、当該端末機器に指示し、その中、当該第１の方式は、当該第１の時間‐周波数リソース上で、第２のフィードバック情報を、当該基地局に送信する方式であり、当該第２のフィードバック情報中には、ＡＣＫ（確認）情報が含まれ、当該ＡＣＫ情報は、当該端末機器による当該複数のデータパケットの中の各データパケットの受信に成功したことを、を指示し、当該第２の方式は、当該第１の時間‐周波数リソース上で、フィードバック情報を、当該基地局に送信しない方式である。
【手続補正５５】
【補正対象書類名】明細書
【補正対象項目名】０２０８
【補正方法】変更
【補正の内容】
【０２０８】
一実施例において、当該第１の時間‐周波数リソースは、複数の時間‐周波数リソースであり、当該複数の時間‐周波数リソースの中の隣接する二つの時間‐周波数リソース同士の間の時間間隔は、第１の所定値である。
【手続補正５６】
【補正対象書類名】明細書
【補正対象項目名】０２０９
【補正方法】変更
【補正の内容】
【０２０９】
一実施例において、当該トランシーバ１２０は、さらに、当該第３の情報を基地局に送信し、当該第３の情報は、当該基地局が、当該第１のフィードバック情報を伝送するための時間‐周波数リソースを、当該端末機器に割り当てるように、当該基地局に要求する。
【手続補正５７】
【補正対象書類名】明細書
【補正対象項目名】０２１１
【補正方法】変更
【補正の内容】
【０２１１】
一実施例において、当該トランシーバ１２０は、さらに、当該トランシーバ１２０によって、当該第４の情報が、当該端末機器が当該第３の情報を当該基地局に送信したタイミングから所定の時間帯内で受信されなかった場合、第３の時間‐周波数リソース上で、当該第１のフィードバック情報を、当該基地局に送信し、その中、当該第３の時間‐周波数リソースは、当該基地局が、当該トランシーバ１２０が当該基地局により送信された複数のデータパケットを受信する前に、当該端末機器に割り当てた、フィードバック情報を伝送するための時間‐周波数リソースであり、当該第３の時間‐周波数リソースは、複数の時間‐周波数リソースであり、当該複数の時間‐周波数リソースの中の隣接する二つの時間‐周波数リソース同士の間の時間間隔は、第２の所定値である。
【手続補正５８】
【補正対象書類名】明細書
【補正対象項目名】０２１２
【補正方法】変更
【補正の内容】
【０２１２】
一実施例において、当該第３の情報は、アップリンクＳＲ（スケジューリング要求）情報であり、且つ、当該第４の情報は、ＵＬ  Ｇｒａｎｔ（アップリンクグラント）シグナリングであるか、或いは、当該第３の情報は、アップリンクＳＲ（スケジューリング要求）情報であり、且つ、当該第４の情報は、ＲＲＣ（無線リソース制御）シグナリングである。
【手続補正５９】
【補正対象書類名】明細書
【補正対象項目名】０２１３
【補正方法】変更
【補正の内容】
【０２１３】
一実施例において、当該トランシーバ１２０は、当該トランシーバ１２０が基地局により送信された複数のデータパケットを受信する前に、さらに、当該基地局により送信された第５の情報を受信し、当該第５の情報は、当該端末機器が当該複数のデータパケットの受信状態をフィードバックするためのフィードバック方式を、当該端末機器に示す。
【手続補正６０】
【補正対象書類名】明細書
【補正対象項目名】０２１４
【補正方法】変更
【補正の内容】
【０２１４】
その中、当該トランシーバ１２０は、当該第１のフィードバック情報を基地局に送信する時に、具体的に、当該第５の情報によって当該端末機器が目標フィードバック方式を採用するように指示される場合に、当該第１のフィードバック情報を、当該基地局に送信し、その中、当該目標フィードバック方式は、端末機器によって受信に成功しなかったデータパケットが存在すると確定される場合、当該受信に成功しなかったデータパケットに対して否定確認を行うためのＮＡＣＫ情報のみを含むフィードバック情報を、当該基地局に送信する方式である。
【手続補正６１】
【補正対象書類名】明細書
【補正対象項目名】０２１５
【補正方法】変更
【補正の内容】
【０２１５】
一実施例において、当該トランシーバ１２０は、当該基地局により送信された第５の情報を受信する時に、具体的に、当該基地局により送信された、当該第５の情報が付加されたＵＬ  Ｇｒａｎｔ（アップリンクグラント）シグナリングを受信するか、或いは、当該基地局により送信された、当該第５の情報が付加されたＤＬ  Ｇｒａｎｔ（ダウンリンクグラント）シグナリングを受信するか、或いは、当該基地局により送信された、当該第５の情報が付加されたＲＲＣ（無線リソース制御）シグナリングを受信する。
【手続補正６２】
【補正対象書類名】明細書
【補正対象項目名】０２２１
【補正方法】変更
【補正の内容】
【０２２１】
一実施例において、当該トランシーバ１２０は、さらに、当該トランシーバ１２０によって、当該基地局により送信された第２の情報が、当該トランシーバ１２０が当該第１の情報を当該基地局に送信したタイミングから所定の時間帯内で受信された場合、当該第２の情報で示された第１の時間‐周波数リソース上で、当該ＮＡＣＫ情報を、当該基地局に送信する。
【手続補正６３】
【補正対象書類名】明細書
【補正対象項目名】０２２２
【補正方法】変更
【補正の内容】
【０２２２】
一実施例において、当該トランシーバ１２０は、さらに、当該トランシーバ１２０によって、当該第２の情報が、当該トランシーバ１２０が当該第１の情報を当該基地局に送信したタイミングから所定の時間帯内で受信されなかった場合、第２の時間‐周波数リソース上で、当該ＮＡＣＫ情報を、当該基地局に送信し、その中、当該第２の時間‐周波数リソースは、当該基地局が、当該トランシーバ１２０が当該データパケットを受信する前に、当該端末機器に割り当てた、フィードバック情報を伝送するための時間‐周波数リソースであり、当該第２の時間‐周波数リソースは、複数の時間‐周波数リソースであり、当該複数の時間‐周波数リソースの中の隣接する二つの時間‐周波数リソース同士の間の時間間隔は、所定値である。
【手続補正６４】
【補正対象書類名】明細書
【補正対象項目名】０２２３
【補正方法】変更
【補正の内容】
【０２２３】
一実施例において、当該第１の情報は、アップリンクＳＲ（スケジューリング要求）情報であり、且つ、当該第２の情報は、且つ、ＵＬ  Ｇｒａｎｔ（アップリンクグラント）シグナリングであるか、或いは、当該第１の情報は、アップリンクＳＲ（スケジューリング要求）情報であり、且つ、当該第２の情報は、ＲＲＣ（無線リソース制御）シグナリングである。
【手続補正６５】
【補正対象書類名】明細書
【補正対象項目名】０２３０
【補正方法】変更
【補正の内容】
【０２３０】
一実施例において、当該ＮＡＣＫ情報中には、識別子情報が付加されており、当該識別子情報は、当該基地局が当該受信に成功しなかったデータパケットを受信する際に占有した無線フレームおよびサブフレームのインデックス情報であるか、或いは、当該識別子情報は、当該受信に成功しなかったデータパケットの番号である。
【手続補正６６】
【補正対象書類名】明細書
【補正対象項目名】０２３１
【補正方法】変更
【補正の内容】
【０２３１】
その中、当該プロセッサ１１０は、当該ＮＡＣＫ情報に基づいて当該受信に成功しなかったデータパケットを確定する時に、具体的に、当該識別子情報に基づいて、当該受信に成功しなかったデータパケットを確定する。
【手続補正６７】
【補正対象書類名】明細書
【補正対象項目名】０２３２
【補正方法】変更
【補正の内容】
【０２３２】
一実施例において、当該トランシーバ１２０は、当該基地局によって当該複数のデータパケットの中に受信に成功しなかったデータパケットが存在すると確定された際に当該基地局により送信されたフィードバック情報を受信する時に、具体的に、当該基地局により送信された、当該フィードバック情報のみが付加されたダウンリンク制御チャネルを受信か、或いは、当該基地局により送信された、当該フィードバック情報およびダウンリンク制御シグナリングが付加されたダウンリンク制御チャネルを受信する。
【手続補正６８】
【補正対象書類名】明細書
【補正対象項目名】０２３５
【補正方法】変更
【補正の内容】
【０２３５】
図１５は、本発明のさらなる実施例に係る基地局を概略的に示すフロック図であり、図１５に示したように、基地局２００は、プロセッサ２１０とトランシーバ２２０とを備え、プロセッサ２１０とトランシーバ２２０とが接続され、一実施例において、当該端末機器２００は、メモリ２３０をさらに備え、メモリ２３０とプロセッサ２１０とが接続され、さらに、当該端末機器２００は、バスシステム２４０を備える。その中、プロセッサ２１０と、メモリ２３０と、トランシーバ２２０とは、バスシステム２４０を介して接続されてもよく、当該メモリ２３０は、命令を記憶し、当該プロセッサ２１０は、当該メモリ２３０に記憶されている命令を実行することによって、トランシーバ２２０の情報送信或いは情報受信を制御する。
【手続補正６９】
【補正対象書類名】明細書
【補正対象項目名】０２３６
【補正方法】変更
【補正の内容】
【０２３６】
理解すべき点として、本発明の一実施例において、当該プロセッサ２１０は、中央処理装置(ＣＰＵ：Ｃｅｎｔｒａｌ  Ｐｒｏｃｅｓｓｉｎｇ  Ｕｎｉｔ)であってもよく、当該プロセッサ２１０は、さらに、他の汎用プロセッサ、デジタル信号プロセッサ(ＤＳＰ)、専用集積回路(ＡＳＩＣ)、既製のプログラマブルゲートアレイ(ＦＰＧＡ)または他のプログラマブルロジックデバイス、ディスクリートゲートまたはトランジスタロジックデバイス、ディスクリートハードウェアコンポーネント等であってもよい。汎用プロセッサは、マイクロプロセッサであってもよく、または、当該プロセッサは、いかなる従来のプロセッサ等であってもよい。
【手続補正７０】
【補正対象書類名】明細書
【補正対象項目名】０２４４
【補正方法】変更
【補正の内容】
【０２４４】
一実施例において、当該ＮＡＣＫ情報中には、識別子情報が付加されており、当該識別子情報は、当該端末機器が当該受信に成功しなかったデータパケットを受信する際に占有した無線フレームおよびサブフレームのインデックス情報であるか、或いは、当該識別子情報は、当該受信に成功しなかったデータパケットの番号である。
【手続補正７１】
【補正対象書類名】明細書
【補正対象項目名】０２４６
【補正方法】変更
【補正の内容】
【０２４６】
一実施例において、当該トランシーバ２２０は、当該トランシーバ２２０が複数のデータパケットを当該端末機器に送信する前に、さらに、第１の情報を当該端末機器に送信し、当該第１の情報は、当該基地局が当該端末機器に割り当てた、フィードバック情報を伝送するための第１の時間‐周波数リソースを示し、その中、当該トランシーバ２２０は、当該端末機器によって当該複数のデータパケットの中に受信に成功しなかったデータパケットが存在すると確定された際に当該端末機器によって送信された第１のフィードバック情報を受信する時に、具体的に、当該第１の時間‐周波数リソース上で、当該第１のフィードバック情報を受信する。
【手続補正７２】
【補正対象書類名】明細書
【補正対象項目名】０２４７
【補正方法】変更
【補正の内容】
【０２４７】
一実施例において、当該トランシーバ２２０は、さらに、第２の情報を当該端末機器に送信し、当該第２の情報は、当該端末機器が、当該端末機器による当該複数のデータパケットの中の各データパケットの受信に成功した際に、第１の方式または第２の方式を採用して、当該複数のデータパケットの受信状態を当該基地局にフィードバックするように、当該端末機器に指示し、その中、当該第１の方式は、当該第１の時間‐周波数リソース上で、第２のフィードバック情報を、当該基地局に送信する方式であり、当該第２のフィードバック情報中には、ＡＣＫ（確認）情報が含まれ、当該ＡＣＫ情報は、当該端末機器による当該複数のデータパケットの中の各データパケットの受信に成功したことを、を指示し、当該第２の方式は、当該第１の時間‐周波数リソース上で、フィードバック情報を、当該基地局に送信しない方式である。
【手続補正７３】
【補正対象書類名】明細書
【補正対象項目名】０２４８
【補正方法】変更
【補正の内容】
【０２４８】
一実施例において、当該第１の時間‐周波数リソースは、複数の時間‐周波数リソースであり、当該複数の時間‐周波数リソースの中の隣接する二つの時間‐周波数リソース同士の間の時間間隔は、第１の所定値である。
【手続補正７４】
【補正対象書類名】明細書
【補正対象項目名】０２４９
【補正方法】変更
【補正の内容】
【０２４９】
一実施例において、当該トランシーバ２２０は、さらに、当該端末機器が送信した第３の情報を受信し、当該第３の情報は、当該基地局が、当該第１のフィードバック情報を伝送するための時間‐周波数リソースを、当該端末機器に割り当てるように、当該基地局に要求し、その中、当該トランシーバ２２０は、当該端末機器によって当該複数のデータパケットの中に受信に成功しなかったデータパケットが存在すると確定された際に当該端末機器によって送信された第１のフィードバック情報を受信する時に、具体的に、当該トランシーバ２２０によって、第４の情報が、当該トランシーバ２２０が当該第３の情報を受信したタイミングから所定の時間帯内で、当該端末機器に送信された場合、当該第４の情報で示された第２の時間‐周波数リソース上で、当該第１のフィードバック情報を受信する。
【手続補正７５】
【補正対象書類名】明細書
【補正対象項目名】０２５０
【補正方法】変更
【補正の内容】
【０２５０】
一実施例において、当該トランシーバ２２０は、さらに、当該トランシーバ２２０によって、当該第４の情報が、当該トランシーバ２２０が当該第３の情報を受信したタイミングから所定の時間帯内で、当該端末機器に送信されなかった場合、第３の時間‐周波数リソース上で、当該第１のフィードバック情報を受信し、その中、当該第３の時間‐周波数リソースは、当該基地局が、当該基地局が複数のデータパケットを端末機器に送信する前に、当該端末機器に割り当てた、フィードバック情報を伝送するための時間‐周波数リソースであり、当該第３の時間‐周波数リソースは、複数の時間‐周波数リソースであり、当該複数の時間‐周波数リソースの中の隣接する二つの時間‐周波数リソース同士の間の時間間隔は、第２の所定値である。
【手続補正７６】
【補正対象書類名】明細書
【補正対象項目名】０２５１
【補正方法】変更
【補正の内容】
【０２５１】
一実施例において、当該第３の情報は、アップリンクＳＲ（スケジューリング要求）情報であり、且つ、当該第４の情報は、ＵＬ  Ｇｒａｎｔ（アップリンクグラント）シグナリングであるか、或いは、当該第３の情報は、アップリンクＳＲ（スケジューリング要求）情報であり、且つ、当該第４の情報は、ＲＲＣ（無線リソース制御）シグナリングである。
【手続補正７７】
【補正対象書類名】明細書
【補正対象項目名】０２５２
【補正方法】変更
【補正の内容】
【０２５２】
一実施例において、当該トランシーバ２２０は、当該トランシーバ２２０が複数のデータパケットを端末機器に送信する前に、さらに、第５の情報を当該端末機器に送信し、当該第５の情報は、当該端末機器が当該複数のデータパケットの受信状態をフィードバックするためのフィードバック方式を、当該端末機器に示し、その中、当該第１のフィードバック情報は、当該第５の情報によって当該端末機器が目標フィードバック方式を採用するように指示される場合に、当該基地局に送信した情報であり、当該目標フィードバック方式は、端末機器によって受信に成功しなかったデータパケットが存在すると確定される場合、当該受信に成功しなかったデータパケットに対して否定確認を行うためのＮＡＣＫ情報のみを含むフィードバック情報を、当該基地局に送信する方式である。
【手続補正７８】
【補正対象書類名】明細書
【補正対象項目名】０２５３
【補正方法】変更
【補正の内容】
【０２５３】
一実施例において、当該トランシーバ２２０は、当該第５の情報を当該端末機器に送信する時に、具体的に、当該第５の情報が付加されたＵＬ  Ｇｒａｎｔ（アップリンクグラント）シグナリングを、当該端末機器に送信するか、或いは、当該第５の情報が付加されたＤＬ  Ｇｒａｎｔ（ダウンリンクグラント）シグナリングを、当該端末機器に送信するか、或いは、当該第５の情報が付加されたＲＲＣ（無線リソース制御）シグナリングを、当該端末機器に送信する。
【手続補正７９】
【補正対象書類名】明細書
【補正対象項目名】０２５８
【補正方法】変更
【補正の内容】
【０２５８】
一実施例において、当該トランシーバ２２０は、さらに、当該トランシーバ２２０によって、第２の情報が、当該トランシーバ２２０が当該第１の情報を受信したタイミングから所定の時間帯内で、当該端末機器に送信された場合、当該第２の情報で示された第１の時間‐周波数リソース上で、当該ＮＡＣＫ情報を受信する。
【手続補正８０】
【補正対象書類名】明細書
【補正対象項目名】０２５９
【補正方法】変更
【補正の内容】
【０２５９】
一実施例において、当該トランシーバ２２０は、さらに、当該トランシーバ２２０によって、当該第２の情報が、当該トランシーバ２２０が当該第１の情報を受信したタイミングから所定の時間帯内で、当該端末機器に送信されなかった場合、第２の時間‐周波数リソース上で、当該ＮＡＣＫ情報を受信し、その中、当該第２の時間‐周波数リソースは、当該基地局が、当該送信モジュールがデータパケットを端末機器に送信する前に、当該端末機器に割り当てた、フィードバック情報を伝送するための時間‐周波数リソースであり、当該第２の時間‐周波数リソースは、複数の時間‐周波数リソースであり、当該複数の時間‐周波数リソースの中の隣接する二つの時間‐周波数リソース同士の間の時間間隔は、所定値である。
【手続補正８１】
【補正対象書類名】明細書
【補正対象項目名】０２６０
【補正方法】変更
【補正の内容】
【０２６０】
一実施例において、当該第１の情報は、アップリンクＳＲ（スケジューリング要求）情報であり、且つ、当該第２の情報は、且つ、ＵＬ  Ｇｒａｎｔ（アップリンクグラント）シグナリングであるか、或いは、当該第１の情報は、アップリンクＳＲ（スケジューリング要求）情報であり、且つ、当該第２の情報は、ＲＲＣ（無線リソース制御）シグナリングである。
【手続補正８２】
【補正対象書類名】明細書
【補正対象項目名】０２６６
【補正方法】変更
【補正の内容】
【０２６６】
一実施例において、当該ＮＡＣＫ情報中には、識別子情報が付加されており、当該識別子情報は、当該端末機器が、識別子情報に基づいて、当該受信に成功しなかったデータパケットを確定するようにし、その中、当該識別子情報は、当該トランシーバ２２０が当該受信に成功しなかったデータパケットを受信する際に占有した無線フレームおよびサブフレームのインデックス情報であるか、或いは、当該識別子情報は、当該受信に成功しなかったデータパケットの番号である。
【手続補正８３】
【補正対象書類名】明細書
【補正対象項目名】０２６７
【補正方法】変更
【補正の内容】
【０２６７】
一実施例において、当該トランシーバ２２０は、フィードバック情報を当該端末機器に送信する時に、具体的に、当該フィードバック情報のみが付加されたダウンリンク制御チャネルを、当該端末機器に送信するか、或いは、当該フィードバック情報およびダウンリンク制御シグナリングが付加されたダウンリンク制御チャネルを、当該端末機器に送信する。
【手続補正８４】
【補正対象書類名】特許請求の範囲
【補正対象項目名】全文
【補正方法】変更
【補正の内容】
【特許請求の範囲】
【請求項１】
フィードバック情報を伝送する方法であって、
端末機器が、基地局により送信された複数のデータパケットを受信するステップと、
前記端末機器が、前記端末機器によって前記複数のデータパケットの中に受信に成功しなかったデータパケットが存在すると確定される場合、前記複数のデータパケットの受信状態をフィードバックするための、前記受信に成功しなかったデータパケットに対して否定確認を行うためのＮＡＣＫ（否定確認）情報のみを含む第１のフィードバック情報を前記基地局に送信するステップと
を含むことを特徴とするフィードバック情報を伝送する方法。
【請求項２】
前記ＮＡＣＫ情報中には、識別子情報が付加されており、前記識別子情報は、前記基地局が、前記識別子情報に基づいて、前記受信に成功しなかったデータパケットを確定するようにし、
前記識別子情報は、前記端末機器が前記受信に成功しなかったデータパケットを受信する際に占有した無線フレームおよびサブフレームのインデックス情報であるか、或いは、前記識別子情報は、前記受信に成功しなかったデータパケットの番号である
ことを特徴とする請求項１に記載の方法。
【請求項３】
前記端末機器が、基地局により送信された複数のデータパケットを受信するステップの前に、前記方法は、
前記端末機器が、前記基地局により送信された第１の情報を受信するステップをさらに含み、
前記第１の情報は、前記基地局が前記端末機器に割り当てた、フィードバック情報を伝送するための第１の時間‐周波数リソースを示し、
前記端末機器が第１のフィードバック情報を前記基地局に送信するステップは、
前記端末機器が前記第１の時間‐周波数リソース上で前記第１のフィードバック情報を前記基地局に送信するステップを含む
ことを特徴とする請求項１または２に記載の方法。
【請求項４】
前記方法は、
前記端末機器が、前記基地局により送信された第２の情報を受信するステップをさらに含み、
前記第２の情報は、前記端末機器が、前記端末機器による前記複数のデータパケットの中の各データパケットの受信に成功した際に、第１の方式または第２の方式を採用して、前記複数のデータパケットの受信状態を前記基地局にフィードバックするように、前記端末機器に指示し、
前記第１の方式は、前記第１の時間‐周波数リソース上で第２のフィードバック情報を前記基地局に送信する方式であり、前記第２のフィードバック情報中には、ＡＣＫ（確認）情報が含まれ、前記ＡＣＫ情報は、前記端末機器による前記複数のデータパケットの中の各データパケットの受信に成功したことを示し、
前記第２の方式は、前記第１の時間‐周波数リソース上でフィードバック情報を前記基地局に送信しない方式である
ことを特徴とする請求項３に記載の方法。
【請求項５】
前記第１の時間‐周波数リソースは、複数の時間‐周波数リソースであり、前記複数の時間‐周波数リソースの中の隣接する二つの時間‐周波数リソース同士の間の時間間隔は、第１の所定値である
ことを特徴とする請求項３または４に記載の方法。
【請求項６】
前記方法は、
前記端末機器が、第３の情報を前記基地局に送信するステップをさらに含み、
前記第３の情報は、前記基地局が、前記第１のフィードバック情報を伝送するための時間‐周波数リソースを前記端末機器に割り当てるように、前記基地局に要求し、
前記端末機器が第１のフィードバック情報を前記基地局に送信するステップは、
前記端末機器が、前記端末機器によって、前記基地局により送信された第４の情報が、前記端末機器が前記第３の情報を前記基地局に送信したタイミングから所定の時間帯内で受信された場合、前記第４の情報で示された第２の時間‐周波数リソース上で、前記第１のフィードバック情報を前記基地局に送信するステップを含む
ことを特徴とする請求項１または２に記載の方法。
【請求項７】
前記方法は、
前記端末機器が、前記端末機器によって、前記第４の情報が、前記端末機器が前記第３の情報を前記基地局に送信したタイミングから所定の時間帯内で受信されなかった場合、第３の時間‐周波数リソース上で、前記第１のフィードバック情報を前記基地局に送信するステップをさらに含み、
前記第３の時間‐周波数リソースは、前記基地局が、前記端末機器が前記基地局により送信された複数のデータパケットを受信する前に、前記端末機器に割り当てた、フィードバック情報を伝送するための時間‐周波数リソースであり、前記第３の時間‐周波数リソースは、複数の時間‐周波数リソースであり、前記複数の時間‐周波数リソースの中の隣接する二つの時間‐周波数リソース同士の間の時間間隔は、第２の所定値である
ことを特徴とする請求項６に記載の方法。
【請求項８】
前記端末機器が、基地局により送信された複数のデータパケットを受信するステップの前に、前記方法は、
前記端末機器が、前記基地局により送信された第５の情報を受信するステップをさらに含み、
前記第５の情報は、前記端末機器が前記複数のデータパケットの受信状態をフィードバックするためのフィードバック方式を、当該端末機器に示し、
前記端末機器が、第１のフィードバック情報を前記基地局に送信するステップは、
前記端末機器が、前記第５の情報によって前記端末機器が目標フィードバック方式を採用するように指示される場合に、前記第１のフィードバック情報を前記基地局に送信するステップを含み、
前記目標フィードバック方式は、端末機器が、前記端末機器によって受信に成功しなかったデータパケットが存在すると確定される場合、前記受信に成功しなかったデータパケットに対して否定確認を行うためのＮＡＣＫ情報のみを含むフィードバック情報を前記基地局に送信する方式である
ことを特徴とする請求項１〜７のいずれか１項に記載の方法。
【請求項９】
フィードバック情報を伝送する方法であって、
端末機器が、基地局により送信されたデータパケットを受信するステップと、
前記端末機器が、前記端末機器によって前記データパケットの受信に成功しなかったと確定される場合、第１の情報を前記基地局に送信するステップとを含み、
前記第１の情報は、前記基地局が、ＮＡＣＫ（否定確認）情報を伝送するための時間‐周波数リソースを前記端末機器に割り当てるように、前記基地局に要求し、前記ＮＡＣＫ情報は、前記データパケットに対して否定確認を行うようにする
ことを特徴とするフィードバック情報を伝送する方法。
【請求項１０】
前記方法は、
前記端末機器が、前記端末機器によって、前記基地局により送信された第２の情報が、前記端末機器が前記第１の情報を前記基地局に送信したタイミングから所定の時間帯内で受信された場合、前記第２の情報で示された第１の時間‐周波数リソース上で、前記ＮＡＣＫ情報を前記基地局に送信するステップをさらに含む
ことを特徴とする請求項９に記載の方法。
【請求項１１】
前記方法は、
前記端末機器が、前記端末機器によって、前記第２の情報が、前記端末機器が前記第１の情報を前記基地局に送信したタイミングから所定の時間帯内で受信されなかった場合、第２の時間‐周波数リソース上で、前記ＮＡＣＫ情報を前記基地局に送信するステップをさらに含み、
前記第２の時間‐周波数リソースは、前記基地局が、前記端末機器が前記データパケットを受信する前に、前記端末機器に割り当てた、フィードバック情報を伝送するための時間‐周波数リソースであり、前記第２の時間‐周波数リソースは、複数の時間‐周波数リソースであり、前記複数の時間‐周波数リソースの中の隣接する二つの時間‐周波数リソース同士の間の時間間隔は、所定値である
ことを特徴とする請求項１０に記載の方法。
【請求項１２】
フィードバック情報を伝送する方法であって、
端末機器が、複数のデータパケットを基地局に送信するステップと、
前記端末機器が、前記基地局によって前記複数のデータパケットの中に受信に成功しなかったデータパケットが存在すると確定された際に前記基地局により送信された、前記複数のデータパケットの受信状態をフィードバックするための、前記受信に成功しなかったデータパケットに対して否定確認を行うためのＮＡＣＫ（否定確認）情報のみを含むフィードバック情報を受信するステップと、
前記端末機器が、前記ＮＡＣＫ情報に基づいて、前記受信に成功しなかったデータパケットを確定するステップと、
前記端末機器が、前記受信に成功しなかったデータパケットを前記基地局に再送信するステップと
を含むことを特徴とするフィードバック情報を伝送する方法。
【請求項１３】
前記ＮＡＣＫ情報中には、識別子情報が付加されており、前記識別子情報は、前記基地局が前記受信に成功しなかったデータパケットを受信する際に占有した無線フレームおよびサブフレームのインデックス情報であるか、或いは、前記識別子情報は、前記受信に成功しなかったデータパケットの番号であり、
前記端末機器が、前記ＮＡＣＫ情報に基づいて、前記受信に成功しなかったデータパケットを確定するステップは、
前記端末機器が、前記識別子情報に基づいて、前記受信に成功しなかったデータパケットを確定することを含む
ことを特徴とする請求項１２に記載の方法。
【請求項１４】
前記端末機器が、前記基地局によって前記複数のデータパケットの中に受信に成功しなかったデータパケットが存在すると確定された際に前記基地局により送信されたフィードバック情報を受信するステップは、
前記端末機器が、前記基地局により送信された、前記フィードバック情報のみが付加されたダウンリンク制御チャネルを受信すること、
或いは、
前記端末機器が、前記基地局により送信された、前記フィードバック情報およびダウンリンク制御シグナリングが付加されたダウンリンク制御チャネルを受信すること
を含むことを特徴とする請求項１２または１３に記載の方法。
【請求項１５】
端末機器であって、
プロセッサと、命令を格納しているメモリとを含み、
前記プロセッサは、前記命令を実行すると、請求項１〜１４のいずれか１項に記載のフィードバック情報を伝送する方法を実行するように構成される、
ことを特徴とする端末機器。
【国際調査報告】
2019527953.tif 000018
2019527953.tif 000019
2019527953.tif 000020
2019527953.tif 000021